(57)【要約】【課題】  眼に屈折異常がある使用者が使用する視力矯正装置において、個々の使用者に合ったレンズを比較的容易に構成できる視力矯正装置を提供することができなかった。【解決手段】    固体レンズ１７、可変焦点レンズ２７の両レンズが設けられた第１の光学系または第２の光学系において、眼に屈折異常がある使用者が固体レンズ１７、可変焦点レンズ２７を介して所定の視認対象物を視認した際に、使用者が所定の視認対象物を明瞭に視認できるように、固体レンズ１７、可変焦点レンズ２７を構成する、あるいは、可変焦点レンズ２７を備え、可変焦点レンズ２７を駆動する電極４７に印加電圧が印加されない状態において、使用者が可変焦点レンズ２７を介して所定の視認対象物を視認した際に、使用者が所定の視認対象物を明瞭に視認できるように、使用者の視力に応じて、可変焦点レンズ２７を構成する。【選択図】        図１
2015052772.tif 000002
【特許請求の範囲】
【請求項１】
眼に屈折異常がある使用者の視力を矯正する視力矯正装置において；
前記視力矯正装置のレンズ構成が、
（１）左右一対の固体レンズ、前記固体レンズと別体に設けられる左右一対の可変焦点レンズの両レンズを備えており、前記可変焦点レンズが、前記固体レンズの前方側および後方側のうち、前方側に設けられており、前記可変焦点レンズを駆動する駆動体に所定の駆動量が印加される状態において、前記使用者が前記固体レンズ、前記可変焦点レンズを介して所定の視認対象物を視認した際に、前記使用者が所定の視認対象物を明瞭に視認できるように、前記固体レンズ、前記可変焦点レンズが構成される第１のレンズ構成；
（２）左右一対の固体レンズ、前記固体レンズと別体に設けられる左右一対の可変焦点レンズの両レンズを備えており、前記可変焦点レンズが、前記固体レンズの前方側および後方側のうち、前方側に設けられており、前記可変焦点レンズを駆動する駆動体に駆動量が印加されない状態において、前記使用者が前記固体レンズ、前記可変焦点レンズを介して所定の視認対象物を視認した際に、前記使用者が所定の視認対象物を明瞭に視認できるように、前記固体レンズ、前記可変焦点レンズが構成される第２のレンズ構成；
（３）左右一対の固体レンズ、前記固体レンズと別体に設けられる左右一対の可変焦点レンズの両レンズを備えており、前記固体レンズが、前記可変焦点レンズの前方側および後方側のうち、前方側に設けられており、前記可変焦点レンズを駆動する駆動体に所定の駆動量が印加される状態において、前記使用者が前記固体レンズ、前記可変焦点レンズを介して所定の視認対象物を視認した際に、前記使用者が所定の視認対象物を明瞭に視認できるように、前記固体レンズ、前記可変焦点レンズが構成される第３のレンズ構成；
（４）左右一対の固体レンズ、前記固体レンズと別体に設けられる左右一対の可変焦点レンズの両レンズを備えており、前記固体レンズが、前記可変焦点レンズの前方側および後方側のうち、前方側に設けられており、前記可変焦点レンズを駆動する駆動体に駆動量が印加されない状態において、前記使用者が前記固体レンズ、前記可変焦点レンズを介して所定の視認対象物を視認した際に、前記使用者が所定の視認対象物を明瞭に視認できるように、前記固体レンズ、前記可変焦点レンズが構成される第４のレンズ構成；
（５）左右一対の固体レンズ、左右一対の可変焦点レンズのうち、前記可変焦点レンズのみを備えており、前記可変焦点レンズを駆動する駆動体に駆動量が印加されない状態において、前記使用者が前記可変焦点レンズを介して所定の視認対象物を視認した際に、前記使用者が所定の視認対象物を明瞭に視認できるように、前記使用者の視力に応じて、前記可変焦点レンズが構成される第５のレンズ構成；
の５つのレンズ構成のうち、いずれか１つのレンズ構成であることを特長とする視力矯正装置。
【請求項２】
前記各レンズ構成において記載した所定の視認対象物が、所定の距離にある視認対象物、遠方にある視認対象物、近方にある視認対象物のうち、いずれか１つの視認対象物であることを特長とする請求項１に記載の視力矯正装置。
【請求項３】
請求項１または請求項２に記載された前記５つのレンズ構成のうち、レンズ構成が、前記第１のレンズ構成、前記第２のレンズ構成、前記第３のレンズ構成、前記第４のレンズ構成のいずれか１つのレンズ構成である視力矯正装置において；
前記使用者が所定の視認対象物を明瞭に視認できるように、前記使用者の視力および前記可変焦点レンズの度数に応じて、前記固体レンズの度数が構成されることを特長とする視力矯正装置。
【請求項４】
請求項１または請求項２に記載された前記５つのレンズ構成のうち、レンズ構成が、前記第５のレンズ構成である視力矯正装置において；
前記可変焦点レンズを駆動する駆動体に駆動量が印加されない状態において、前記使用者が前記可変焦点レンズを介して所定の視認対象物を視認した際に、前記使用者が所定の視認対象物を明瞭に視認できるように、前記使用者の視力に応じて、前記可変焦点レンズのレンズ面が加工されることを特長とする視力矯正装置。
【請求項５】
前記左右の可変焦点レンズのうち、右側の可変焦点レンズを駆動する第１の駆動体と、
前記左右の可変焦点レンズのうち、左側の可変焦点レンズを駆動する第２の駆動体と、
前記第１の駆動体および前記第２の駆動体を制御する制御部と、
を備えており、
前記制御部が、前記第１の駆動体、前記第２の駆動体に対し、個別に駆動量を印加する機能を有しており、
前記使用者が、右眼毎、左眼毎に、所定の視認対象物を明瞭に視認できるように、前記制御部が、前記第１の駆動体、前記第２の駆動体に対し、個別に駆動量を印加することを特長とする請求項１乃至請求項４のいずれか１つに記載の視力矯正装置。
【請求項６】
請求項１乃至請求項５のいずれか１つに記載された視力矯正装置のうち、レンズ構成が、
（６）前記第１のレンズ構成、前記第２のレンズ構成の両レンズ構成のうち、いずれか１つのレンズ構成において、所定の視認対象物が所定の距離にある視認対象物である場合のレンズ構成であり、
さらに、前記固体レンズのみを介して、前記使用者が前記所定の距離にある視認対象物を視認した場合に、前記所定の距離にある視認対象物を明瞭に視認できるように、前記固体レンズが構成される第６のレンズ構成；
（７）前記第１のレンズ構成、前記第２のレンズ構成の両レンズ構成のうち、いずれか１つのレンズ構成において、所定の視認対象物が遠方にある視認対象物である場合のレンズ構成であり、
さらに、前記固体レンズのみを介して、前記使用者が前記遠方にある視認対象物を視認した場合に、前記遠方にある視認対象物を明瞭に視認できるように、前記固体レンズが構成される第７のレンズ構成；
（８）前記第１のレンズ構成、前記第２のレンズ構成の両レンズ構成のうち、いずれか１つのレンズ構成において、所定の視認対象物が近方にある視認対象物である場合のレンズ構成であり、
さらに、前記固体レンズのみを介して、前記使用者が前記近方にある視認対象物を視認した場合に、前記近方にある視認対象物を明瞭に視認できるように、前記固体レンズが構成される第８のレンズ構成；
（９）前記第１のレンズ構成、前記第２のレンズ構成の両レンズ構成のうち、いずれか１つのレンズ構成において、所定の視認対象物が遠方にある視認対象物である場合のレンズ構成であり、
さらに、前記固体レンズのみを介して、前記使用者が近方にある視認対象物を視認した場合に、前記近方にある視認対象物を明瞭に視認できるように、前記固体レンズが構成される第９のレンズ構成；
（１０）前記第１のレンズ構成、前記第２のレンズ構成の両レンズ構成のうち、いずれか１つのレンズ構成において、所定の視認対象物が近方にある視認対象物である場合のレンズ構成であり、
さらに、前記固体レンズのみを介して、前記使用者が遠方にある視認対象物を視認した場合に、前記遠方にある視認対象物を明瞭に視認できるように、前記固体レンズが構成される第１０のレンズ構成；
（１１）前記第３のレンズ構成、前記第４のレンズ構成の両レンズ構成のうち、いずれか１つのレンズ構成において、所定の視認対象物が遠方にある視認対象物である場合のレンズ構成であり、
さらに、前記可変焦点レンズのみを介して、前記使用者が近方にある視認対象物を視認した場合に、前記近方にある視認対象物を明瞭に視認できるように、前記可変焦点レンズが構成される第１１のレンズ構成；
（１２）前記第３のレンズ構成、前記第４のレンズ構成の両レンズ構成のうち、いずれか１つのレンズ構成において、所定の視認対象物が近方にある視認対象物である場合のレンズ構成であり、
さらに、前記可変焦点レンズのみを介して、前記使用者が遠方にある視認対象物を視認した場合に、前記遠方にある視認対象物を明瞭に視認できるように、前記可変焦点レンズが構成される第１２のレンズ構成；
の各レンズ構成のうち、いずれか１つのレンズ構成であることを特長とする視力矯正装置。
【請求項７】
請求項１乃至請求項６のいずれか１つに記載の視力矯正装置のうち、レンズ構成が前記第１のレンズ構成または前記第２のレンズ構成である視力矯正装置において；
前記固体レンズが、前記使用者の眼に装着するコンタクトレンズであることを特長とする視力矯正装置。
【請求項８】
請求項１乃至請求項７のいずれか１つに記載されたレンズ構成のうち、所定の視認対象物が遠方にある視認対象物である場合のレンズ構成であり、
さらに、近方にある視認対象物を明瞭に視認する所定の操作を行う操作部を備えており、
前記使用者が近方にある視認対象物を明瞭に視認できる際に、前記駆動体に印加される駆動量を記憶する機能を有しており、
前記使用者が、前記操作部に対して、近方にある視認対象物を明瞭に視認する所定の操作をした場合に、記憶された前記駆動量が前記駆動体に印加されることを特長とする視力矯正システム。
【請求項９】
請求項１乃至請求項７のいずれか１つに記載されたレンズ構成のうち、所定の視認対象物が近方にある視認対象物である場合のレンズ構成であり、
さらに、遠方にある視認対象物を明瞭に視認する所定の操作を行う操作部を備えており、
前記使用者が遠方にある視認対象物を明瞭に視認できる際に、前記駆動体に印加される駆動量を記憶する機能を有しており、
前記使用者が、前記操作部に対して、遠方にある視認対象物を明瞭に視認する所定の操作をした場合に、記憶された前記駆動量が前記駆動体に印加されることを特長とする視力矯正システム。
【請求項１０】
請求項１乃至請求項９のいずれか１つの視力矯正装置が、所定の視認対象物までの距離を測定する距離測定手段を備えており、
前記距離測定手段が、所定の視認対象物までの距離を測定し、
測定された距離が前記第１の距離を含む第１の範囲内にある場合には、事前に記憶された、第１の距離にある視認対象物を明瞭に視認できる駆動量が前記駆動体に印加され、
測定された距離が前記第２の距離を含む第２の範囲内にある場合には、事前に記憶された、第２の距離にある視認対象物を明瞭に視認できる駆動量が前記駆動体に印加されることを特長とする視力矯正装置。
【請求項１１】
前記可変焦点レンズの焦点距離を連続的に変化させる所定の操作を行うスイッチを備えており、
前記スイッチの押圧時間、前記押圧時間に相関する一定の変化量のうち、いずれかの変化量に応じて変化する、個々の使用者が前記視認対象物を明瞭に視認できる視認駆動量を決定する機能を有しており、
前記使用者が、前記スイッチに対し、前記所定の操作をした場合には、前記視認駆動量が前記第１の駆動体および前記第２の駆動体に、同時に印加されることを特長とする請求項５に記載の視力矯正装置。
【請求項１２】
請求項１乃至請求項６および請求項８乃至請求項１１に記載の視力矯正装置のうち、
（ａ）レンズ構成が前記第１のレンズ構成または前記第２のレンズ構成である視力矯正装置において；
前記固体レンズが第１の眼鏡に保持されており、
前記可変焦点レンズが第２の眼鏡に保持されており、
前記第２の眼鏡が、前記第１の眼鏡に着脱自在、回動自在、後付け可能のいずれかに設けられる第１のレンズ保持構成；
（ｂ）レンズ構成が前記第１のレンズ構成または前記第２のレンズ構成である視力矯正装置において；
前記固体レンズ、前記可変焦点レンズが１つの眼鏡フレームに保持される第２のレンズ保持構成；
（ｃ）レンズ構成が前記第３のレンズ構成または前記第４のレンズ構成である視力矯正装置において；
前記可変焦点レンズが第１の眼鏡に保持されており、
前記固体レンズが第２の眼鏡に保持されており、
前記第２の眼鏡が、前記第１の眼鏡に着脱自在、回動自在、後付け可能のいずれかに設けられる第３のレンズ保持構成；
（ｄ）レンズ構成が前記第３のレンズ構成または前記第４のレンズ構成である視力矯正装置において；
前記固体レンズ、前記可変焦点レンズが１つの眼鏡フレームに保持される第４のレンズ保持構成；
の４つのレンズ保持構成のうち、いずれか１つのレンズ保持構成であることを特長とする視力矯正装置。
【請求項１３】
前記可変焦点レンズが、
内部に封入された液晶分子の配向が変更されることにより、焦点距離が変更される液晶式可変焦点レンズ；
内部に充填された液体の充填量が変更されることにより、焦点距離が変更される液体式可変焦点レンズ；
レンズとして機能する柔軟な透明部材を備え、前記透明部材に外力が与えられることにより、前記透明部材が変形されて、焦点距離が変更される外力式可変焦点レンズ；
の３つの可変焦点レンズのうち、いずれか１つの可変焦点レンズであることを特長とする請求項１乃至請求項１２のいずれか１つに記載の視力矯正装置。
【発明の詳細な説明】
【技術分野】
【０００１】
本発明は、可変焦点レンズを用いた視力矯正装置に関する。
【背景技術】
【０００２】
人間の目は、一般的に、加齢によって焦点調節機能が低下し、老視の症状が現れてくる。このため、老視である使用者は、老眼鏡を掛ける必要が生じるが、眼に屈折異常がある使用者が加齢して、老視の症状が現れた場合には、老眼鏡と遠用眼鏡（遠くのものを見る眼鏡）とを交互に掛け替えねばならなかった。そこで、これらの問題点を解決するために、可変焦点レンズを用いて遠近を視認する眼鏡が公開されている。
【０００３】
例えば、眼に屈折異常がある使用者が遠近を視認する眼鏡として、使用者の視力に合わせて遠方にある視認対象物を明瞭に視認できるように度数が処方された固体レンズと、液晶レンズとを貼り合わせた可変焦点レンズを用い、焦点切替スイッチを押して、プランジャをＯＮ接点側に切り替えると、液晶レンズに電圧が印加されて、近方視野に切り替えられ、プランジャをＯＦＦ接点側に切り替えると、液晶レンズに印加される電圧が停止されて、固体レンズの度数により、遠方視野に切り替えられる電子眼鏡（本願発明の視力矯正装置に相当）が公開されている。（例えば、特許文献１）
【０００４】
しかしながら、特許文献１の電子眼鏡は、可変焦点レンズに印加電圧が印加されない状態、あるいは所定（特定）の電圧が印加される状態において、
（１）可変焦点レンズのみを介して、使用者が所定の視認対象物を明瞭に視認しようとする場合、使用される可変焦点レンズによって、視認対象物までの距離が限定される
（２）可変焦点レンズのみを介して、所定の視認対象物を明瞭に視認しようとした場合に、使用される可変焦点レンズによって、可変焦点レンズに印加される印加電圧が限定される
など、可変焦点レンズ（レンズ系）を構成する際に自由度が制約されてしまうという課題があった。因みに、従来の液体式、あるいは外力式のうち、いずれかの方式による電子眼鏡においても、同様の課題があった。
【０００５】
ところで、特許文献１の電子眼鏡は、可変焦点レンズが、使用者の視力に合わせて遠方にある視認対象物を明瞭に視認できるように度数が処方された固体レンズの両レンズ面（使用者側のレンズ面、視認対象物側のレンズ面）のうち、使用者側のレンズ面に、液晶レンズが貼り合わされるように構成されている。つまり、固体レンズの使用者側のレンズ面形状が、使用者の視力に応じて異なる。このため、特許文献１の電子眼鏡は、電力の消費を押さえることができる反面、使用者毎に、固体レンズのレンズ面形状に合わせて、都度、液晶レンズを加工し、液晶レンズを固体レンズに貼り合わせなければならないので、可変焦点レンズの生産性が低いという課題を有している。
【０００６】
なお、特許文献１の電子眼鏡は、固体レンズが、使用者の視力に合わせて遠方にある視認対象物を明瞭に視認できるように度数が処方されているので、可変焦点レンズを用いて、使用者が遠方にある視認対象物を明瞭に視認するには、視認対象物から発せられ、固体レンズを通過する際に屈折して出射される光線を液晶レンズで屈折させることなく通過させて、使用者の網膜上で結像させないと、厳密には、個々の使用者は、遠方視野にある視認対象物を明瞭に視認することができない。
【０００７】
しかしながら、特許文献１の電子眼鏡は、使用者毎に異なるレンズ面形状をした固体レンズの使用者側レンズ面に、液晶レンズを貼り合わせなければならない制約がある。しかも、この制約下において、特許文献１の電子眼鏡は、単に、液晶レンズを固体レンズに貼り合わせただけであり、実際には、液晶レンズも一定の厚みを有して曲面状に形成されるために、度数が処方された、形状の異なる固体レンズから出射される光線を、印加電圧が印加されない状態で、液晶レンズで屈折させることなく通過させるように、都度、液晶レンズ（レンズ形状、液晶分子の配向など）を構成することは、容易ではない場合があった（改良の余地があった）。このため、特許文献１の電子眼鏡は、電力の消費を押さえることができるが、個々の使用者に合ったレンズを比較的容易に構成することができないという課題があった。特許文献１の電子眼鏡は、遠方にある視認対象物を明瞭に視認できるように、固体レンズが構成されているのであって、必ずしも、視力の異なる使用者毎に、遠方にある視認対象物を明瞭に視認できるように、可変焦点レンズが構成されている訳ではない。
【０００８】
また、特許文献１の電子眼鏡は、固体レンズが設けられた眼鏡（あるいは眼鏡フレーム）に可変焦点レンズが設けられた眼鏡（あるいは眼鏡フレーム）を着脱自在、回動自在、後付け可能のいずれかに設けること、可変焦点レンズが設けられた眼鏡（あるいは眼鏡フレーム）に、固体レンズが設けられた眼鏡（あるいは眼鏡フレーム）を着脱自在、回動自在、後付け可能のいずれかに設けることができなかった。
【０００９】
【特許文献１】特開２００９−９８６４９号公報
【発明の開示】
【発明が解決しようとする課題】
【００１０】
本願発明は上記点に鑑み、レンズ（レンズ系）を構成する際に自由度が大きい視力矯正装置を提供することを目的とする。また、電力の消費を押さえることができ、かつ可変焦点レンズの生産性の高い視力矯正装置を提供することを目的とする。また、眼に屈折異常がある個々の使用者に合ったレンズを比較的容易に構成することができる視力矯正装置を提供することを他の目的とする。また、固体レンズが設けられた眼鏡（あるいは眼鏡フレーム）に可変焦点レンズが設けられた眼鏡（あるいは眼鏡フレーム）を着脱自在、回動自在、後付け可能のいずれかに設けること、可変焦点レンズが設けられた眼鏡（あるいは眼鏡フレーム）に、固体レンズが設けられた眼鏡（あるいは眼鏡フレーム）を着脱自在、回動自在、後付け可能のいずれかに設けるようにできることを他の目的とする。
【課題を解決するための手段】
【００１１】
本発明は、上記目的を達成するために、請求項１に記載の発明では、眼に屈折異常がある使用者の視力を矯正する視力矯正装置において；
視力矯正装置のレンズ構成が、
（１）左右一対の固体レンズ、固体レンズと別体に設けられる左右一対の可変焦点レンズの両レンズを備えており、可変焦点レンズが、固体レンズの前方側および後方側のうち、前方側に設けられており、可変焦点レンズを駆動する駆動体に所定の駆動量が印加される状態において、使用者が固体レンズ、可変焦点レンズを介して所定の視認対象物を視認した際に、使用者が所定の視認対象物を明瞭に視認できるように、固体レンズ、可変焦点レンズが構成される第１のレンズ構成；
（２）左右一対の固体レンズ、固体レンズと別体に設けられる左右一対の可変焦点レンズの両レンズを備えており、可変焦点レンズが、固体レンズの前方側および後方側のうち、前方側に設けられており、可変焦点レンズを駆動する駆動体に駆動量が印加されない状態において、使用者が固体レンズ、可変焦点レンズを介して所定の視認対象物を視認した際に、使用者が所定の視認対象物を明瞭に視認できるように、固体レンズ、可変焦点レンズが構成される第２のレンズ構成；
（３）左右一対の固体レンズ、固体レンズと別体に設けられる左右一対の可変焦点レンズの両レンズを備えており、固体レンズが、可変焦点レンズの前方側および後方側のうち、前方側に設けられており、可変焦点レンズを駆動する駆動体に所定の駆動量が印加される状態において、使用者が固体レンズ、可変焦点レンズを介して所定の視認対象物を視認した際に、使用者が所定の視認対象物を明瞭に視認できるように、固体レンズ、可変焦点レンズが構成される第３のレンズ構成；
（４）左右一対の固体レンズ、固体レンズと別体に設けられる左右一対の可変焦点レンズの両レンズを備えており、固体レンズが、可変焦点レンズの前方側および後方側のうち、前方側に設けられており、可変焦点レンズを駆動する駆動体に駆動量が印加されない状態において、使用者が固体レンズ、可変焦点レンズを介して所定の視認対象物を視認した際に、使用者が所定の視認対象物を明瞭に視認できるように、固体レンズ、可変焦点レンズが構成される第４のレンズ構成；
（５）左右一対の固体レンズ、左右一対の可変焦点レンズのうち、可変焦点レンズのみを備えており、可変焦点レンズを駆動する駆動体に駆動量が印加されない状態において、使用者が可変焦点レンズを介して所定の視認対象物を視認した際に、使用者が所定の視認対象物を明瞭に視認できるように、使用者の視力に応じて、可変焦点レンズが構成される第５のレンズ構成；
の５つのレンズ構成のうち、いずれか１つのレンズ構成であることを特長とする。
【００１２】
これによれば、レンズ構成が第１のレンズ構成乃至第４のレンズ構成である場合には、固体レンズと、可変焦点レンズとが、別体に設けられ、しかも、固体レンズと、可変焦点レンズとを貼り合わせなくともよいので、特許文献１の電子眼鏡のような制約条件の下で、固体レンズ、可変焦点レンズを構成する必要がない。このため、視力の異なる個々の使用者に対するレンズ構成上の自由度が各段に向上し、個々の使用者に合った固体レンズ、可変焦点レンズを比較的容易に構成することができる。その結果、眼に屈折異常がある使用者であっても、個々の使用者に合ったレンズを比較的容易に構成できる視力矯正装置を提供することができる。また、（可変焦点レンズのみを介して、所定の視認対象物を視認した際に、使用者の網膜上に所定の視認対象物の像を結像させることができない場合であっても、）固体レンズ、可変焦点レンズを介して視認することにより、使用者の網膜上に所定の視認対象物の像を結像させることができる視力矯正装置を提供することができる。
【００１３】
また、固体レンズと、可変焦点レンズとが、別体に設けられ、しかも、固体レンズと、可変焦点レンズとを貼り合わせなくともよいので、加工が容易になり、生産性も向上する。
【００１４】
また、レンズ構成が第５のレンズ構成である場合には、わざわざ、特許文献１の電子眼鏡のような制約条件で可変焦点レンズを構成する必要がなく、固体レンズと、可変焦点レンズとを別々に加工して、貼り合わせなくともよい。また、使用者の視力に応じて、可変焦点レンズが構成されるので、使用者が、眼に屈折異常がある使用者であっても、個々の使用者に合ったレンズを比較的容易に構成できる視力矯正装置を提供することができる。
【００１５】
また、この視力矯正装置は、レンズ構成が第２のレンズ構成、第４のレンズ構成、第５のレンズ構成のいずれかである場合、駆動体に駆動量が印加されない状態において、使用者が所定の視認対象物（所定の距離にある視認対象物、遠方にある視認対象物、近方にある視認対象物のうち、いずれか１つの視認対象物）を明瞭に視認することができるように構成される。このため、使用者が所定の視認対象物を頻繁に視認する場合、電力の消費を押さえることができる視力矯正装置を提供することができる。
【００１６】
また、請求項２に記載の発明のように、請求項１において、各レンズ構成において記載した所定の視認対象物が、所定の距離にある視認対象物、遠方にある視認対象物、近方にある視認対象物のうち、いずれか１つの視認対象物であってもよい。
【００１７】
因みに、一般的に、使用者は、自動車の運転、あるいは日常の生活において、遠方を視認することが多いので、遠方にある視認対象物を明瞭に視認できるようにすることが望ましい。特に、レンズ構成が第２のレンズ構成、第４のレンズ構成、第５のレンズ構成のいずれかであり、駆動体に駆動量が印加されない状態において、使用者が遠方にある視認対象物を明瞭に視認できるようにした場合、日常生活等において、一般的な使用方法をすると、電力の消費を押さえることができる。しかも、駆動体に駆動量が印加されない状態において、遠方にある視認対象物を明瞭に視認することができるので、自動車運転時等において、安全性に優れている。
【００１８】
請求項３に記載の発明では、請求項１または請求項２に記載された５つのレンズ構成のうち、レンズ構成が、第１のレンズ構成、第２のレンズ構成、第３のレンズ構成、第４のレンズ構成のいずれか１つのレンズ構成である視力矯正装置において；
使用者が所定の視認対象物を明瞭に視認できるように、使用者の視力および可変焦点レンズの度数に応じて、固体レンズの度数が構成されることを特長とする。
【００１９】
これによれば、使用者の視力および可変焦点レンズの度数に応じて、固体レンズの度数が構成されるために、可変焦点レンズの度数に関わりなく、使用者が所定の視認対象物を明瞭に視認することができるようになる。したがって、量産化された可変焦点レンズを用いても、使用者は、所定の視認対象物を明瞭に視認することができる。また、量産化された可変焦点レンズを用いることができるので、生産性に優れ、コストを低減することができる。また、汎用性も高い。
【００２０】
請求項４に記載の発明では、請求項１または請求項２に記載された５つのレンズ構成のうち、レンズ構成が、第５のレンズ構成である視力矯正装置において；
可変焦点レンズを駆動する駆動体に駆動量が印加されない状態において、使用者が可変焦点レンズを介して所定の視認対象物を視認した際に、使用者が所定の視認対象物を明瞭に視認できるように、使用者の視力に応じて、可変焦点レンズのレンズ面が加工されることを特長とする。
【００２１】
これによれば、視力の異なる使用者であっても、駆動体に駆動量が印加されない状態において、使用者毎に、所定の視認対象物を明瞭に視認することができる。しかも、量産化された可変焦点レンズを用いたとしても、使用者の視力に応じて、可変焦点レンズのレンズ面を加工すればよく、生産性が極めて向上する。
【００２２】
請求項５に記載の発明では、請求項１乃至請求項４のいずれか１つにおいて、左右の可変焦点レンズのうち、右側の可変焦点レンズを駆動する第１の駆動体と、
左右の可変焦点レンズのうち、左側の可変焦点レンズを駆動する第２の駆動体と、
第１の駆動体および第２の駆動体を制御する制御部と、
を備えており、
制御部が、第１の駆動体、第２の駆動体に対し、個別に駆動量を印加する機能を有しており、
使用者が、右眼毎、左眼毎に、所定の視認対象物を明瞭に視認できるように、制御部が、第１の駆動体、第２の駆動体に対し、個別に駆動量を印加することを特長とする。
【００２３】
これによれば、右の可変焦点レンズ毎、左の可変焦点レンズ毎に度数、焦点距離を変更できるので、左右の視力が異なる使用者であっても、使用者の左右視力に合った視力矯正装置を提供することができる。このため、左右の可変焦点レンズの焦点距離を一律に変化させる場合に比べて、さらに精緻な焦点距離合わせをすることができる。
【００２４】
請求項６に記載の発明では、請求項１乃至請求項５のいずれか１つに記載された視力矯正装置のうち、レンズ構成が、
（６）第１のレンズ構成、第２のレンズ構成の両レンズ構成のうち、いずれか１つのレンズ構成において、所定の視認対象物が所定の距離にある視認対象物である場合のレンズ構成であり、
さらに、固体レンズのみを介して、使用者が所定の距離にある視認対象物を視認した場合に、所定の距離にある視認対象物を明瞭に視認できるように、固体レンズが構成される第６のレンズ構成；
（７）第１のレンズ構成、第２のレンズ構成の両レンズ構成のうち、いずれか１つのレンズ構成において、所定の視認対象物が遠方にある視認対象物である場合のレンズ構成であり、
さらに、固体レンズのみを介して、使用者が遠方にある視認対象物を視認した場合に、遠方にある視認対象物を明瞭に視認できるように、固体レンズが構成される第７のレンズ構成；
（８）第１のレンズ構成、第２のレンズ構成の両レンズ構成のうち、いずれか１つのレンズ構成において、所定の視認対象物が近方にある視認対象物である場合のレンズ構成であり、
さらに、固体レンズのみを介して、使用者が近方にある視認対象物を視認した場合に、近方にある視認対象物を明瞭に視認できるように、固体レンズが構成される第８のレンズ構成；
（９）第１のレンズ構成、第２のレンズ構成の両レンズ構成のうち、いずれか１つのレンズ構成において、所定の視認対象物が遠方にある視認対象物である場合のレンズ構成であり、
さらに、固体レンズのみを介して、使用者が近方にある視認対象物を視認した場合に、近方にある視認対象物を明瞭に視認できるように、固体レンズが構成される第９のレンズ構成；
（１０）第１のレンズ構成、第２のレンズ構成の両レンズ構成のうち、いずれか１つのレンズ構成において、所定の視認対象物が近方にある視認対象物である場合のレンズ構成であり、
さらに、固体レンズのみを介して、使用者が遠方にある視認対象物を視認した場合に、遠方にある視認対象物を明瞭に視認できるように、固体レンズが構成される第１０のレンズ構成；
（１１）第３のレンズ構成、第４のレンズ構成の両レンズ構成のうち、いずれか１つのレンズ構成において、所定の視認対象物が遠方にある視認対象物である場合のレンズ構成であり、
さらに、可変焦点レンズのみを介して、使用者が近方にある視認対象物を視認した場合に、近方にある視認対象物を明瞭に視認できるように、可変焦点レンズが構成される第１１のレンズ構成；
（１２）第３のレンズ構成、第４のレンズ構成の両レンズ構成のうち、いずれか１つのレンズ構成において、所定の視認対象物が近方にある視認対象物である場合のレンズ構成であり、
さらに、可変焦点レンズのみを介して、使用者が遠方にある視認対象物を視認した場合に、遠方にある視認対象物を明瞭に視認できるように、可変焦点レンズが構成される第１２のレンズ構成；
の各レンズ構成のうち、いずれか１つのレンズ構成であることを特長とする。
【００２５】
これによれば、レンズ構成が第６のレンズ構成である場合には、固体レンズのみを介して、使用者が所定の距離にある視認対象物を視認した場合に、所定の距離にある視認対象物を明瞭に視認できる。また、レンズ構成が第７のレンズ構成である場合には、固体レンズのみを介して、使用者が遠方にある視認対象物を視認した場合に、遠方にある視認対象物を明瞭に視認できる。また、レンズ構成が第８のレンズ構成である場合には、固体レンズのみを介して、使用者が近方にある視認対象物を視認した場合に、近方にある視認対象物を明瞭に視認できる。この場合、可変焦点レンズを介さないで、視認対象物を明瞭に視認できるので、電力の消費を押さえることができる。
【００２６】
また、レンズ構成が第９のレンズ構成、第１１のレンズ構成のいずれかである場合、使用者は、固体レンズ、可変焦点レンズの両方を介して遠方にある視認対象物を明瞭に視認でき、固体レンズのみを介して近方にある視認対象物を明瞭に視認できる。また、レンズ構成が第１０のレンズ構成、第１２のレンズ構成のいずれかである場合、使用者は、固体レンズ、可変焦点レンズの両方を介して近方にある視認対象物を明瞭に視認でき、固体レンズのみを介して遠方にある視認対象物を明瞭に視認できる。つまり、固定レンズを介して視認対象物を視認する場合と、固定レンズ、可変焦点レンズを介して視認対象物を視認する場合とで、遠近の使い分けをすることができる。
【００２７】
請求項７に記載の発明では、請求項１乃至請求項６のいずれか１つに記載の視力矯正装置のうち、レンズ構成が第１のレンズ構成または第２のレンズ構成である視力矯正装置において；
固体レンズが、使用者の眼に装着するコンタクトレンズであることを特長とする。
【００２８】
これによれば、固体レンズが、使用者の眼に装着するコンタクトレンズであるので、固体レンズ、可変焦点レンズが眼鏡フレームに保持される場合と比べて、眼鏡フレームの構成を簡単にすることができる。
【００２９】
請求項８に記載の発明では、請求項１乃至請求項７のいずれか１つに記載されたレンズ構成のうち、所定の視認対象物が遠方にある視認対象物である場合のレンズ構成であり、
さらに、近方にある視認対象物を明瞭に視認する所定の操作を行う操作部を備えており、
使用者が近方にある視認対象物を明瞭に視認できる際に、駆動体に印加される駆動量を記憶する機能を有しており、
使用者が、操作部に対して、近方にある視認対象物を明瞭に視認する所定の操作をした場合に、記憶された駆動量が駆動体に印加されることを特長とする。
【００３０】
これによれば、所定の操作により、固体レンズ、可変焦点レンズを介して、遠方にある視認対象物を明瞭に視認できる状態から、近方にある視認対象物を明瞭に視認できる状態に切り換えることができる。
【００３１】
請求項９に記載の発明では、請求項１乃至請求項７のいずれか１つに記載されたレンズ構成のうち、所定の視認対象物が近方にある視認対象物である場合のレンズ構成であり、
さらに、遠方にある視認対象物を明瞭に視認する所定の操作を行う操作部を備えており、
使用者が遠方にある視認対象物を明瞭に視認できる際に、駆動体に印加される駆動量を記憶する機能を有しており、
使用者が、操作部に対して、遠方にある視認対象物を明瞭に視認する所定の操作をした場合に、記憶された駆動量が駆動体に印加されることを特長とする。
【００３２】
これによれば、所定の操作により、固体レンズ、可変焦点レンズを介して、近方にある視認対象物を明瞭に視認できる状態から、遠方にある視認対象物を明瞭に視認できる状態に切り換えることができる。
【００３３】
請求項１０に記載の発明では、請求項１乃至請求項９のいずれか１つの視力矯正装置が、所定の視認対象物までの距離を測定する距離測定手段を備えており、
距離測定手段が、所定の視認対象物までの距離を測定し、
測定された距離が第１の距離を含む第１の範囲内にある場合には、事前に記憶された、第１の距離にある視認対象物を明瞭に視認できる駆動量が駆動体に印加され、
測定された距離が第２の距離を含む第２の範囲内にある場合には、事前に記憶された、第２の距離にある視認対象物を明瞭に視認できる駆動量が駆動体に印加されることを特長とする。
【００３４】
これによれば、自動的に駆動量が切り換えられる場合でも、視認対象物までの距離が変わる毎に、都度、駆動量が切り換えられることがないので、目が疲れない。
【００３５】
請求項１１に記載の発明では、請求項５において、可変焦点レンズの焦点距離を連続的に変化させる所定の操作を行うスイッチを備えており、
スイッチの押圧時間、押圧時間に相関する一定の変化量のうち、いずれかの変化量に応じて変化する、個々の使用者が視認対象物を明瞭に視認できる視認駆動量を決定する機能を有しており、
使用者が、スイッチに対し、所定の操作をした場合には、視認駆動量が第１の駆動体および第２の駆動体に、同時に印加されることを特長とする。
【００３６】
これによれば、スイッチに対し、連続的に可変焦点レンズの焦点距離を変化させる所定の操作をした場合、駆動体に印加する駆動量が、同時に、視認駆動量となる状態を維持しながら、焦点距離を変化させることができる。視認駆動量は、可変焦点レンズの焦点距離が連続して変化する際に、使用者が、個々に、視認対象物を明瞭に視認できる駆動量であるから、駆動体に印加する駆動量を、同時に、視認駆動量となるようにすると、左右同時に、視認対象物を明瞭に視認できるようにすることができる。
【００３７】
このため、左右の可変焦点レンズの焦点距離が、所定の視認対象物を明瞭に視認できる焦点距離に達したところで、使用者は、左右同時に、所定の視認対象物を明瞭に視認することができる。
【００３８】
その結果、使用者が、可変焦点レンズの焦点距離を連続的に変化させて、視認対象物を視認しようとした場合に、使用者毎に、左右同時に、視認対象物を明瞭に視認できるようにすること（視認対象物の像を使用者の左右の網膜に、同時に結像させること、使用者の左右の網膜に、同時にピントを合わせること）ができる視力矯正装置を提供することができる。
【００３９】
請求項１２に記載の発明では、請求項１乃至請求項６および請求項８乃至請求項１１に記載の視力矯正装置のうち、
（ａ）レンズ構成が第１のレンズ構成または第２のレンズ構成である視力矯正装置において；
固体レンズが第１の眼鏡に保持されており、
可変焦点レンズが第２の眼鏡に保持されており、
第２の眼鏡が、第１の眼鏡に着脱自在、回動自在、後付け可能のいずれかに設けられる第１のレンズ保持構成；
（ｂ）レンズ構成が第１のレンズ構成または第２のレンズ構成である視力矯正装置において；
固体レンズ、可変焦点レンズが１つの眼鏡フレームに保持される第２のレンズ保持構成；
（ｃ）レンズ構成が第３のレンズ構成または第４のレンズ構成である視力矯正装置において；
可変焦点レンズが第１の眼鏡に保持されており、
固体レンズが第２の眼鏡に保持されており、
第２の眼鏡が、第１の眼鏡に着脱自在、回動自在、後付け可能のいずれかに設けられる第３のレンズ保持構成；
（ｄ）レンズ構成が第３のレンズ構成または第４のレンズ構成である視力矯正装置において；
固体レンズ、可変焦点レンズが１つの眼鏡フレームに保持される第４のレンズ保持構成；
の４つのレンズ保持構成のうち、いずれか１つのレンズ保持構成であることを特長とする。
【００４０】
これによれば、レンズ保持構成が、第１のレンズ保持構成である場合には、第２の眼鏡を第１の眼鏡から脱着させ、あるいは第２の眼鏡を第１の眼鏡に対して回動させることによって、第１の眼鏡に保持された固体レンズのみを介して、視認対象物を視認することができる。また、可変焦点レンズが保持された第２の眼鏡を、固体レンズが保持された第１の眼鏡に後付けすることができる。
【００４１】
また、レンズ保持構成が、第３のレンズ保持構成である場合には、第２の眼鏡を第１の眼鏡から脱着させ、あるいは第２の眼鏡を第１の眼鏡に対して回動させることによって、第１の眼鏡に保持された可変焦点レンズのみを介して、視認対象物を視認することができる。また、固体レンズが保持された第２の眼鏡を、可変焦点レンズが保持された第１の眼鏡に後付けすることができる。また、レンズ保持構成が、第２のレンズ保持構成、第４のレンズ保持構成であってもよい。
【００４２】
請求項１３に記載の発明のように、請求項１乃至請求項１２のいずれか１つにおいて、可変焦点レンズが、
内部に封入された液晶分子の配向が変更されることにより、焦点距離が変更される液晶式可変焦点レンズ；
内部に充填された液体の充填量が変更されることにより、焦点距離が変更される液体式可変焦点レンズ；
レンズとして機能する柔軟な透明部材を備え、透明部材に外力が与えられることにより、透明部材が変形されて、焦点距離が変更される外力式可変焦点レンズ；
の３つの可変焦点レンズのうち、いずれか１つの可変焦点レンズであってもよい。
【００４３】
なお、可変焦点レンズが液晶式可変焦点レンズであり、レンズ構成が請求項１に記載された（２）のレンズ構成をしており、所定の視認対象物が遠方にある視認対象物である場合、遠方にある視認対象物を明瞭に視認できるように液晶を配置することが容易であり、特許文献１の電子眼鏡のような構成に比べて、可変焦点レンズを容易に構成することができる利点がある。
【図面の簡単な説明】
【００４４】
【図１】第１の実施形態乃至第３の実施形態、第１３の実施形態乃至第１６の実施形態、第２５の実施形態、第２６の実施形態による視力矯正装置の平面図である。
【図２】第１の実施形態乃至第３の実施形態、第１３の実施形態乃至第１６の実施形態、第２５の実施形態、第２６の実施形態による第１の眼鏡の平面図である。
【図３】第１の実施形態乃至第３の実施形態、第１３の実施形態乃至第１６の実施形態、第２５の実施形態、第２６の実施形態による第２の眼鏡の平面図である。
【図４】図３のＡ方向から見た第２の眼鏡の正面図である。
【図５】第１の実施形態乃至第２７の実施形態による可変焦点眼鏡のブロック図である。
【図６】第１の実施形態乃至第３の実施形態、第１３の実施形態乃至第１６の実施形態による光学系の説明図である。
【図７】第４の実施形態乃至第６の実施形態、第１７の実施形態乃至第２０の実施形態による視力矯正装置の平面図である。
【図８】図７のＡ方向から見た視力矯正装置の正面図である。
【図９】第４の実施形態乃至第６の実施形態、第１７の実施形態乃至第２０の実施形態による光学系の説明図である。
【図１０】第７の実施形態乃至第９の実施形態、第２１の実施形態乃至第２４の実施形態による視力矯正装置の平面図である。
【図１１】第７の実施形態乃至第９の実施形態、第２１の実施形態乃至第２４の実施形態による光学系の説明図である。
【図１２】第１０の実施形態乃至第１２の実施形態による視力矯正装置の平面図である。
【図１３】図１２のＡ方向から見た視力矯正装置の正面図である。
【図１４】第１０の実施形態乃至第１２の実施形態による光学系の説明図である。
【図１５】第２６の実施形態による関数の説明図である。
【図１６】第２６の実施形態による関数の参考図である。
【図１７】第２７の実施形態による視力矯正装置の平面図である。
【図１８】その他の実施形態の一例であり、可変焦点眼鏡のブロック図である。
【発明を実施するための最良の形態】
【００４５】
最初に、以下の説明において、適宜、引用する視認対象物ＯＢ１、ＯＢ２、ＯＢ３について、図１を参照して、説明する。視認対象物ＯＢ１は、近方（例えば、視力矯正装置１１から視認対象物ＯＢ１までの距離Ｌ１＝３０ｃｍ、５０ｃｍなど）にある視認対象物である。視認対象物ＯＢ２は、遠方（例えば、無限遠、例えば、視力矯正装置１１から視認対象物ＯＢ２までの距離Ｌ２＝１０ｍ、５ｍなど）にある視認対象物である。なお、近方、遠方は、上記例に関わりなく、近方を一般的な近用眼鏡（老眼鏡）と同程度に視認対象物を視認できる距離としてもよいし、遠方を固体レンズによる一般的な遠用眼鏡と同程度に視認対象物を視認できる距離としてもよい。また、相対的な位置関係で決定されてもよい。視認対象物ＯＢ３は、所定の距離にある視認対象物である。所定の距離は、視力矯正装置から視認対象物ＯＢ３までの距離であってよいし、使用者から視認対象物ＯＢ３までの距離であってもよい。なお、本願発明では、所定の距離が視力矯正装置から視認対象物ＯＢ３までの距離であるものとして、説明する。上述した距離Ｌ１は、一例として、手元の本の活字が読める程度の距離を想定している。所定の距離Ｌ３は、上述した距離Ｌ１、距離Ｌ２であってもよい。
【００４６】
また、本願発明の駆動体は、所定の制御装置、制御部等によって制御され、可変焦点レンズを駆動する。上述した所定の制御装置、制御部等は、駆動体を制御（駆動制御）し、可変焦点レンズの焦点距離、あるいは度数を制御する。駆動体は、可変焦点レンズに内蔵されていてもよく、外部に設けられていてもよい。後述する電極は、本願発明の駆動体の一例を構成するものであり、可変焦点レンズに内蔵されている。また、一般的な液体式の可変焦点眼鏡では、可変焦点レンズに液体を出し入れするためのモータ、ポンプなどが駆動体に該当し、通常、可変焦点レンズの外部に設けられる。上述した液体式の可変焦点眼鏡における駆動体には、可変焦点レンズに液体を出し入れするために必要な一定の可動部を含んでいてもよい。また、外力式の可変焦点眼鏡では、可変焦点レンズに外力を与えるアクチュエータなどが駆動体に該当する。本願発明の駆動量は、駆動体を制御するための物理量、あるいは駆動体に印加される物理量である。後述する印加電圧は、本願発明の駆動量の一例を構成する。
【００４７】
また、以下の説明では、固体レンズ、可変焦点レンズを併せて使用する視力矯正装置を、適宜、複レンズ式の視力矯正装置と称するものとする。また、固体レンズ、可変焦点レンズの両レンズからなる光学系のうち、可変焦点レンズが、固体レンズの前方側および後方側のうち、前方側に設けられる構成を第１の光学系を称するものとする。また、固体レンズ、可変焦点レンズの両レンズからなる光学系のうち、固体レンズが、可変焦点レンズの前方側および後方側のうち、前方側に設けられる構成を第２の光学系を称するものとする。また、固体レンズ、可変焦点レンズのうち、可変焦点レンズからなり、駆動体に駆動量が印加されていない状態において、可変焦点レンズを介して眼に屈折異常がある使用者が所定の距離にある視認対象物を視認した際に、使用者が所定の視認対象物（所定の距離にある視認対象物、遠方にある視認対象物、近方にある視認対象物のいずれか）を明瞭に視認できる光学系を第３の光学系を称するものとする。
【００４８】
（第１の実施形態）
視力矯正装置１１の基本構成について、説明する。図１は、視力矯正装置の平面図、図２は、第１の眼鏡の平面図、図３は、第２の眼鏡の平面図、図４は、図３のＡ方向から見た第２の眼鏡の正面図、図５は、視力矯正装置のブロック図、図６は、光学系の説明図である。視力矯正装置１１は、図１に示すように、第１の眼鏡１３、第２の眼鏡１５を備えている。
【００４９】
最初に、第１の眼鏡１３について説明する。第１の眼鏡１３は、図２に示すように、左右一対の固体レンズ１７（１７Ｒ、１７Ｌ）、眼鏡フレーム１９を備えている。眼鏡フレーム１９には、第１の眼鏡１３の前面部分を構成し、左右一対の固体レンズ１７を保持するフロント２１、フロント２１に連なるテンプル２３、磁石２５が設けられている。眼鏡フレーム１９は、本願発明の第１の眼鏡フレームの一例を構成する。
【００５０】
第２の眼鏡１５について説明する。第２の眼鏡１５は、図３、図４に示すように、左右一対の可変焦点レンズ２７（２７Ｒ、２７Ｌ）、眼鏡フレーム２９を備えている。眼鏡フレーム２９は、第２の眼鏡１５の前面部分を構成し、左右一対の可変焦点レンズ２７を保持するフロント３１、柔軟な連結部３３、操作盤３５（操作盤３５Ｒ、３５Ｌ）が設けられている。眼鏡フレーム２９は、本願発明の第２の眼鏡フレームの一例を構成する。
【００５１】
第２の眼鏡１５のフロント３１には、磁石３７が設けられており、磁石３７を眼鏡フレーム１９の磁石２５に吸着させることで、第２の眼鏡１５が第１の眼鏡１３に装着されるように構成されている。第２の眼鏡１５が第１の眼鏡１３に装着されることで、第２の眼鏡１５が、第１の眼鏡１３の前方側（視認対象物側）、後方側（使用者側）のうち、前方側（視認対象物側）に配置され、可変焦点レンズ２７が、固体レンズ１７の前方側（視認対象物側）に、相対するように配置される。上述した可変焦点レンズ２７、固体レンズ１７は、第１の光学系の一例を構成する。第２の眼鏡１５は、磁石２５、磁石３７により、第１の眼鏡１３に対して、着脱自在に設けられる（第１のレンズ保持構成）。なお、可変焦点レンズ２７が保持された第２の眼鏡１５を、固体レンズ１７が保持された第１の眼鏡１３に後付けするようにしてもよい。上述した磁石２５、磁石３７は、着脱手段の一例を構成する。
【００５２】
なお、着脱手段は、第２の眼鏡１５が、第１の眼鏡１３に対して、着脱自在に設けられるものであれば、特に、磁石に限定されるものではない。例えば、第１の眼鏡１３、第２の眼鏡１５のうち、いずれか一方に他方を把持する把持機構あるいは係止手段を設けることで、着脱自在に構成してもよい。把持機構は、第１の眼鏡１３、第２の眼鏡１５の両眼鏡と別体に設けられてもよい。この場合、着脱手段は、第１の眼鏡１３、第２の眼鏡１５の両方を把持する。なお、把持機構あるいは係止手段を用い、一般的な度付き眼鏡に第２の眼鏡１５（可変焦点眼鏡）を後付けしてもよい。また、所謂、アルバイトフレームのように、第２の眼鏡１５を跳ね上げる（回動させる）ことにより、第１の眼鏡１３のみ（つまり、固体レンズ１７のみ）で視認対象物を視認できるようにしてもよい。この場合、第２の眼鏡１５が、第１の眼鏡１３に対して、着脱自在に設けられてもよく、第１の眼鏡１３と第２の眼鏡１５とが、連結されていてもよい。（第１のレンズ保持構成）
【００５３】
上記構成によれば、第２の眼鏡１５を介さずに、第１の眼鏡１３のみを介して、視認対象物を視認することができるようになる。（ここまで、視力矯正装置１１の基本構成の説明）
【００５４】
操作盤３５について、説明する。上述した操作盤３５Ｒには、制御ブロック３９に電力を供給する電力供給部４１が設けられている。電力供給部４１は、一次電池の他、二次電池が用いられてもよい。電力供給部４１から供給される電力は、制御ブロック３９に送電される。電力供給部４１は、電源の一例を構成する。
【００５５】
また、操作盤３５Ｌには、可変焦点レンズ２７の焦点距離を制御する制御ブロック３９が設けられている。制御ブロック３９は、図５に示すように、レンズ駆動回路４３（電極４７Ｒに印加電圧を印加するレンズ駆動回路４３Ｒ、電極４７Ｌに印加電圧を印加するレンズ駆動回路４３Ｌ）と、レンズ駆動回路４３を含め、視力矯正装置１１全体を制御する制御部４５が設けられている。また、操作盤３５Ｒ、３５Ｌには、操作部７５が設けられている。（ここまで、操作盤３５の説明）
【００５６】
可変焦点レンズ２７の基本構成について、説明する。可変焦点レンズ２７は、液晶４９に印加される印加電圧に応じて液晶分子の方向が変化することを利用して屈折率を変化させ、度数、焦点距離を変更することができるレンズであり、図６に示すように、使用者側から視認対象物側に向かって、前面レンズ２７ａ、第１の電極４７ａ、第１の絶縁パターン５１、第１の配向膜５３、液晶４９、第２の配向膜５５、第２の絶縁パターン５７、第２の電極４７ｂ、後面レンズ２７ｂが順次、配置される。可変焦点レンズ２７は、固体レンズ１７と別体に設けられる。なお、可変焦点レンズ２７の構成、電極の構成は、上述した例に限定されるものではない。周知のように、種々の可変焦点レンズが公開されており、適宜、液晶の性質、用途などに応じて、使い分けるものとする。なお、以下の説明では、可変焦点レンズ２７Ｒに設けられる電極４７を電極４７Ｒと称し、可変焦点レンズ２７Ｌに設けられる電極４７を電極４７Ｌと称するものとする。上述した電極４７Ｒは、本願発明の第１の駆動体を構成する。また、電極４７Ｌは、本願発明の第２の駆動体を構成する。（ここまで、可変焦点レンズ２７の基本構成の説明）
【００５７】
レンズ駆動回路４３について説明する。レンズ駆動回路４３は、図５に示すように、駆動制御回路５９、ドライバ６１、６３、可変抵抗回路６５を備えており、可変焦点レンズ２７の電極４７に所定の印加電圧を印加する電圧印加手段、可変焦点レンズ２７を駆動する駆動手段として機能する。このレンズ駆動回路４３は、可変焦点レンズ２７Ｒの電極４７Ｒ、可変焦点レンズ２７Ｌの電極４７Ｌに、個別に印加電圧を印加して、可変焦点レンズ２７Ｒ、２７Ｌ毎に、度数、焦点距離を個別に制御（変更）することができるよう構成されており、左右の可変焦点レンズ２７Ｒ、２７Ｌの焦点距離を一律に変化させる場合に比べて、より精緻な焦点距離合わせをすることができる。なお、電極４７Ｒ、４７Ｌに、同一の印加電圧を印加することもできる。ドライバ６１の下流側には、印加電圧を可変する可変抵抗回路６５が設けられており、電極４７に印加する印加電圧を連続的に変化させることができる。なお、上述した「連続的に変化させる」概念には、「段階的に変化させる」概念を含んでいてもよい。（ここまで、レンズ駆動回路４３の説明）
【００５８】
制御部４５について、説明する。制御部４５は、図５に示すように、ＣＰＵ６７、記憶部６９、所定のインターフェース７１を備えている。記憶部６９は、制御プログラム、実行プログラムの一時記憶領域として、種々のフラグ、変数の値などを記憶する機能を有する。また、可変焦点レンズ２７の電極４７に印加する印加電圧を決定し、レンズ駆動回路４３を制御する制御プログラム、後述するスイッチの操作により入力される信号を判定して各種制御を実行する実行プログラム、初期データなどが記憶されている。
【００５９】
また、上述した記憶部６９は、視認対象物を使用者が視認し、視認した視認対象物を明瞭に視認できる際の、電極４７に対する印加電圧を記憶する機能を有している。上述した印加電圧は、使用者が、後述する教示手段によって、教示することができる。使用者が教示を行うことによって、印加電圧が記憶部６９（制御部４５、広くは、視力矯正装置１１）に記憶される。なお、上述した制御ブロック３９の外部に記憶部（例えば、図５の記憶部７３）を設けてもよい。（ここまで、制御部４５の説明）
【００６０】
操作部７５について説明する。右側の操作盤３５Ｒ、左側の操作盤３５Ｌには、操作部７５が設けられている。操作部７５のうち、右側の操作盤３５Ｒには、電源をオン、オフする電源スイッチ７７、タッチセンサ７９、教示ボタン８１が設けられている。また、操作部７５のうち、左側の操作盤３５Ｌには、モード切換ボタン８３、タッチセンサ８５、登録ボタン８７が設けられている。上述した記憶部６９、タッチセンサ７９、教示ボタン８１、タッチセンサ８５、登録ボタン８７は、教示手段の一例を構成する。
【００６１】
タッチセンサ７９、タッチセンサ８５に触れると、制御部４５に所定の信号が入力される。タッチセンサ７９、タッチセンサ８５は、本願発明のスイッチの一例を構成する。スイッチは、上述したタッチセンサの他に、押ボタンスイッチ、近接スイッチなど、他のスイッチ、押ボタンであってもよい。
【００６２】
モード切換ボタン８３は、モードの切り替えを行う。上述したモード切換ボタン８３を押すと、視点切り替えモード、一定モード、任意モード、教示モードを切り換えることができる。（ここまで、操作部７５の説明）
【００６３】
モードについて、説明する。視点切り替えモードとは、異なる距離にある複数の視認対象物に対し、個別に焦点距離を切り替えるモードであり、使用者が明瞭に視認対象物を視認できるように、電極４７に印加する印加電圧を制御して、可変焦点レンズ２７の焦点距離を変化させるモードである。一定モードとは、自動車を運転するときのように、焦点距離が変化しては不都合を生じる場合に、焦点距離を一定にするモードである。任意モードとは、任意の位置にある視認対象物に対して、都度、使用者が明瞭に視認対象物を視認できるように、手動制御によって、焦点距離を変化させるモードである。（ここまで、モードの説明）
【００６４】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７、可変焦点レンズ２７が構成されるレンズ構成（以下、レンズ構成Ｃ１１と称するものとする）。
（２）電極４７Ｒ、４７Ｌに印加電圧が印加されない状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７、可変焦点レンズ２７が構成されるレンズ構成（以下、レンズ構成Ｃ１２と称するものとする）。
【００６５】
なお、レンズ構成がＣ１１である場合において、固体レンズ１７Ｒ、１７Ｌは、使用者毎に、所定の距離Ｌ３にある視認対象物ＯＢ３を明瞭に視認できるように処方された度入りレンズになるように構成されてもよい（レンズ構成Ｃ１１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者が固体レンズ１７、可変焦点レンズ２７を介して所定の距離Ｌ３にある視認対象物ＯＢ３を視認した場合
（ｂ）使用者が固体レンズ１７のみを介して所定の距離Ｌ３にある視認対象物ＯＢ３を視認した場合
のいずれにおいても、所定の距離Ｌ３にある視認対象物ＯＢ３を明瞭に視認することができる。因みに、固体レンズ１７Ｒ、１７Ｌを、所定の距離Ｌ３にある視認対象物ＯＢ３を明瞭に視認できるように処方された、度入りレンズになるように構成し、電極４７に所定の印加電圧が印加される状態において、固体レンズ１７、可変焦点レンズ２７を介して視認対象物ＯＢ３を視認した際に、視認対象物ＯＢ３を明瞭に視認できるように、可変焦点レンズ２７を構成してもよい。
【００６６】
また、レンズ構成がＣ１２である場合において、固体レンズ１７Ｒ、１７Ｌは、使用者毎に、所定の距離Ｌ３にある視認対象物ＯＢ３を明瞭に視認できるように処方された度入りレンズになるように構成されてもよい（レンズ構成Ｃ１２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者が固体レンズ１７、可変焦点レンズ２７を介して所定の距離Ｌ３にある視認対象物ＯＢ３を視認した場合
（ｄ）使用者が固体レンズ１７のみを介して所定の距離Ｌ３にある視認対象物ＯＢ３を視認した場合
のいずれにおいても、所定の距離Ｌ３にある視認対象物ＯＢ３を明瞭に視認することができる。因みに、固体レンズ１７Ｒ、１７Ｌを、所定の距離Ｌ３にある視認対象物ＯＢ３を明瞭に視認できるように処方された、度入りレンズになるように構成し、電極４７に印加電圧が印加されない状態において、固体レンズ１７、可変焦点レンズ２７を介して視認対象物ＯＢ３を視認した際に、視認対象物ＯＢ３を明瞭に視認できるように、可変焦点レンズ２７を構成してもよい。
【００６７】
上述したレンズ構成Ｃ１１、Ｃ１１ａは、本願発明の第１のレンズ構成の一例を構成する。上述したレンズ構成Ｃ１２、Ｃ１２ａは、本願発明の第２のレンズ構成の一例を構成する。上述したレンズ構成Ｃ１１ａ、Ｃ１２ａは、本願発明の第６のレンズ構成の一例を構成する。固体レンズ１７Ｒ、１７Ｌは、非球面レンズであってもよい。
【００６８】
レンズ構成がＣ１１である場合、上述したように、所定の距離Ｌ３にある視認対象物ＯＢ３を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ１１である場合、左右の可変焦点レンズ２７Ｒ、２７Ｌが同じ性能を有する可変焦点レンズであり、所定の距離Ｌ３にある視認対象物ＯＢ３を明瞭に視認する際、所定の印加電圧Ｖ３が、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲ３が印可され、電極４７Ｌには、印加電圧ＶＬ３が印可されるものとする。印加電圧Ｖ３、ＶＲ３、ＶＬ３は、製造段階で設定（決定）されるが、製品完成後に、使用者が、固体レンズ１７、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。
【００６９】
また、レンズ構成がＣ１２である場合、所定の距離Ｌ３にある視認対象物ＯＢ３を視認する際に、電極４７Ｒ、４７Ｌに印加される印加電圧は、０であるが、製品完成後に、使用者が、固体レンズ１７、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。（ここまで、レンズ構成の説明）
【００７０】
視力矯正装置１１のレンズ構成を、上述したレンズ構成にするには、以下に説明する固体レンズ１７の度数決定方法（あるいは焦点距離決定方法）により、固体レンズ１７の度数（あるいは焦点距離）を決定する。
【００７１】
固体レンズ１７（１７Ｒ、１７Ｌ）の度数決定方法（焦点距離決定方法）について、説明する。ただし、
（１）ＤＦＲ：右側の可変焦点レンズ２７Ｒの度数
（２）ＤＳＲ：右側の固体レンズ１７Ｒの度数
（３）ＤＥＲ：使用者の右眼の度数
（４）ＤＦＬ：左側の可変焦点レンズ２７Ｌの度数
（５）ＤＳＬ：左側の固体レンズ１７Ｌの度数
（６）ＤＥＬ：使用者の左眼の度数
（７）ＦＦＲ：右側の可変焦点レンズ２７Ｒの焦点距離
（８）ＦＳＲ：右側の固体レンズ１７Ｒの焦点距離
（９）ＦＥＲ：使用者の右眼の焦点距離
（１０）ＦＦＬ：左側の可変焦点レンズ２７Ｌの焦点距離
（１１）ＦＳＬ：左側の固体レンズ１７Ｌの焦点距離
（１２）ＦＥＬ：使用者の左眼の焦点距離
であるものとする。
【００７２】
（ａ）レンズ構成がＣ１１である場合、固体レンズ１７Ｒの度数ＤＳＲ（焦点距離ＦＳＲ）は、電極４７Ｒに所定の印加電圧Ｖ３が印加される状態において、使用者が固体レンズ１７Ｒ、可変焦点レンズ２７Ｒを介して、右眼で所定の距離Ｌ３にある視認対象物ＯＢ３を視認した際に、使用者が視認対象物ＯＢ３を明瞭に視認できるように決定（あるいは設計、選定）され、加工され、構成される。また、固体レンズ１７Ｌの度数ＤＳＬ（焦点距離ＦＳＬ）は、電極４７Ｌに所定の印加電圧Ｖ３が印加される状態において、使用者が固体レンズ１７Ｌ、可変焦点レンズ２７Ｌを介して、左眼で所定の距離Ｌ３にある視認対象物ＯＢ３を視認した際に、使用者が視認対象物ＯＢ３を明瞭に視認できるように決定（あるいは設計、選定）され、加工され、構成される。
（ｂ）レンズ構成がＣ１２である場合、固体レンズ１７Ｒの度数ＤＳＲ（焦点距離ＦＳＲ）は、電極４７Ｒに印加電圧が印加されない状態において、使用者が固体レンズ１７Ｒ、可変焦点レンズ２７Ｒを介して、右眼で所定の距離Ｌ３にある視認対象物ＯＢ３を視認した際に、使用者が視認対象物ＯＢ３を明瞭に視認できるように決定（あるいは設計、選定）され、加工され、構成される。また、固体レンズ１７Ｌの度数ＤＳＬ（焦点距離ＦＳＬ）は、電極４７Ｌに印加電圧が印加されない状態において、使用者が固体レンズ１７Ｌ、可変焦点レンズ２７Ｌを介して、左眼で所定の距離Ｌ３にある視認対象物ＯＢ３を視認した際に、使用者が視認対象物ＯＢ３を明瞭に視認できるように決定（あるいは設計、選定）され、加工され、構成される。
【００７３】
つまり、固体レンズ１７Ｒの度数ＤＳＲ（焦点距離ＦＳＲ）は、可変焦点レンズ２７Ｒの度数ＤＦＲ（焦点距離ＦＦＲ）に合わせて、決定（あるいは設計、選定）され、加工され、構成される。また、固体レンズ１７Ｌの度数ＤＳＬ（焦点距離ＦＳＬ）は、可変焦点レンズ２７Ｌの度数ＤＦＬ（焦点距離ＦＦＬ）に合わせて、決定（あるいは設計、選定）され、加工され、構成される。
【００７４】
なお、眼を含めた広い概念で説明すると、固体レンズ１７Ｒの度数ＤＳＲ（焦点距離ＦＳＲ）は、使用者の右眼の度数ＤＥＲ（焦点距離ＦＥＲ）、可変焦点レンズ２７Ｒの度数ＤＦＲ（焦点距離ＦＦＲ）に合わせて、決定（あるいは設計、選定）され、加工され、構成される。また、固体レンズ１７Ｌの度数ＤＳＬ（焦点距離ＦＳＬ）は、使用者の左眼の度数ＤＥＬ（焦点距離ＦＥＬ）、可変焦点レンズ２７Ｌの度数ＤＦＬ（焦点距離ＦＦＬ）に合わせて、決定（あるいは設計、選定）され、加工され、構成される。
【００７５】
固体レンズ１７Ｒの度数ＤＳＲ（焦点距離ＦＳＲ）、固体レンズ１７Ｌの度数ＤＳＬ（焦点距離ＦＳＬ）は、検査によって、決定される。最初に、自動視力測定用装置により、眼の屈折異常（近視、遠視、乱視）の度合いを右眼、左眼毎に検査する。次に、検眼機等により、使用者の眼の度数（度数、乱視度数、乱視の方向）が右眼、左眼毎に測定される。次に、仮枠の眼鏡で、検査用視認対象物を視認し、使用者が検査用視認対象物を明瞭に視認できる際の検査用固体レンズの度数が右眼、左眼毎に決定され、固体レンズ１７Ｒの度数ＤＳＲ（焦点距離ＦＳＲ）、固体レンズ１７Ｌの度数ＤＳＬ（焦点距離ＦＳＬ）が決定される（なお、乱視がある場合には、乱視度数、乱視の方向も反映される）。使用者が両眼で検査用視認対象物を視認し、使用者が検査用視認対象物を明瞭に視認できるか否かを確認して、問題がなければ、決定された度数に基づいて製造工程に移行する。
【００７６】
上述した仮枠の眼鏡について、説明する。仮枠の眼鏡のうち、前方側（視認対象物側）には、可変焦点レンズ２７と同等性能の検査用可変焦点レンズが保持され、後方側（使用者側）には、検査用固体レンズが交換自在に保持され、さらに乱視検査用レンズを保持できるように構成されている。なお、検査用視認対象物までの距離は、視認対象物ＯＢ３までの距離（Ｌ３）と同じにすることが望ましい。
【００７７】
レンズ構成をＣ１１にする場合、検査用可変焦点レンズの電極には、所定の印加電圧Ｖ３が印加される。また、レンズ構成をＣ１２にする場合、検査用可変焦点レンズの電極には印加電圧が印加されない。そして、検査用視認対象物までの距離を、視認対象物ＯＢ３までの距離（Ｌ３）と同じようにすることで、実際に、所定の距離Ｌ３にある視認対象物ＯＢ３を明瞭に視認できる状態を再現することができる。（ここまで固体レンズ１７の度数決定方法（焦点距離決定方法）の説明）
【００７８】
製造工程（固体レンズ１７のレンズ形状を決定した後の製造工程）について、一例を説明する。度数が決定されると、使用者が希望する眼鏡フレームの形状等から、固体レンズ１７、可変焦点レンズ２７のレンズ形状が決定（あるいは設計、選定）される。固体レンズ１７については、乱視がある場合、乱視度数、乱視の方向も反映されて、決定される。そして、決定されたレンズ形状となるように、固体レンズ１７の外周部およびレンズ面（１７ａ、１７ｂ）が加工される。つまり、固体レンズ１７は、可変焦点レンズ２７の度数に合わせて加工される（より広い概念では、固体レンズ１７は、使用者の視力、可変焦点レンズ２７の度数に合わせて加工される）。次に、加工された固体レンズ１７、可変焦点レンズ２７を含む、視力矯正装置１１の構成部品が組み立てられる。制御プログラムは、所定の段階で組み込まれる。なお、上述した製造工程は、全行程から抜粋したものである。
【００７９】
上述した製造工程により、レンズ構成がＣ１１である場合では、電極４７Ｒ、４７Ｌに所定の印加電圧Ｖ３が印加される状態において、また、レンズ構成がＣ１２である場合では、電極４７Ｒ、４７Ｌに印加電圧が印加されない状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、可変焦点レンズ２７の度数に合わせて、固体レンズ１７が構成される（より広い概念では、固体レンズ１７は、使用者の視力、可変焦点レンズ２７の度数に合わせて構成される）。（ここまで製造工程の説明）
【００８０】
次に、可変焦点レンズ２７の作動について、説明する。レンズ構成がＣ１１である場合、電極４７Ｒ、４７Ｌに所定の印加電圧Ｖ３が印加されると、使用者が、固体レンズ１７、可変焦点レンズ２７を介して、視認対象物ＯＢ３を明瞭に視認できるように、可変焦点レンズ２７Ｒ、２７Ｌの液晶分子の楕円長軸が配向される。
【００８１】
また、レンズ構成がＣ１２である場合、電極４７Ｒ、４７Ｌに印加電圧が印加されない状態では、使用者が、固体レンズ１７、可変焦点レンズ２７を介して、視認対象物ＯＢ３を明瞭に視認できるように、可変焦点レンズ２７Ｒ、２７Ｌの液晶分子の楕円長軸が配向される。（ここまで、可変焦点レンズ２７の作動の説明）
【００８２】
ここで、電極４７Ｒ、４７Ｌに印加する印加電圧を教示する教示方法について、説明する。なお、使用者が所定の距離Ｌ３にある視認対象物ＯＢ３を明瞭に視認する際、電極４７Ｒ、４７Ｌに対して同じ印加電圧Ｖ３を印可するように構成されている視力矯正システムと、異なる印加電圧ＶＲ３、ＶＬ３を印可するように構成されている視力矯正システムとでは、操作方法が異なる。
【００８３】
最初に、使用者が所定の距離Ｌ３にある視認対象物ＯＢ３を明瞭に視認する際、電極４７Ｒ、４７Ｌに対して同じ印加電圧Ｖ３を印可するように構成されている視力矯正システムの操作方法について、説明する。この視力矯正システム１１は、タッチセンサ７９の操作により、電極４７Ｒ、４７Ｌに、同じ印加電圧が印加されるように構成されている。教示を行うには、モード切換ボタン８３を押して、教示モードにする。教示モード時に、使用者が指でタッチセンサ７９に触れると、制御部４５に所定の信号が入力される。そして、使用者がタッチセンサ７９から指を離すと、上述した信号の入力が停止される。制御部４５に信号が入力されるごとに、電極４７Ｒ、４７Ｌに印加する印加電圧が増加、減少を交互に繰り返すようにして、レンズ駆動回路４３が電極４７Ｒ、４７Ｌに対して同じ印加電圧を印加する。タッチセンサ７９を触れている間は、印加電圧の増加、減少が維持され、指を離すと、停止する。
【００８４】
印加電圧Ｖ３を教示する方法について、説明する。使用者が固体レンズ１７、可変焦点レンズ２７を介して、所定の距離Ｌ３にある視認対象物ＯＢ３を両眼または片眼で視認する。次に、使用者がタッチセンサ７９に指で触れて、あるいは指を離して、レンズ駆動回路４３を駆動させ、視認対象物ＯＢ３が最も明瞭に視認できるように、可変焦点レンズ２７Ｒ、２７Ｌの度数、焦点距離を変化させる。そして、登録ボタン８７を押す。この際、電極４７Ｒ、４７Ｌに印加された印加電圧Ｖ３が、記憶部６９に記憶される。
【００８５】
次に、使用者が所定の距離Ｌ３にある視認対象物ＯＢ３を明瞭に視認する際、電極４７Ｒ、４７Ｌに対して異なる印加電圧ＶＲ３、ＶＬ３を印可するように構成されている視力矯正システムの操作方法について、説明する。教示を行うには、モード切換ボタン８３を押して、教示モードにする。教示モード時に、使用者が指でタッチセンサ７９に触れると、制御部４５に所定の信号が入力される。そして、使用者がタッチセンサ７９から指を離すと、上述した信号の入力が停止される。制御部４５に信号が入力されるごとに、電極４７Ｒに印加する印加電圧が増加、減少を交互に繰り返すように、レンズ駆動回路４３が印加電圧を制御する。タッチセンサ７９を触れている間は、印加電圧の増加、減少が維持され、指を離すと、停止する。
【００８６】
また、教示モード時に、使用者が指でタッチセンサ８５に触れると、制御部４５に所定の信号が入力される。そして、使用者がタッチセンサ８５から指を離すと、上述した信号の入力が停止される。制御部４５に信号が入力されるごとに、電極４７Ｌに印加する印加電圧が増加、減少を交互に繰り返すように、レンズ駆動回路４３が印加電圧を制御する。タッチセンサ８５を触れている間は、印加電圧の増加、減少が維持され、指を離すと、停止する。
【００８７】
印加電圧ＶＲ３を教示する方法について、説明する。最初に、使用者が固体レンズ１７Ｒ、可変焦点レンズ２７Ｒを介して、所定の距離Ｌ３にある視認対象物ＯＢ３を右眼で視認する。この際、左眼側は、手で覆うか、遮蔽体で遮蔽する。次に、使用者がタッチセンサ７９に指で触れて、あるいは指を離して、レンズ駆動回路４３Ｒを駆動させ、視認対象物ＯＢ３が最も明瞭に視認できるように、可変焦点レンズ２７Ｒの度数、焦点距離を変化させる。そして、登録ボタン８７を押す。この際、電極４７Ｒに印加された印加電圧ＶＲ３が、記憶部６９に記憶される。
【００８８】
印加電圧ＶＬ３を教示する方法について、説明する。使用者が固体レンズ１７Ｌ、可変焦点レンズ２７Ｌを介して、所定の距離Ｌ３にある視認対象物ＯＢ３を左眼で視認する。この際、右眼側は、手で覆うか、遮蔽体で遮蔽する。次に、使用者がタッチセンサ８５に指で触れて、あるいは指を離して、レンズ駆動回路４３Ｌを駆動させ、視認対象物ＯＢ３が最も明瞭に視認できるように、可変焦点レンズ２７Ｌの度数、焦点距離を変化させる。そして、登録ボタン８７を押す。この際、電極４７Ｌに印加された印加電圧ＶＬ３が、記憶部６９に記憶される。（ここまで、教示方法の説明）
【００８９】
上記構成によれば、視力矯正装置１１は、使用者が視認対象物ＯＢ３を明瞭に視認できるように、使用者の視力を矯正することができる。これより、使用者が、視認対象物ＯＢ３を明瞭に視認できるようになる。
【００９０】
また、上記構成によれば、固体レンズ１７と、可変焦点レンズ２７とが、別体に設けられ、しかも、固体レンズ１７と、可変焦点レンズ２７とを貼り合わせなくともよいので、特許文献２の電子眼鏡のような制約条件の下で、固体レンズ１７、可変焦点レンズ２７を構成する必要がない。また、レンズ構成がＣ１１、Ｃ１２のうち、いずれか１つのレンズ構成である場合、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７の度数が決定される。したがって、特許文献２の電子眼鏡のように、固体レンズ１７に貼り合わせて複雑な可変焦点レンズ２７を構成する必要はなく、可変焦点レンズ２７の度数に合わせて、固体レンズ１７の度数が決定されるので、個々の使用者に合ったレンズを比較的容易に構成できる。なお、固体レンズ１７の焦点距離、度数を変更することにより、可変焦点レンズ２７を変更せずとも、レンズ系の焦点距離、度数を変更することができる。このため、可変焦点レンズのみを介して、所定の視認対象物ＯＢ３を視認した際に、使用者の網膜上に所定の視認対象物の像を結像させることができない場合であっても、固体レンズ１７、可変焦点レンズ２７を介して、使用者の網膜上に視認対象物の像を結像させることができる。その結果、視力の異なる個々の使用者に対するレンズ構成上の自由度が各段に向上する。また、眼に屈折異常がある使用者であっても、個々の使用者に合ったレンズを比較的容易に構成できる視力矯正装置を提供することができる。（第１の効果）
【００９１】
また、使用者の視力および可変焦点レンズ２７の度数に応じて、固体レンズ１７の度数が構成されるために、可変焦点レンズ２７の度数に関わりなく、使用者が所定の距離Ｌ３にある視認対象物を明瞭に視認することができるようになる（固体レンズ１７、可変焦点レンズ２７を介しても、必然的に視認対象物を明瞭に視認することができないような場合は除外される）。また、上述したように、固体レンズ１７の焦点距離、度数を変更することにより、可変焦点レンズ２７を変更せずとも、レンズ系の焦点距離、度数を変更することができるので、量産化された可変焦点レンズ２７を用いても、使用者は、所定の距離Ｌ３にある視認対象物を明瞭に視認することができる。また、量産化された可変焦点レンズ２７を用いることができるので、生産性が高く、コストを低減することができる。（第２の効果）
【００９２】
なお、第１の実施形態では、可変焦点レンズ２７に、液晶式可変焦点レンズを用いている。可変焦点レンズ２７が液晶式可変焦点レンズであり、レンズ構成がＣ１２ａである場合、特許文献２の電子眼鏡のような構成に比べて、比較的、容易に可変焦点レンズ２７の液晶分子を配向することができ、可変焦点レンズを容易に構成することができる利点がある。（第３の効果）
【００９３】
また、固体レンズ１７と、可変焦点レンズ２７とが、別体に設けられ、しかも、固体レンズ１７と、可変焦点レンズ２７とを貼り合わせなくともよいので、加工も、容易になる。（第４の効果）
【００９４】
また、レンズ構成がＣ１２である場合には、電極４７に印加電圧が印加されない状態において、使用者が所定の距離Ｌ３にある視認対象物ＯＢ３を明瞭に視認することができる。したがって、使用者が所定の距離Ｌ３にある視認対象物ＯＢ３を頻繁に視認する場合、電力の消費を押さえることができる。（第５の効果）
【００９５】
また、第２の眼鏡１５を第１の眼鏡１３から脱着する、あるいは跳ね上げる（回動させる）ことができるので、レンズ構成がＣ１１ａ、Ｃ１２ａである場合、使用者が固体レンズ１７のみを介して、所定の距離Ｌ３にある視認対象物ＯＢ３を明瞭に視認することができる。（第６の効果）
【００９６】
また、左右の可変焦点レンズ２７Ｒ、２７Ｌ毎に、度数、焦点距離を変更できるので、左右の可変焦点レンズ２７Ｒ、２７Ｌの度数、焦点距離を一律に変化させる場合に比べて、より精緻な焦点距離合わせをすることができる。（第７の効果）
【００９７】
（第２の実施形態）
第１の実施形態では、使用者が所定の距離にある視認対象物を明瞭に視認できるようにしたが、使用者が遠方にある視認対象物を明瞭に視認できるようにしてもよい。また、使用者が近方にある視認対象物を明瞭に視認できるようにしてもよい。以下では、遠方にある視認対象物、近方にある視認対象物を、所定の操作により、明瞭に視認できる実施形態について、説明する。図１乃至図６を参照する。なお、第１の実施形態と同様に、可変焦点レンズ２７は、固体レンズ１７の前方側（視認対象物側）に配置される。上述した固体レンズ１７、可変焦点レンズ２７は、第１の光学系の一例を構成する。
【００９８】
視力矯正装置１１の基本構成、操作盤３５、可変焦点レンズ２７の基本構成、レンズ駆動回路４３、制御部４５、操作部７５、モードに関する説明は、第１の実施形態で説明した当該部分を引用する。
【００９９】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、固体レンズ１７、可変焦点レンズ２７を介して、使用者が遠方にある視認対象物ＯＢ２を視認した際に、使用者が視認対象物ＯＢ２を明瞭に視認できるように、固体レンズ１７、可変焦点レンズ２７が構成されるレンズ構成（以下、レンズ構成Ｃ２１と称するものとする。）
（２）電極４７Ｒ、４７Ｌに印加電圧が印加されない状態において、固体レンズ１７、可変焦点レンズ２７を介して、使用者が遠方にある視認対象物ＯＢ２を視認した際に、使用者が視認対象物ＯＢ２を明瞭に視認できるように、固体レンズ１７、可変焦点レンズ２７が構成されるレンズ構成（以下、レンズ構成Ｃ２２と称するものとする。）
【０１００】
なお、レンズ構成がＣ２１である場合において、固体レンズ１７Ｒ、１７Ｌは、使用者毎に、遠方にある視認対象物ＯＢ２を明瞭に視認できるように処方された度入りレンズになるように構成されてもよい（レンズ構成Ｃ２１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者が固体レンズ１７、可変焦点レンズ２７を介して遠方にある視認対象物ＯＢ２を視認した場合
（ｂ）使用者が固体レンズ１７のみを介して遠方にある視認対象物ＯＢ２を視認した場合
のいずれにおいても、遠方にある視認対象物ＯＢ２を明瞭に視認することができる。因みに、固体レンズ１７Ｒ、１７Ｌを、遠方にある視認対象物ＯＢ２を明瞭に視認できるように処方された、度入りレンズになるように構成し、電極４７に所定の印加電圧が印加される状態において、固体レンズ１７、可変焦点レンズ２７を介して視認対象物ＯＢ２を視認した際に、視認対象物ＯＢ２を明瞭に視認できるように、可変焦点レンズ２７を構成してもよい。
【０１０１】
また、レンズ構成がＣ２２である場合において、固体レンズ１７Ｒ、１７Ｌは、使用者毎に、遠方にある視認対象物ＯＢ２を明瞭に視認できるように処方された度入りレンズになるように構成されてもよい（レンズ構成Ｃ２２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者が固体レンズ１７、可変焦点レンズ２７を介して遠方にある視認対象物ＯＢ２を視認した場合
（ｄ）使用者が固体レンズ１７のみを介して遠方にある視認対象物ＯＢ２を視認した場合
のいずれにおいても、遠方にある視認対象物ＯＢ２を明瞭に視認することができる。因みに、固体レンズ１７Ｒ、１７Ｌを、遠方にある視認対象物ＯＢ２を明瞭に視認できるように処方された、度入りレンズになるように構成し、電極４７に印加電圧が印加されない状態において、固体レンズ１７、可変焦点レンズ２７を介して視認対象物ＯＢ２を視認した際に、視認対象物ＯＢ２を明瞭に視認できるように、可変焦点レンズ２７を構成してもよい。
【０１０２】
上述したレンズ構成Ｃ２１、Ｃ２１ａは、本願発明の第１のレンズ構成の一例を構成する。上述したレンズ構成Ｃ２２、Ｃ２２ａは、本願発明の第２のレンズ構成の一例を構成する。上述したレンズ構成Ｃ２１ａ、Ｃ２２ａは、本願発明の第７のレンズ構成の一例を構成する。固体レンズ１７Ｒ、１７Ｌは、非球面レンズであってもよい。
【０１０３】
レンズ構成がＣ２１である場合、上述したように、遠方にある視認対象物ＯＢ２を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ２１である場合、左右の可変焦点レンズ２７Ｒ、２７Ｌが同じ性能を有する可変焦点レンズであり、遠方にある視認対象物ＯＢ２を明瞭に視認する際、所定の印加電圧Ｖｆが、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲｆが印可され、電極４７Ｌには、印加電圧ＶＬｆが印可されるものとする。印加電圧Ｖｆ、ＶＲｆ、ＶＬｆは、製造段階で設定（決定）されるが、製品完成後に、使用者が、固体レンズ１７、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。
【０１０４】
また、レンズ構成がＣ２２である場合、遠方にある視認対象物ＯＢ２を視認する際に、電極４７Ｒ、４７Ｌに印加される印加電圧は、０であるが、製品完成後に、使用者が、固体レンズ１７、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。（ここまで、レンズ構成の説明）
【０１０５】
固体レンズ１７（１７Ｒ、１７Ｌ）の度数決定方法（焦点距離決定方法）、製造工程に関する説明は、第１の実施形態で説明した当該部分を引用する。ただし、引用する文中、「所定の距離Ｌ３」が「遠方」に、「ＯＢ３」が「ＯＢ２」に、「距離（Ｌ３）」が「距離（Ｌ２）」に、「印加電圧Ｖ３」が「印加電圧Ｖｆ」に、「Ｃ１１」が「Ｃ２１」に、「Ｃ１２」が「Ｃ２２」に置き換えられるものとする。
【０１０６】
次に、可変焦点レンズ２７の作動について、説明する。レンズ構成がＣ２１である場合、電極４７Ｒ、４７Ｌに所定の印加電圧Ｖｆが印加されると、使用者が、固体レンズ１７、可変焦点レンズ２７を介して、視認対象物ＯＢ２を明瞭に視認できるように、可変焦点レンズ２７Ｒ、２７Ｌの液晶分子の楕円長軸が配向される。つまり、レンズ構成がＣ２１である場合、電極４７Ｒ、４７Ｌに所定の印加電圧Ｖｆが印加される状態において、視力矯正装置１１は、使用者が遠方にある視認対象物ＯＢ２を明瞭に視認することがきる遠方明視状態となる。
【０１０７】
また、レンズ構成がＣ２２である場合、電極４７Ｒ、４７Ｌに印加電圧が印加されない状態では、使用者が、固体レンズ１７、可変焦点レンズ２７を介して、視認対象物ＯＢ２を明瞭に視認できるように、可変焦点レンズ２７Ｒ、２７Ｌの液晶分子の楕円長軸が配向される。つまり、レンズ構成がＣ２２である場合、電極４７Ｒ、４７Ｌに印加電圧が印加されない状態において、視力矯正装置１１は、使用者が遠方にある視認対象物ＯＢ２を明瞭に視認することがきる遠方明視状態となる。
【０１０８】
また、レンズ構成がＣ２１、Ｃ２２である場合、電極４７Ｒに所定の印加電圧ＶＲｎが印加され、電極４７Ｌに所定の印加電圧ＶＬｎが印加されると、使用者が固体レンズ１７、可変焦点レンズ２７を介して近方にある視認対象物ＯＢ１を視認した際に、使用者が視認対象物ＯＢ１を明瞭に視認できるように、可変焦点レンズ２７Ｒ、２７Ｌの液晶分子の楕円長軸が配向される。つまり、レンズ構成がＣ２１、Ｃ２２である場合、電極４７Ｒに所定の印加電圧ＶＲｎが印加され、電極４７Ｌに所定の印加電圧ＶＬｎが印加される状態において、視力矯正装置１１は、使用者が近方にある視認対象物ＯＢ１を明瞭に視認することがきる近方明視状態となる。上述した印加電圧ＶＲｎ、ＶＬｎは、製造段階で設定（決定）されるが、製品完成後に、使用者が、固体レンズ１７、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。（ここまで、可変焦点レンズ２７の作動の説明）
【０１０９】
ここで、電極４７Ｒ、４７Ｌに印加する印加電圧を教示する教示方法について、説明する。なお、使用者が遠方にある視認対象物ＯＢ２を明瞭に視認する際、電極４７Ｒ、４７Ｌに対して同じ印加電圧Ｖｆを印可するように構成されている視力矯正システムと、異なる印加電圧ＶＲｆ、ＶＬｆを印可するように構成されている視力矯正システムとでは、操作方法が異なる。
【０１１０】
最初に、使用者が遠方にある視認対象物ＯＢ２を明瞭に視認する際、電極４７Ｒ、４７Ｌに対して同じ印加電圧Ｖｆを印可するように構成されている視力矯正システムの操作方法について、説明する。この視力矯正システム１１は、タッチセンサ７９の操作により、電極４７Ｒ、４７Ｌに、同じ印加電圧が印加されるように構成されている。教示を行うには、モード切換ボタン８３を押して、教示モードにする。教示モード時に、使用者が指でタッチセンサ７９に触れると、制御部４５に所定の信号が入力される。そして、使用者がタッチセンサ７９から指を離すと、上述した信号の入力が停止される。制御部４５に信号が入力されるごとに、電極４７Ｒ、４７Ｌに印加する印加電圧が増加、減少を交互に繰り返すようにして、レンズ駆動回路４３が電極４７Ｒ、４７Ｌに対して同じ印加電圧を印加する。タッチセンサ７９を触れている間は、印加電圧の増加、減少が維持され、指を離すと、停止する。
【０１１１】
印加電圧Ｖｆを教示する方法について、説明する。使用者が固体レンズ１７、可変焦点レンズ２７を介して、遠方にある視認対象物ＯＢ２を両眼または片眼で視認する。次に、使用者がタッチセンサ７９に指で触れて、あるいは指を離して、レンズ駆動回路４３を駆動させ、視認対象物ＯＢ２が最も明瞭に視認できるように、可変焦点レンズ２７Ｒ、２７Ｌの度数、焦点距離を変化させる。そして、登録ボタン８７を押す。この際、電極４７Ｒ、４７Ｌに印加された印加電圧Ｖｆが、記憶部６９に記憶される。
【０１１２】
次に、使用者が遠方にある視認対象物ＯＢ２を明瞭に視認する際、電極４７Ｒ、４７Ｌに対して異なる印加電圧ＶＲｆ、ＶＬｆを印可するように構成されている視力矯正システムの操作方法について、説明する。教示を行うには、モード切換ボタン８３を押して、教示モードにする。教示モード時に、使用者が指でタッチセンサ７９に触れると、制御部４５に所定の信号が入力される。そして、使用者がタッチセンサ７９から指を離すと、上述した信号の入力が停止される。制御部４５に信号が入力されるごとに、電極４７Ｒに印加する印加電圧が増加、減少を交互に繰り返すように、レンズ駆動回路４３が印加電圧を制御する。タッチセンサ７９を触れている間は、印加電圧の増加、減少が維持され、指を離すと、停止する。
【０１１３】
また、教示モード時に、使用者が指でタッチセンサ８５に触れると、制御部４５に所定の信号が入力される。そして、使用者がタッチセンサ８５から指を離すと、上述した信号の入力が停止される。制御部４５に信号が入力されるごとに、電極４７Ｌに印加する印加電圧が増加、減少を交互に繰り返すように、レンズ駆動回路４３が印加電圧を制御する。タッチセンサ８５を触れている間は、印加電圧の増加、減少が維持され、指を離すと、停止する。
【０１１４】
印加電圧ＶＲｆを教示する方法について、説明する。最初に、使用者が固体レンズ１７Ｒ、可変焦点レンズ２７Ｒを介して、遠方にある視認対象物ＯＢ２を右眼で視認する。この際、左眼側は、手で覆うか、遮蔽体で遮蔽する。次に、使用者がタッチセンサ７９に指で触れて、あるいは指を離して、レンズ駆動回路４３Ｒを駆動させ、視認対象物ＯＢ２が最も明瞭に視認できるように、可変焦点レンズ２７Ｒの度数、焦点距離を変化させる。そして、登録ボタン８７を押す。この際、電極４７Ｒに印加された印加電圧ＶＲｆが、記憶部６９に記憶される。
【０１１５】
印加電圧ＶＬｆを教示する方法について、説明する。使用者が固体レンズ１７Ｌ、可変焦点レンズ２７Ｌを介して、遠方にある視認対象物ＯＢ２を左眼で視認する。この際、右眼側は、手で覆うか、遮蔽体で遮蔽する。次に、使用者がタッチセンサ８５に指で触れて、あるいは指を離して、レンズ駆動回路４３Ｌを駆動させ、視認対象物ＯＢ２が最も明瞭に視認できるように、可変焦点レンズ２７Ｌの度数、焦点距離を変化させる。そして、登録ボタン８７を押す。この際、電極４７Ｌに印加された印加電圧ＶＬｆが、記憶部６９に記憶される。
【０１１６】
次に、印加電圧ＶＲｎを教示する方法について、説明する。最初に、使用者が固体レンズ１７Ｒ、可変焦点レンズ２７Ｒを介して、近方にある視認対象物ＯＢ１を右眼で視認する。この際、左眼側は、手で覆うか、遮蔽体で遮蔽する。次に、使用者がタッチセンサ７９に指で触れて、あるいは指を離して、レンズ駆動回路４３Ｒを駆動させ、視認対象物ＯＢ１が最も明瞭に視認できるように、可変焦点レンズ２７Ｒの度数、あるいは焦点距離を変化させる。そして、登録ボタン８７を押す。この際、電極４７Ｒに印加された印加電圧ＶＲｎが、記憶部６９に記憶される。
【０１１７】
印加電圧ＶＬｎを教示する方法について、説明する。使用者が固体レンズ１７Ｌ、可変焦点レンズ２７Ｌを介して、近方にある視認対象物ＯＢ１を左眼で視認する。この際、右眼側は、手で覆うか、遮蔽体で遮蔽する。次に、使用者がタッチセンサ８５に指で触れて、あるいは指を離して、レンズ駆動回路４３Ｌを駆動させ、視認対象物ＯＢ１が最も明瞭に視認できるように、可変焦点レンズ２７Ｌの度数、焦点距離を変化させる。そして、登録ボタン８７を押す。この際、電極４７Ｌに印加された印加電圧ＶＬｎが、記憶部６９に記憶される。（ここまで、教示方法の説明）
【０１１８】
次に、遠近を視認する方法（視力矯正装置１１を使用して、使用者が遠方にある視認対象物ＯＢ２、近方にある視認対象物ＯＢ１を明瞭に視認する方法）について、３例、説明する。なお、レンズ構成がＣ２１の場合には、遠方にある視認対象物ＯＢ２を視認する際、電極４７Ｒ、４７Ｌには、同一の印加電圧Ｖｆが印加されるものとする。また、レンズ構成がＣ２２の場合には、遠方にある視認対象物ＯＢ２を視認する際、電極４７Ｒ、４７Ｌには、印加電圧が印加されないものとする。
【０１１９】
（レンズ構成がＣ２１であり、所定のスイッチにより、遠近を切り換える場合）
（１）使用者が電源スイッチ７７を押して、制御ブロック３９に電力を供給する。この際、視力矯正装置１１のモードは、視点切り替えモードとなる。この状態で、使用者がタッチセンサ７９、タッチセンサ８５のうち、いずれかのタッチセンサを操作する（押す、触る）と、電極４７Ｒ、４７Ｌに印加電圧Ｖｆが印加される。電極４７Ｒ、４７Ｌに印加電圧Ｖｆが印加されると、使用者が遠方にある視認対象物ＯＢ２を明瞭に視認できる遠方明視状態となる。つまり、所定の操作を行い、印加電圧Ｖｆを再現することで、遠方にある視認対象物ＯＢ２を明瞭に視認することができる。なお、電源スイッチ７７をオンした際に、自動的に、電極４７Ｒ、４７Ｌに印加電圧Ｖｆを印加してもよい。また、電源スイッチ７７をオンした際に、自動的に、電極４７Ｒに印加電圧ＶＲｎを印加し、電極４７Ｌに印加電圧ＶＬｎを印加してもよい。
（２）電極４７Ｒ、４７Ｌに印加電圧Ｖｆが印加されており、遠方明視状態にあるとき、タッチセンサ７９、タッチセンサ８５のうち、いずれかのタッチセンサを操作する（押す、触る）と、電極４７Ｒに印加電圧ＶＲｎが印加され、電極４７Ｌに印加電圧ＶＬｎが印加される。この際、液晶分子の楕円長軸の配向状態が変化し、視力矯正装置１１は、使用者が近方にある視認対象物ＯＢ１を明瞭に視認できる近方明視状態となる。つまり、所定の操作を行い、印加電圧ＶＲｎ、ＶＬｎを再現することで、近方にある視認対象物ＯＢ１を明瞭に視認することができる。
（３）電極４７Ｒに印加電圧ＶＲｎが印加され、電極４７Ｌに印加電圧ＶＬｎが印加されており、近方明視状態にあるとき、タッチセンサ７９、タッチセンサ８５のうち、いずれかのタッチセンサを操作する（押す、触る）と、電極４７Ｒ、４７Ｌに印加電圧Ｖｆが印加される。この際、液晶分子の楕円長軸の配向状態が変化し、視力矯正装置１１は、使用者が遠方にある視認対象物ＯＢ２を明瞭に視認できる遠方明視状態となる。
【０１２０】
このように、タッチセンサ７９、タッチセンサ８５のうち、いずれかのタッチセンサを操作する（押す、触る）ことで、電極４７Ｒ、４７Ｌに印加する印加電圧を切り換え、近方明視状態と、遠方明視状態とを切り換える。
【０１２１】
（レンズ構成がＣ２２であり、電源のオン、オフにより、遠近を切り換える場合）
（１）電源がオフになっている場合、制御ブロック３９に電力が供給されず、電極４７Ｒ、４７Ｌに印加電圧が印加されない（印加電圧が０となる）。この場合、使用者が遠方にある視認対象物ＯＢ２を明瞭に視認できる遠方明視状態となる。
（２）電極４７Ｒ、４７Ｌに印加電圧が印加されず、遠方明視状態にあるとき、使用者が電源スイッチ７７を押すと、制御ブロック３９に電力が供給され、自動的に、電極４７Ｒに印加電圧ＶＲｎが印加され、電極４７Ｌに印加電圧ＶＬｎが印加される。この際、液晶分子の楕円長軸の配向状態が変化し、視力矯正装置１１は、使用者が近方にある視認対象物ＯＢ１を明瞭に視認できる近方明視状態となる。つまり、電力を供給する所定の操作を行うことで、印加電圧ＶＲｎ、ＶＬｎが再現され、近方にある視認対象物ＯＢ１を明瞭に視認することができる。
（３）電極４７Ｒに印加電圧ＶＲｎが印加され、電極４７Ｌに印加電圧ＶＬｎが印加されており、近方明視状態にあるとき、使用者が電源スイッチ７７を押して、制御ブロック３９に供給されていた電力を停止すると、電極４７Ｒ、４７Ｌに印加電圧が印加されなくなる（印加電圧が０になる）。この際、液晶分子の楕円長軸の配向状態が変化し、視力矯正装置１１は、使用者が遠方にある視認対象物ＯＢ２を明瞭に視認できる遠方明視状態となる。つまり、電力を停止する所定の操作を行い、印加電圧０を再現することで、遠方にある視認対象物ＯＢ２を明瞭に視認することができる。
【０１２２】
このように、電源をオン、オフすることにより、近方明視状態と、遠方明視状態とを切り換える。
【０１２３】
（レンズ構成がＣ２２であり、所定のスイッチにより、遠近を切り換える場合）
（１）電源がオフになっている場合、制御ブロック３９に電力が供給されず、電極４７Ｒ、４７Ｌに印加電圧が印加されない（印加電圧が０となる）。この場合、使用者が遠方にある視認対象物ＯＢ２を明瞭に視認できる遠方明視状態となる。
（２）この状態で電源をオンすると、制御ブロック３９に電力が供給される。ただし、この段階では、電極４７Ｒ、４７Ｌに印加電圧が印加されない（印加電圧は０のままである）。
（３）制御ブロック３９に電力が供給され、電極４７Ｒ、４７Ｌに印加電圧が印加されていない状態で、使用者がタッチセンサ７９、タッチセンサ８５のうち、いずれかのタッチセンサを操作する（押す、触る）と、印加電圧ＶＲｎが電極４７Ｒに印加され、印加電圧ＶＬｎが電極４７Ｌに印加されるように制御される。この際、液晶分子の楕円長軸の配向状態が変化し、視力矯正装置１１は、使用者が近方にある視認対象物ＯＢ１を明瞭に視認できる近方明視状態となる。つまり、所定の操作を行い、印加電圧ＶＲｎ、ＶＬｎを再現することで、近方にある視認対象物ＯＢ１を明瞭に視認することができる。
（４）印加電圧ＶＲｎが電極４７Ｒに印加され、印加電圧ＶＬｎが電極４７Ｌに印加されており、近方明視状態にあるとき、使用者がタッチセンサ７９、タッチセンサ８５のうち、いずれかのタッチセンサを操作する（押す、触る）と、電極４７Ｒ、４７Ｌに印加電圧が印加されなくなる（印加電圧が０となる）。この際、液晶分子の楕円長軸の配向状態が変化し、視力矯正装置１１は、使用者が遠方にある視認対象物ＯＢ２を明瞭に視認できる遠方明視状態となる。つまり、所定の操作を行い、印加電圧を０にすることで、遠方にある視認対象物ＯＢ２を明瞭に視認することができる。
【０１２４】
このように、タッチセンサ７９、タッチセンサ８５のうち、いずれかのタッチセンサを操作する（押す、触る）ことで、電極４７Ｒ、４７Ｌに印加する印加電圧を切り換え、近方明視状態と、遠方明視状態とを切り換える。
【０１２５】
なお、遠方にある視認対象物ＯＢ２を視認する際に、教示された印加電圧ＶＲｆ、ＶＬｆを印加することもできる。この場合、遠方にある視認対象物ＯＢ２を視認する際、電極４７Ｒに教示された印加電圧ＶＲｆが印加され、電極４７Ｌに教示された印加電圧ＶＬｆが印加される。（ここまで、遠近を視認する方法の説明）
【０１２６】
上記構成によれば、視力矯正装置１１は、使用者が視認対象物ＯＢ２、視認対象物ＯＢ１を明瞭に視認できるように、使用者の視力を矯正することができる。
【０１２７】
また、上記構成によれば、第１の実施形態に記載した第１の効果乃至第７の効果と同様の効果を得ることができる。ただし、上記効果に記載された「第１の実施形態」が「第２の実施形態」に、「所定の距離Ｌ３」が「遠方」に、「ＯＢ３」が「ＯＢ２」に、「Ｃ１１」が「Ｃ２１」に、「Ｃ１２」が「Ｃ２２」に、「Ｃ１１ａ」が「Ｃ２１ａ」に、「Ｃ１２ａ」が「Ｃ２２ａ」に置き換えられるものとする。
【０１２８】
引用後の第５の効果について補足する。一般的に、使用者は、自動車を運転する場合、あるいは日常の生活において、遠方を視認する時間が長いので、レンズ構成がＣ２２である場合に、電力の消費を押さえることができる効果を有する。
【０１２９】
また、レンズ構成がＣ２２である場合には、遠方にある視認対象物ＯＢ２を明瞭に視認できる状態において電池切れしても、遠方にある視認対象物ＯＢ２を明瞭に視認できる状態が維持されるので、自動車運転時等において、安全性に優れている。
【０１３０】
また、印加電圧ＶＲｎ、ＶＬｎを再現する所定の操作（つまり、近方にある視認対象物ＯＢ１を明瞭に視認するための所定の操作）をすると、電極４７Ｒに対して、印加電圧ＶＲｎが印加され、電極４７Ｌに対して、印加電圧ＶＬｎが印加される。印加電圧ＶＲｎ、ＶＬｎは、使用者が個別に、近方にある視認対象物ＯＢ１を明瞭に視認できる際の印加電圧であるために、視力の異なる使用者、左右の視力が異なる使用者であっても、近方にある視認対象物ＯＢ１を明瞭に視認することができる。使用者は、この視力矯正装置を、老眼鏡、あるいは遠近両用眼鏡として使用することができる。
【０１３１】
（第３の実施形態）
第３の実施形態は、レンズ保持構成が、第１の光学系である場合の実施形態である。第３の実施形態のように、電極４７Ｒ、４７Ｌに所定の印加電圧が印加される状態、あるいは可印加電圧が印加されない状態において、固体レンズ１７、可変焦点レンズ２７を介して、使用者が近方にある視認対象物ＯＢ１を視認した際に、使用者が近方にある視認対象物ＯＢ１を明瞭に視認できるように、固体レンズ１７が構成されてもよい。図１乃至図６を参照して、説明する。
【０１３２】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、固体レンズ１７、可変焦点レンズ２７を介して、使用者が近方にある視認対象物ＯＢ１を視認した際に、使用者が視認対象物ＯＢ１を明瞭に視認できるように、固体レンズ１７、可変焦点レンズ２７が構成されるレンズ構成（以下、レンズ構成Ｃ３１と称するものとする。）
（２）電極４７Ｒ、４７Ｌに印加電圧が印加されない状態において、固体レンズ１７、可変焦点レンズ２７を介して、使用者が近方にある視認対象物ＯＢ１を視認した際に、使用者が視認対象物ＯＢ１を明瞭に視認できるように、固体レンズ１７、可変焦点レンズ２７が構成されるレンズ構成（以下、レンズ構成Ｃ３２と称するものとする。）
【０１３３】
なお、レンズ構成がＣ３１である場合において、固体レンズ１７Ｒ、１７Ｌは、使用者毎に、近方にある視認対象物ＯＢ１を明瞭に視認できるように処方された度入りレンズになるように構成されてもよい（レンズ構成Ｃ３１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者が固体レンズ１７、可変焦点レンズ２７を介して近方にある視認対象物ＯＢ１を視認した場合
（ｂ）使用者が固体レンズ１７のみを介して近方にある視認対象物ＯＢ１を視認した場合
のいずれにおいても、近方にある視認対象物ＯＢ１を明瞭に視認することができる。因みに、固体レンズ１７Ｒ、１７Ｌを、近方にある視認対象物ＯＢ１を明瞭に視認できるように処方された、度入りレンズになるように構成し、電極４７に所定の印加電圧が印加される状態において、固体レンズ１７、可変焦点レンズ２７を介して視認対象物ＯＢ１を視認した際に、視認対象物ＯＢ１を明瞭に視認できるように、可変焦点レンズ２７を構成してもよい。
【０１３４】
また、レンズ構成がＣ３２である場合において、固体レンズ１７Ｒ、１７Ｌは、使用者毎に、近方にある視認対象物ＯＢ１を明瞭に視認できるように処方された度入りレンズになるように構成されてもよい（レンズ構成Ｃ３２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者が固体レンズ１７、可変焦点レンズ２７を介して近方にある視認対象物ＯＢ１を視認した場合
（ｄ）使用者が固体レンズ１７のみを介して近方にある視認対象物ＯＢ１を視認した場合
のいずれにおいても、近方にある視認対象物ＯＢ１を明瞭に視認することができる。因みに、固体レンズ１７Ｒ、１７Ｌを、近方にある視認対象物ＯＢ１を明瞭に視認できるように処方された、度入りレンズになるように構成し、電極４７に印加電圧が印加されない状態において、固体レンズ１７、可変焦点レンズ２７を介して視認対象物ＯＢ１を視認した際に、視認対象物ＯＢ１を明瞭に視認できるように、可変焦点レンズ２７を構成してもよい。
【０１３５】
上述したレンズ構成Ｃ３１、Ｃ３１ａは、本願発明の第１のレンズ構成の一例を構成する。上述したレンズ構成Ｃ３２、Ｃ３２ａは、本願発明の第２のレンズ構成の一例を構成する。上述したレンズ構成Ｃ３１ａ、Ｃ３２ａは、本願発明の第８のレンズ構成の一例を構成する。固体レンズ１７Ｒ、１７Ｌは、非球面レンズであってもよい。
【０１３６】
レンズ構成がＣ３１である場合、上述したように、近方にある視認対象物ＯＢ１を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ３１である場合、左右の可変焦点レンズ２７Ｒ、２７Ｌが同じ性能を有する可変焦点レンズであり、近方にある視認対象物ＯＢ１を明瞭に視認する際、所定の印加電圧Ｖｎが、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲｎが印可され、電極４７Ｌには、印加電圧ＶＬｎが印可されるものとする。印加電圧Ｖｎ、ＶＲｎ、ＶＬｎは、製造段階で設定（決定）されるが、製品完成後に、使用者が、固体レンズ１７、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。
【０１３７】
また、レンズ構成がＣ３２である場合、近方にある視認対象物ＯＢ１を視認する際に、電極４７Ｒ、４７Ｌに印加される印加電圧は、０であるが、製品完成後に、使用者が、固体レンズ１７、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。（ここまで、レンズ構成の説明）
【０１３８】
なお、第３の実施形態における視力矯正装置は、電極４７に対する印加電圧を切り換えて、使用者が遠方にある視認対象物ＯＢ２を明瞭に視認できるように構成する。つまり、使用者は、この視力矯正装置を、老眼鏡、あるいは遠近両用眼鏡として使用することができる。
【０１３９】
（第４の実施形態）
第１の実施形態において説明した固体レンズが、コンタクトレンズであってもよい。図７は、視力矯正装置の平面図、図８は、図７のＡ方向から見た第１の眼鏡の正面図である。図９は、光学系の説明図である。視力矯正装置の機器構成は、図５を参照する。
【０１４０】
視力矯正装置１１の基本構成について、説明する。視力矯正装置１１は、図７、図８に示すように、可変焦点眼鏡８９、コンタクトレンズ９１を備えている。可変焦点眼鏡８９は、眼鏡フレーム９３を備えている。この眼鏡フレーム９３には、可変焦点眼鏡８９の前面部分を構成し、左右一対の可変焦点レンズ２７を保持するフロント２１、フロント２１に連なるテンプル２３が設けられている。第１の実施形態において説明した第２の眼鏡は、不要となり、第１の眼鏡に相当する可変焦点眼鏡８９に可変焦点レンズ２７が設けられる。
【０１４１】
一方、コンタクトレンズ９１は、使用者の眼に装着される。したがって、可変焦点レンズ２７は、コンタクトレンズ９１の前方側（視認対象物側）に配置される。上述したコンタクトレンズ９１、可変焦点レンズ２７は、第１の光学系の一例を構成する。（ここまで、視力矯正装置１１の基本構成の説明）
【０１４２】
また、操作盤３５、可変焦点レンズ２７の基本構成、レンズ駆動回路４３、制御部４５、操作部７５、モードに関する説明は、第１の実施形態で説明した当該部分を引用する。ただし、引用する可変焦点レンズ２７の基本構成の文中、「固体レンズ１７」が「コンタクトレンズ９１」に、「図６」が「図９」に置き換えられるものとする。
【０１４３】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、コンタクトレンズ９１、可変焦点レンズ２７を介して、使用者が所定の距離Ｌ３にある視認対象物ＯＢ３を視認した際に、使用者が視認対象物ＯＢ３を明瞭に視認できるように、コンタクトレンズ９１、可変焦点レンズ２７が構成されるレンズ構成（以下、レンズ構成Ｃ４１と称するものとする。）
（２）電極４７Ｒ、４７Ｌに印加電圧が印加されない状態において、コンタクトレンズ９１、可変焦点レンズ２７を介して、使用者が所定の距離Ｌ３にある視認対象物ＯＢ３を視認した際に、使用者が視認対象物ＯＢ３を明瞭に視認できるように、コンタクトレンズ９１、可変焦点レンズ２７が構成されるレンズ構成（以下、レンズ構成Ｃ４２と称するものとする。）
【０１４４】
なお、レンズ構成がＣ４１である場合において、コンタクトレンズ９１Ｒ、９１Ｌは、使用者毎に、所定の距離Ｌ３にある視認対象物ＯＢ３を明瞭に視認できるように処方された度入りレンズになるように構成されてもよい（レンズ構成Ｃ４１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者がコンタクトレンズ９１、可変焦点レンズ２７を介して所定の距離Ｌ３にある視認対象物ＯＢ３を視認した場合
（ｂ）使用者がコンタクトレンズ９１のみを介して所定の距離Ｌ３にある視認対象物ＯＢ３を視認した場合
のいずれにおいても、所定の距離Ｌ３にある視認対象物ＯＢ３を明瞭に視認することができる。因みに、コンタクトレンズ９１Ｒ、９１Ｌを、所定の距離Ｌ３にある視認対象物ＯＢ３を明瞭に視認できるように処方された、度入りレンズになるように構成し、電極４７に所定の印加電圧が印加される状態において、コンタクトレンズ９１、可変焦点レンズ２７を介して視認対象物ＯＢ３を視認した際に、視認対象物ＯＢ３を明瞭に視認できるように、可変焦点レンズ２７を構成してもよい。
【０１４５】
また、レンズ構成がＣ４２である場合において、コンタクトレンズ９１Ｒ、９１Ｌは、使用者毎に、所定の距離Ｌ３にある視認対象物ＯＢ３を明瞭に視認できるように処方された度入りレンズになるように構成されてもよい（レンズ構成Ｃ４２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者がコンタクトレンズ９１、可変焦点レンズ２７を介して所定の距離Ｌ３にある視認対象物ＯＢ３を視認した場合
（ｄ）使用者がコンタクトレンズ９１のみを介して所定の距離Ｌ３にある視認対象物ＯＢ３を視認した場合
のいずれにおいても、所定の距離Ｌ３にある視認対象物ＯＢ３を明瞭に視認することができる。因みに、コンタクトレンズ９１Ｒ、９１Ｌを、所定の距離Ｌ３にある視認対象物ＯＢ３を明瞭に視認できるように処方された、度入りレンズになるように構成し、電極４７に印加電圧が印加されない状態において、コンタクトレンズ９１、可変焦点レンズ２７を介して視認対象物ＯＢ３を視認した際に、視認対象物ＯＢ３を明瞭に視認できるように、可変焦点レンズ２７を構成してもよい。
【０１４６】
上述したレンズ構成Ｃ４１、Ｃ４１ａは、本願発明の第１のレンズ構成の一例を構成する。上述したレンズ構成Ｃ４２、Ｃ４２ａは、本願発明の第２のレンズ構成の一例を構成する。上述したレンズ構成Ｃ４１ａ、Ｃ４２ａは、本願発明の第６のレンズ構成の一例を構成する。コンタクトレンズ９１Ｒ、９１Ｌは、非球面レンズであってもよい。
【０１４７】
レンズ構成がＣ４１である場合、上述したように、所定の距離Ｌ３にある視認対象物ＯＢ３を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ４１である場合、左右の可変焦点レンズ２７Ｒ、２７Ｌが同じ性能を有する可変焦点レンズであり、所定の距離Ｌ３にある視認対象物ＯＢ３を明瞭に視認する際、所定の印加電圧Ｖ３が、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲ３が印可され、電極４７Ｌには、印加電圧ＶＬ３が印可されるものとする。印加電圧Ｖ３、ＶＲ３、ＶＬ３は、製造段階で設定（決定）されるが、製品完成後に、使用者が、コンタクトレンズ９１、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。
【０１４８】
また、レンズ構成がＣ４２である場合、所定の距離Ｌ３にある視認対象物ＯＢ３を視認する際に、電極４７Ｒ、４７Ｌに印加される印加電圧は、０であるが、製品完成後に、使用者が、コンタクトレンズ９１、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。（ここまで、レンズ構成の説明）
【０１４９】
視力矯正装置１１のレンズ構成を、上述したレンズ構成にするには、以下に説明するコンタクトレンズ９１の度数決定方法（あるいは焦点距離決定方法）により、コンタクトレンズ９１の度数（あるいは焦点距離）を決定する。
【０１５０】
コンタクトレンズ９１（１２３Ｒ、１２３Ｌ）の度数決定方法（焦点距離決定方法）について、説明する。ただし、
（１）ＤＦＲ：右側の可変焦点レンズ２７Ｒの度数
（２）ＤＳＲ：右側のコンタクトレンズ９１Ｒの度数
（３）ＤＥＲ：使用者の右眼の度数
（４）ＤＦＬ：左側の可変焦点レンズ２７Ｌの度数
（５）ＤＳＬ：左側のコンタクトレンズ９１Ｌの度数
（６）ＤＥＬ：使用者の左眼の度数
（７）ＦＦＲ：右側の可変焦点レンズ２７Ｒの焦点距離
（８）ＦＳＲ：右側のコンタクトレンズ９１Ｒの焦点距離
（９）ＦＥＲ：使用者の右眼の焦点距離
（１０）ＦＦＬ：左側の可変焦点レンズ２７Ｌの焦点距離
（１１）ＦＳＬ：左側のコンタクトレンズ９１Ｌの焦点距離
（１２）ＦＥＬ：使用者の左眼の焦点距離
であるものとする。
【０１５１】
（ａ）レンズ構成がＣ４１である場合、コンタクトレンズ９１Ｒの度数ＤＳＲ（焦点距離ＦＳＲ）は、電極４７Ｒに所定の印加電圧Ｖ３が印加される状態において、使用者がコンタクトレンズ９１Ｒ、可変焦点レンズ２７Ｒを介して、右眼で所定の距離Ｌ３にある視認対象物ＯＢ３を視認した際に、使用者が視認対象物ＯＢ３を明瞭に視認できるように決定（あるいは設計、選定）され、加工され、構成される。また、コンタクトレンズ９１Ｌの度数ＤＳＬ（焦点距離ＦＳＬ）は、電極４７Ｌに所定の印加電圧Ｖ３が印加される状態において、使用者がコンタクトレンズ９１Ｌ、可変焦点レンズ２７Ｌを介して、左眼で所定の距離Ｌ３にある視認対象物ＯＢ３を視認した際に、使用者が視認対象物ＯＢ３を明瞭に視認できるように決定（あるいは設計、選定）され、加工され、構成される。
（ｂ）レンズ構成がＣ４２である場合、コンタクトレンズ９１Ｒの度数ＤＳＲ（焦点距離ＦＳＲ）は、電極４７Ｒに印加電圧が印加されない状態において、使用者がコンタクトレンズ９１Ｒ、可変焦点レンズ２７Ｒを介して、右眼で所定の距離Ｌ３にある視認対象物ＯＢ３を視認した際に、使用者が視認対象物ＯＢ３を明瞭に視認できるように決定（あるいは設計、選定）され、加工され、構成される。また、コンタクトレンズ９１Ｌの度数ＤＳＬ（焦点距離ＦＳＬ）は、電極４７Ｌに印加電圧が印加されない状態において、使用者がコンタクトレンズ９１Ｌ、可変焦点レンズ２７Ｌを介して、左眼で所定の距離Ｌ３にある視認対象物ＯＢ３を視認した際に、使用者が視認対象物ＯＢ３を明瞭に視認できるように決定（あるいは設計、選定）され、加工され、構成される。
【０１５２】
つまり、コンタクトレンズ９１Ｒの度数ＤＳＲ（焦点距離ＦＳＲ）は、可変焦点レンズ２７Ｒの度数ＤＦＲ（焦点距離ＦＦＲ）に合わせて、決定（あるいは設計、選定）され、加工され、構成される。また、コンタクトレンズ９１Ｌの度数ＤＳＬ（焦点距離ＦＳＬ）は、可変焦点レンズ２７Ｌの度数ＤＦＬ（焦点距離ＦＦＬ）に合わせて、決定（あるいは設計、選定）され、加工され、構成される。
【０１５３】
なお、眼を含めた広い概念で説明すると、コンタクトレンズ９１Ｒの度数ＤＳＲ（焦点距離ＦＳＲ）は、使用者の右眼の度数ＤＥＲ（焦点距離ＦＥＲ）、可変焦点レンズ２７Ｒの度数ＤＦＲ（焦点距離ＦＦＲ）に合わせて、決定（あるいは設計、選定）され、加工され、構成される。また、コンタクトレンズ９１Ｌの度数ＤＳＬ（焦点距離ＦＳＬ）は、使用者の左眼の度数ＤＥＬ（焦点距離ＦＥＬ）、可変焦点レンズ２７Ｌの度数ＤＦＬ（焦点距離ＦＦＬ）に合わせて、決定（あるいは設計、選定）され、加工され、構成される。
【０１５４】
コンタクトレンズ９１Ｒの度数ＤＳＲ（焦点距離ＦＳＲ）、コンタクトレンズ９１Ｌの度数ＤＳＬ（焦点距離ＦＳＬ）は、検査によって、決定される。最初に、自動視力測定用装置により、眼の屈折異常（近視、遠視、乱視）の度合いを右眼、左眼毎に検査する。次に、検眼機等により、使用者の眼の度数（度数、乱視度数、乱視の方向）が右眼、左眼毎に測定される。次に、仮枠の眼鏡で、検査用視認対象物を視認し、使用者が検査用視認対象物を明瞭に視認できる際の検査用固定レンズの度数が右眼、左眼毎に決定され、コンタクトレンズ９１Ｒの度数ＤＳＲ（焦点距離ＦＳＲ）、コンタクトレンズ９１Ｌの度数ＤＳＬ（焦点距離ＦＳＬ）が決定される（なお、乱視がある場合には、乱視度数、乱視の方向も反映される）。使用者が両眼で検査用視認対象物を視認し、使用者が検査用視認対象物を明瞭に視認できるか否かを確認して、問題がなければ、決定された度数に基づいて製造工程に移行する。
【０１５５】
上述した仮枠の眼鏡について、説明する。仮枠の眼鏡は、検査用固体レンズ、乱視検査用レンズを保持できるように構成されている。検査用固体レンズ、乱視検査用レンズは、仮枠の眼鏡の眼鏡フレームに、交換自在に保持される。なお、検査用視認対象物までの距離は、視認対象物ＯＢ３までの距離（Ｌ３）と同じにすることが望ましい。これにより、検査用固体レンズの度数が決定されると、これに対応するコンタクトレンズ９１の度数Ｄｃ（焦点距離Ｆｃ）を決定することができる。（ここまでコンタクトレンズ９１の度数決定方法（焦点距離決定方法）の説明）
【０１５６】
製造工程（コンタクトレンズ９１のレンズ形状を決定した後の製造工程）について、一例を説明する。度数が決定されると、使用者が希望する眼鏡フレームの形状等から、コンタクトレンズ９１、可変焦点レンズ２７のレンズ形状が決定（あるいは設計、選定）される。コンタクトレンズ９１については、乱視がある場合には、乱視度数、乱視の方向も反映されて、決定される。そして、決定されたレンズ形状となるように、コンタクトレンズ９１の外周部およびレンズ面（９１ａ、９１ｂ）が加工される。つまり、コンタクトレンズ９１は、可変焦点レンズ２７の度数に合わせて加工される。（より広い概念では、コンタクトレンズ９１は、使用者の視力、可変焦点レンズ２７の度数に合わせて加工される）次に、視力矯正装置１１の構成部品が組み立てられる。制御プログラムは、所定の段階で組み込まれる。なお、上述した製造工程は、全行程から抜粋したものである。
【０１５７】
上述した製造工程により、レンズ構成がＣ４１である場合では、電極４７Ｒ、４７Ｌに所定の印加電圧Ｖ３が印加される状態において、また、レンズ構成がＣ４２である場合では、電極４７Ｒ、４７Ｌに印加電圧が印加されない状態において、コンタクトレンズ９１、可変焦点レンズ２７を介して、使用者が所定の距離Ｌ３にある視認対象物ＯＢ３を視認した際に、使用者が視認対象物ＯＢ３を明瞭に視認できるように、可変焦点レンズ２７の度数に合わせて、コンタクトレンズ９１が構成される（より広い概念では、コンタクトレンズ９１は、使用者の視力、可変焦点レンズ２７の度数に合わせて構成される）。（ここまで製造工程の説明）
【０１５８】
可変焦点レンズ２７の作動、電極４７Ｒ、４７Ｌに印加する印加電圧を教示する教示方法は、第１の実施形態で説明した当該部分を引用する。ただし、引用する文中、「固体レンズ１７」が「コンタクトレンズ９１」に、「固体レンズ１７Ｒ」が「コンタクトレンズ９１Ｒ」に、「固体レンズ１７Ｌ」が「コンタクトレンズ９１Ｌ」に、「Ｃ１１」が「Ｃ４１」に、「Ｃ１２」が「Ｃ４２」に置き換えられるものとする。
【０１５９】
上記構成によれば、視力矯正装置１１は、使用者が視認対象物ＯＢ３を明瞭に視認できるように、使用者の視力を矯正することができる。これより、使用者が、視認対象物ＯＢ３を明瞭に視認できるようになる。
【０１６０】
また、上記構成によれば、第２の眼鏡フレームが不要であるので、可変焦点レンズが眼鏡フレームに保持される場合と比べて、眼鏡フレームの構成を簡単にすることができる。また、第１の実施形態に記載した第１の効果乃至第７の効果と同様の効果を得ることができる。ただし、引用する文中、「第１の実施形態」が「第４の実施形態」に、「固体レンズ１７」が「コンタクトレンズ９１」に、「Ｃ１１」が「Ｃ４１」に、「Ｃ１２」が「Ｃ４２」に、「Ｃ１１ａ」が「Ｃ４１ａ」に、「Ｃ１２ａ」が「Ｃ４２ａ」に置き換えられるものとする。
【０１６１】
（第５の実施形態）
第４の実施形態では、使用者が所定の距離にある視認対象物を明瞭に視認できるようにしたが、使用者が遠方にある視認対象物を明瞭に視認できるようにしてもよい。また、使用者が近方にある視認対象物を明瞭に視認できるようにしてもよい。なお、第４の実施形態と同様に、可変焦点レンズ２７は、コンタクトレンズ９１の前方側（視認対象物側）に配置される。上述したコンタクトレンズ９１、可変焦点レンズ２７は、第１の光学系の一例を構成する。図７乃至図９、図５を参照して、説明する。
【０１６２】
視力矯正装置１１の基本構成は、第４の実施形態で説明した当該部分を引用する。また、操作盤３５は、第１の実施形態で説明した当該部分を引用する。可変焦点レンズ２７の基本構成は、第１の実施形態で説明した当該部分を引用する。ただし、引用する可変焦点レンズ２７の基本構成の文中、「固体レンズ１７」が「コンタクトレンズ９１」に、「図６」が「図９」に置き換えられるものとする。レンズ駆動回路４３、制御部４５、操作部７５、モードに関する説明は、第１の実施形態で説明した当該部分を引用する。
【０１６３】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、コンタクトレンズ９１、可変焦点レンズ２７を介して、使用者が遠方にある視認対象物ＯＢ２を視認した際に、使用者が視認対象物ＯＢ２を明瞭に視認できるように、コンタクトレンズ９１、可変焦点レンズ２７が構成されるレンズ構成（以下、レンズ構成Ｃ５１と称するものとする。）
（２）電極４７Ｒ、４７Ｌに印加電圧が印加されない状態において、コンタクトレンズ９１、可変焦点レンズ２７を介して、使用者が遠方にある視認対象物ＯＢ２を視認した際に、使用者が視認対象物ＯＢ２を明瞭に視認できるように、コンタクトレンズ９１、可変焦点レンズ２７が構成されるレンズ構成（以下、レンズ構成Ｃ５２と称するものとする。）
【０１６４】
なお、レンズ構成がＣ５１である場合において、コンタクトレンズ９１Ｒ、１７Ｌは、使用者毎に、遠方にある視認対象物ＯＢ２を明瞭に視認できるように処方された度入りレンズになるように構成されてもよい（レンズ構成Ｃ５１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者がコンタクトレンズ９１、可変焦点レンズ２７を介して遠方にある視認対象物ＯＢ２を視認した場合
（ｂ）使用者がコンタクトレンズ９１のみを介して遠方にある視認対象物ＯＢ２を視認した場合
のいずれにおいても、遠方にある視認対象物ＯＢ２を明瞭に視認することができる。因みに、コンタクトレンズ９１Ｒ、１７Ｌを、遠方にある視認対象物ＯＢ２を明瞭に視認できるように処方された、度入りレンズになるように構成し、電極４７に所定の印加電圧が印加される状態において、コンタクトレンズ９１、可変焦点レンズ２７を介して視認対象物ＯＢ２を視認した際に、視認対象物ＯＢ２を明瞭に視認できるように、可変焦点レンズ２７を構成してもよい。
【０１６５】
また、第５の実施形態では、レンズ構成がＣ５２である場合において、コンタクトレンズ９１Ｒ、１７Ｌは、使用者毎に、遠方にある視認対象物ＯＢ２を明瞭に視認できるように処方された度入りレンズになるように構成されてもよい（レンズ構成Ｃ５２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者がコンタクトレンズ９１、可変焦点レンズ２７を介して遠方にある視認対象物ＯＢ２を視認した場合
（ｄ）使用者がコンタクトレンズ９１のみを介して遠方にある視認対象物ＯＢ２を視認した場合
のいずれにおいても、遠方にある視認対象物ＯＢ２を明瞭に視認することができる。因みに、コンタクトレンズ９１Ｒ、１７Ｌを、遠方にある視認対象物ＯＢ２を明瞭に視認できるように処方された、度入りレンズになるように構成し、電極４７に印加電圧が印加されない状態において、コンタクトレンズ９１、可変焦点レンズ２７を介して視認対象物ＯＢ２を視認した際に、視認対象物ＯＢ２を明瞭に視認できるように、可変焦点レンズ２７を構成してもよい。
【０１６６】
上述したレンズ構成Ｃ５１、Ｃ５１ａは、本願発明の第１のレンズ構成の一例を構成する。上述したレンズ構成Ｃ５２、Ｃ５２ａは、本願発明の第２のレンズ構成の一例を構成する。上述したレンズ構成Ｃ５１ａ、Ｃ５２ａは、本願発明の第７のレンズ構成の一例を構成する。コンタクトレンズ９１Ｒ、１７Ｌは、非球面レンズであってもよい。
【０１６７】
レンズ構成がＣ５１である場合、上述したように、遠方にある視認対象物ＯＢ２を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ５１である場合、左右の可変焦点レンズ２７Ｒ、２７Ｌが同じ性能を有する可変焦点レンズであり、遠方にある視認対象物ＯＢ２を明瞭に視認する際、所定の印加電圧Ｖｆが、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲｆが印可され、電極４７Ｌには、印加電圧ＶＬｆが印可されるものとする。印加電圧Ｖｆ、ＶＲｆ、ＶＬｆは、製造段階で設定（決定）されるが、製品完成後に、使用者が、コンタクトレンズ９１、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。
【０１６８】
また、レンズ構成がＣ５２である場合、遠方にある視認対象物ＯＢ２を視認する際に、電極４７Ｒ、４７Ｌに印加される印加電圧は、０であるが、製品完成後に、使用者が、コンタクトレンズ９１、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。（ここまで、レンズ構成の説明）
【０１６９】
コンタクトレンズ９１（９１Ｒ、９１Ｌ）の度数決定方法（焦点距離決定方法）、製造工程に関する説明は、第４の実施形態で説明した当該部分を引用する。ただし、引用する文中、「所定の距離Ｌ３」が「遠方」に、「ＯＢ３」が「ＯＢ２」に、「距離（Ｌ３）」が「距離（Ｌ２）」に、「印加電圧Ｖ３」が「印加電圧Ｖｆ」に、「Ｃ４１」が「Ｃ５１」に、「Ｃ４２」が「Ｃ５２」に置き換えられるものとする。
【０１７０】
また、可変焦点レンズ２７の作動、教示方法、遠近を視認する方法は、第２の実施形態で説明した、可変焦点レンズ２７の作動、教示方法、遠近を視認する方法を引用する。ただし、「固体レンズ１７」が「コンタクトレンズ９１」に、「固体レンズ１７Ｒ」が「コンタクトレンズ９１Ｒ」に、「固体レンズ１７Ｌ」が「コンタクトレンズ９１Ｌ」に、「Ｃ２１」が「Ｃ５１」に、「Ｃ２２」が「Ｃ５２」に置き換えられるものとする。
【０１７１】
上記構成によれば、視力矯正装置１１は、使用者が視認対象物ＯＢ１、視認対象物ＯＢ２を明瞭に視認できるように、使用者の視力を矯正することができる。
【０１７２】
また、上記構成によれば、第２の眼鏡フレームが不要であるので、可変焦点レンズが眼鏡フレームに保持される場合と比べて、眼鏡フレームの構成を簡単にすることができる。また、上記構成によれば、第１の実施形態に記載した効果と同様の効果を得ることができる。ただし、上記効果に記載された「第１の実施形態」が「第５の実施形態」に、「所定の距離Ｌ３」が「遠方」に、「ＯＢ３」が「ＯＢ２」に、「Ｃ１１」が「Ｃ５１」に、「Ｃ１２」が「Ｃ５２」に、「Ｃ１１ａ」が「Ｃ５１ａ」に、「Ｃ１２ａ」が「Ｃ５２ａ」に置き換えられるものとする。
【０１７３】
また、印加電圧ＶＲｎ、ＶＬｎを再現する所定の操作（つまり、近方にある視認対象物ＯＢ１を明瞭に視認するための所定の操作）をすると、電極４７Ｒに対して、印加電圧ＶＲｎが印加され、電極４７Ｌに対して、印加電圧ＶＬｎが印加される。印加電圧ＶＲｎ、ＶＬｎは、使用者が個別に、近方にある視認対象物ＯＢ１を明瞭に視認できる際の印加電圧であるために、視力の異なる使用者、左右の視力が異なる使用者であっても、近方にある視認対象物ＯＢ１を明瞭に視認することができる。使用者は、この視力矯正装置を、老眼鏡、あるいは遠近両用眼鏡として使用することができる。
【０１７４】
（第６の実施形態）
第６の実施形態は、レンズ保持構成が、第１の光学系である場合の実施形態である。第６の実施形態のように、電極４７Ｒ、４７Ｌに所定の印加電圧が印加される状態、あるいは可印加電圧が印加されない状態において、コンタクトレンズ９１、可変焦点レンズ２７を介して、使用者が近方にある視認対象物ＯＢ１を視認した際に、使用者が視認対象物ＯＢ１を明瞭に視認できるように、コンタクトレンズ９１が構成されてもよい。図７乃至図９、図５を参照して、説明する。
【０１７５】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、コンタクトレンズ９１、可変焦点レンズ２７を介して、使用者が近方にある視認対象物ＯＢ１を視認した際に、使用者が視認対象物ＯＢ１を明瞭に視認できるように、コンタクトレンズ９１、可変焦点レンズ２７が構成されるレンズ構成（以下、レンズ構成Ｃ６１と称するものとする。）
（２）電極４７Ｒ、４７Ｌに印加電圧が印加されない状態において、コンタクトレンズ９１、可変焦点レンズ２７を介して、使用者が近方にある視認対象物ＯＢ１を視認した際に、使用者が視認対象物ＯＢ１を明瞭に視認できるように、コンタクトレンズ９１、可変焦点レンズ２７が構成されるレンズ構成（以下、レンズ構成Ｃ６２と称するものとする。）  
【０１７６】
なお、レンズ構成がＣ６１である場合において、コンタクトレンズ９１Ｒ、９１Ｌは、使用者毎に、近方にある視認対象物ＯＢ１を明瞭に視認できるように処方された度入りレンズになるように構成されてもよい（レンズ構成Ｃ６１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者がコンタクトレンズ９１、可変焦点レンズ２７を介して近方にある視認対象物ＯＢ１を視認した場合
（ｂ）使用者がコンタクトレンズ９１のみを介して近方にある視認対象物ＯＢ１を視認した場合
のいずれにおいても、近方にある視認対象物ＯＢ１を明瞭に視認することができる。因みに、コンタクトレンズ９１Ｒ、９１Ｌを、近方にある視認対象物ＯＢ１を明瞭に視認できるように処方された、度入りレンズになるように構成し、電極４７に所定の印加電圧が印加される状態において、コンタクトレンズ９１、可変焦点レンズ２７を介して視認対象物ＯＢ１を視認した際に、視認対象物ＯＢ１を明瞭に視認できるように、可変焦点レンズ２７を構成してもよい。
【０１７７】
また、レンズ構成がＣ６２である場合において、コンタクトレンズ９１Ｒ、９１Ｌは、使用者毎に、近方にある視認対象物ＯＢ１を明瞭に視認できるように処方された度入りレンズになるように構成されてもよい（レンズ構成Ｃ６２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者がコンタクトレンズ９１、可変焦点レンズ２７を介して近方にある視認対象物ＯＢ１を視認した場合
（ｄ）使用者がコンタクトレンズ９１のみを介して近方にある視認対象物ＯＢ１を視認した場合
のいずれにおいても、近方にある視認対象物ＯＢ１を明瞭に視認することができる。因みに、コンタクトレンズ９１Ｒ、９１Ｌを、近方にある視認対象物ＯＢ１を明瞭に視認できるように処方された、度入りレンズになるように構成し、電極４７に印加電圧が印加されない状態において、コンタクトレンズ９１、可変焦点レンズ２７を介して視認対象物ＯＢ１を視認した際に、視認対象物ＯＢ１を明瞭に視認できるように、可変焦点レンズ２７を構成してもよい。
【０１７８】
上述したレンズ構成Ｃ６１、Ｃ６１ａは、本願発明の第１のレンズ構成の一例を構成する。上述したレンズ構成Ｃ６２、Ｃ６２ａは、本願発明の第２のレンズ構成の一例を構成する。上述したレンズ構成Ｃ６１ａ、Ｃ６２ａは、本願発明の第８のレンズ構成の一例を構成する。コンタクトレンズ９１Ｒ、９１Ｌは、非球面レンズであってもよい。
【０１７９】
レンズ構成がＣ６１である場合、上述したように、近方にある視認対象物ＯＢ１を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、左右の可変焦点レンズ２７Ｒ、２７Ｌが同じ性能を有する可変焦点レンズであり、近方にある視認対象物ＯＢ１を明瞭に視認する際、所定の印加電圧Ｖｎが、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲｎが印可され、電極４７Ｌには、印加電圧ＶＬｎが印可されるものとする。印加電圧Ｖｎ、ＶＲｎ、ＶＬｎは、製造段階で設定（決定）されるが、製品完成後に、使用者が、コンタクトレンズ９１、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。
【０１８０】
また、レンズ構成がＣ６２である場合、近方にある視認対象物ＯＢ１を視認する際に、電極４７Ｒ、４７Ｌに印加される印加電圧は、０であるが、製品完成後に、使用者が、コンタクトレンズ９１、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。（ここまで、レンズ構成の説明）
【０１８１】
なお、第６の実施形態における視力矯正装置は、電極４７に対する印加電圧を切り換えて、使用者が遠方にある視認対象物ＯＢ２を明瞭に視認できるように構成する。つまり、使用者は、この視力矯正装置を、老眼鏡、あるいは遠近両用眼鏡として使用することができる。
【０１８２】
（第７の実施形態）
第１の実施形態では、可変焦点レンズが固体レンズの前方側（視認対象物側）に配置されたが、固体レンズが可変焦点レンズの前方側（視認対象物側）に配置されてもよい。なお、視力矯正装置のブロック図は図５を参照する。
【０１８３】
視力矯正装置１１の基本構成について、説明する。最初に、第１の眼鏡１３について説明する。第１の眼鏡１３は、図１０に示すように、眼鏡フレーム１９、左右一対の可変焦点レンズ２７、柔軟な連結部３３、操作盤３５（操作盤３５Ｒ、３５Ｌ）を備えている。眼鏡フレーム１９には、第１の眼鏡１３の前面部分を構成し、左右一対の可変焦点レンズ２７を保持するフロント２１、フロント２１に連なるテンプル２３、磁石２５が設けられている。眼鏡フレーム１９は、本願発明の第１の眼鏡フレームの一例を構成する。
【０１８４】
第２の眼鏡１５について説明する。第２の眼鏡１５は、図１０に示すように、左右一対の固体レンズ１７、眼鏡フレーム２９を備えている。眼鏡フレーム２９には、第２の眼鏡１５の前面部分を構成し、左右一対の固体レンズ１７を保持するフロント３１が設けられている。眼鏡フレーム２９は、本願発明の第２の眼鏡フレームの一例を構成する。
【０１８５】
第２の眼鏡１５のフロント３１には、磁石３７が設けられており、磁石３７を眼鏡フレーム１９の磁石２５に吸着させることで、第２の眼鏡１５が第１の眼鏡１３に装着されるように構成されている。磁石３７を眼鏡フレーム１９の磁石２５に吸着させることで、第２の眼鏡１５が、第１の眼鏡１３の前方側（視認対象物側）、後方側（使用者側）のうち、前方側（視認対象物側）に配置され、固体レンズ１７が、可変焦点レンズ２７の前方側（視認対象物側）に、相対するように配置される。上述した可変焦点レンズ２７、固体レンズ１７は、第２の光学系の一例を構成する。第２の眼鏡１５は、磁石２５、磁石３７により、第１の眼鏡１３に対して、着脱自在に設けられる（第３のレンズ保持構成）。なお、固体レンズ１７が保持された第２の眼鏡フレームを、可変焦点レンズが保持された第１の眼鏡フレームに後付けするようにしてもよい。上述した磁石２５、磁石３７は、着脱手段の一例を構成する。なお、第１の実施形態のように、第２の眼鏡１５を跳ね上げる（回動させる）ことにより、第１の眼鏡１３のみ（つまり、可変焦点レンズ２７のみ）で視認対象物を視認できるようにしてもよい。なお、固体レンズ１７が保持された第２の眼鏡１５を、可変焦点レンズ２７が保持された第１の眼鏡１３に後付けするようにしてもよい。また、把持機構あるいは係止手段を用い、一般的な度付き眼鏡に第２の眼鏡１５（可変焦点眼鏡）を後付けしてもよい。（第３のレンズ保持構成）。（ここまで、視力矯正装置１１の基本構成の説明）。
【０１８６】
操作盤３５、可変焦点レンズ２７の基本構成、レンズ駆動回路４３、制御部４５、操作部７５、モードに関する説明は、第１の実施形態で説明した当該部分を引用する。ただし、引用する可変焦点レンズ２７の基本構成の文中、「図６」が「図１１」に置き換えられるものとする。
【０１８７】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７、可変焦点レンズ２７が構成されるレンズ構成（以下、レンズ構成Ｃ７１と称するものとする）。
（２）電極４７Ｒ、４７Ｌに印加電圧が印加されない状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７、可変焦点レンズ２７が構成されるレンズ構成（以下、レンズ構成Ｃ７２と称するものとする）。
【０１８８】
なお、レンズ構成がＣ７１である場合において、固体レンズ１７Ｒ、１７Ｌは、使用者毎に、所定の距離Ｌ３にある視認対象物ＯＢ３を明瞭に視認できるように処方された度入りレンズになるように構成されてもよい（レンズ構成Ｃ７１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者が固体レンズ１７、可変焦点レンズ２７を介して所定の距離Ｌ３にある視認対象物ＯＢ３を視認した場合
（ｂ）使用者が固体レンズ１７のみを介して所定の距離Ｌ３にある視認対象物ＯＢ３を視認した場合
のいずれにおいても、所定の距離Ｌ３にある視認対象物ＯＢ３を明瞭に視認することができる。因みに、固体レンズ１７Ｒ、１７Ｌを、所定の距離Ｌ３にある視認対象物ＯＢ３を明瞭に視認できるように処方された、度入りレンズになるように構成し、電極４７に所定の印加電圧が印加される状態において、固体レンズ１７、可変焦点レンズ２７を介して視認対象物ＯＢ３を視認した際に、視認対象物ＯＢ３を明瞭に視認できるように、可変焦点レンズ２７を構成してもよい。
【０１８９】
また、レンズ構成がＣ７２である場合において、固体レンズ１７Ｒ、１７Ｌは、使用者毎に、所定の距離Ｌ３にある視認対象物ＯＢ３を明瞭に視認できるように処方された度入りレンズになるように構成されてもよい（レンズ構成Ｃ７２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者が固体レンズ１７、可変焦点レンズ２７を介して所定の距離Ｌ３にある視認対象物ＯＢ３を視認した場合
（ｄ）使用者が固体レンズ１７のみを介して所定の距離Ｌ３にある視認対象物ＯＢ３を視認した場合
のいずれにおいても、所定の距離Ｌ３にある視認対象物ＯＢ３を明瞭に視認することができる。因みに、固体レンズ１７Ｒ、１７Ｌを、所定の距離Ｌ３にある視認対象物ＯＢ３を明瞭に視認できるように処方された、度入りレンズになるように構成し、電極４７に印加電圧が印加されない状態において、固体レンズ１７、可変焦点レンズ２７を介して視認対象物ＯＢ３を視認した際に、視認対象物ＯＢ３を明瞭に視認できるように、可変焦点レンズ２７を構成してもよい。
【０１９０】
上述したレンズ構成Ｃ７１、Ｃ７１ａは、本願発明の第３のレンズ構成の一例を構成する。上述したレンズ構成Ｃ７２、Ｃ７２ａは、本願発明の第４のレンズ構成の一例を構成する。固体レンズ１７Ｒ、１７Ｌは、非球面レンズであってもよい。
【０１９１】
レンズ構成がＣ７１である場合、上述したように、所定の距離Ｌ３にある視認対象物ＯＢ３を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ７１である場合、左右の可変焦点レンズ２７Ｒ、２７Ｌが同じ性能を有する可変焦点レンズであり、所定の距離Ｌ３にある視認対象物ＯＢ３を明瞭に視認する際、所定の印加電圧Ｖ３が、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲ３が印可され、電極４７Ｌには、印加電圧ＶＬ３が印可されるものとする。印加電圧Ｖ３、ＶＲ３、ＶＬ３は、製造段階で設定（決定）されるが、製品完成後に、使用者が、固体レンズ１７、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。
【０１９２】
また、レンズ構成がＣ７２である場合、所定の距離Ｌ３にある視認対象物ＯＢ３を視認する際に、電極４７Ｒ、４７Ｌに印加される印加電圧は、０であるが、製品完成後に、使用者が、固体レンズ１７、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。（ここまで、レンズ構成の説明）
【０１９３】
固体レンズ１７の度数決定方法（焦点距離決定方法）、製造工程に関する説明は、第１の実施形態で説明した当該部分を引用する。ただし、引用する文中、「Ｃ１１」が「Ｃ７１」に、「Ｃ１２」が「Ｃ７２」に置き換えられるものとする。また、引用する仮枠の眼鏡の説明部分において、仮枠の眼鏡のうち、前方側（視認対象物側）に、検査用固体レンズが交換自在に保持され、後方側（使用者側）に、可変焦点レンズ２７と同等性能の検査用可変焦点レンズが保持されるものとする。
【０１９４】
また、可変焦点レンズ２７の作動、教示方法は、第１の実施形態で説明した、可変焦点レンズ２７の作動、教示方法を引用する。ただし、「Ｃ１１」が「Ｃ７１」に、「Ｃ１２」が「Ｃ７２」に置き換えられるものとする。
【０１９５】
上記構成によれば、視力矯正装置１１は、使用者が視認対象物ＯＢ３を明瞭に視認できるように、使用者の視力を矯正することができる。これより、使用者が、視認対象物ＯＢ３を明瞭に視認できるようになる。
【０１９６】
また、上記構成によれば、第１の実施形態に記載した第１の効果、第２の効果、第４の効果乃至第７の効果と同様の効果を得ることができる。ただし、上記効果に記載されている「Ｃ１１」が「Ｃ７１」に、「Ｃ１２」が「Ｃ７２」に、「Ｃ１１ａ」が「Ｃ７１ａ」に、「Ｃ１２ａ」が「Ｃ７２ａ」に置き換えられるものとする。
【０１９７】
（第８の実施形態）
第７の実施形態では、使用者が所定の距離にある視認対象物を明瞭に視認できるようにしたが、使用者が遠方にある視認対象物を明瞭に視認できるようにしてもよい。また、使用者が近方にある視認対象物を明瞭に視認できるようにしてもよい。以下、図１０、図１１、図５を参照して説明する。なお、第７の実施形態と同様に、固体レンズが、可変焦点レンズの前方側（視認対象物側）に配置される。上述した固体レンズ１７、可変焦点レンズ２７は、第２の光学系の一例を構成する。
【０１９８】
視力矯正装置１１の基本構成は、第７の実施形態で説明した当該部分を引用する。また、操作盤３５は、第１の実施形態で説明した当該部分を引用する。可変焦点レンズ２７の基本構成、レンズ駆動回路４３、制御部４５、操作部７５、モードに関する説明は、第１の実施形態で説明した当該部分を引用する。ただし、引用する可変焦点レンズ２７の基本構成の文中、「図６」が「図１１」に置き換えられるものとする。
【０１９９】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、固体レンズ１７、可変焦点レンズ２７を介して、使用者が遠方にある視認対象物ＯＢ２を視認した際に、使用者が視認対象物ＯＢ２を明瞭に視認できるように、固体レンズ１７、可変焦点レンズ２７が構成されるレンズ構成（以下、レンズ構成Ｃ８１と称するものとする。）
（２）電極４７Ｒ、４７Ｌに印加電圧が印加されない状態において、固体レンズ１７、可変焦点レンズ２７を介して、使用者が遠方にある視認対象物ＯＢ２を視認した際に、使用者が視認対象物ＯＢ２を明瞭に視認できるように、固体レンズ１７、可変焦点レンズ２７が構成されるレンズ構成（以下、レンズ構成Ｃ８２と称するものとする。）
【０２００】
なお、レンズ構成がＣ８１である場合において、固体レンズ１７Ｒ、１７Ｌは、使用者毎に、遠方にある視認対象物ＯＢ２を明瞭に視認できるように処方された度入りレンズになるように構成されてもよい（レンズ構成Ｃ８１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者が固体レンズ１７、可変焦点レンズ２７を介して遠方にある視認対象物ＯＢ２を視認した場合
（ｂ）使用者が固体レンズ１７のみを介して遠方にある視認対象物ＯＢ２を視認した場合
のいずれにおいても、遠方にある視認対象物ＯＢ２を明瞭に視認することができる。因みに、固体レンズ１７Ｒ、１７Ｌを、遠方にある視認対象物ＯＢ２を明瞭に視認できるように処方された、度入りレンズになるように構成し、電極４７に所定の印加電圧が印加される状態において、固体レンズ１７、可変焦点レンズ２７を介して視認対象物ＯＢ２を視認した際に、視認対象物ＯＢ２を明瞭に視認できるように、可変焦点レンズ２７を構成してもよい。
【０２０１】
また、レンズ構成がＣ８２である場合において、固体レンズ１７Ｒ、１７Ｌは、使用者毎に、遠方にある視認対象物ＯＢ２を明瞭に視認できるように処方された度入りレンズになるように構成されてもよい（レンズ構成Ｃ８２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者が固体レンズ１７、可変焦点レンズ２７を介して遠方にある視認対象物ＯＢ２を視認した場合
（ｄ）使用者が固体レンズ１７のみを介して遠方にある視認対象物ＯＢ２を視認した場合
のいずれにおいても、遠方にある視認対象物ＯＢ２を明瞭に視認することができる。因みに、固体レンズ１７Ｒ、１７Ｌを、遠方にある視認対象物ＯＢ２を明瞭に視認できるように処方された、度入りレンズになるように構成し、電極４７に印加電圧が印加されない状態において、固体レンズ１７、可変焦点レンズ２７を介して視認対象物ＯＢ２を視認した際に、視認対象物ＯＢ２を明瞭に視認できるように、可変焦点レンズ２７を構成してもよい。
【０２０２】
上述したレンズ構成Ｃ８１、Ｃ８１ａは、本願発明の第３のレンズ構成の一例を構成する。上述したレンズ構成Ｃ８２、Ｃ８２ａは、本願発明の第４のレンズ構成の一例を構成する。上述したレンズ構成Ｃ８１ａ、Ｃ８２ａは、本願発明の第８のレンズ構成の一例を構成する。固体レンズ１７Ｒ、１７Ｌは、非球面レンズであってもよい。
【０２０３】
レンズ構成がＣ８１である場合、上述したように、遠方にある視認対象物ＯＢ２を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ８１である場合、左右の可変焦点レンズ２７Ｒ、２７Ｌが同じ性能を有する可変焦点レンズであり、遠方にある視認対象物ＯＢ２を明瞭に視認する際、所定の印加電圧Ｖｆが、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲｆが印可され、電極４７Ｌには、印加電圧ＶＬｆが印可されるものとする。印加電圧Ｖｆ、ＶＲｆ、ＶＬｆは、製造段階で設定（決定）されるが、製品完成後に、使用者が、固体レンズ１７、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。
【０２０４】
また、レンズ構成がＣ８２である場合、遠方にある視認対象物ＯＢ２を視認する際に、電極４７Ｒ、４７Ｌに印加される印加電圧は、０であるが、製品完成後に、使用者が、固体レンズ１７、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。（ここまで、レンズ構成の説明）
【０２０５】
また、固体レンズ１７の度数決定方法（焦点距離決定方法）、製造工程に関する説明は、第１の実施形態で説明した当該部分を引用する。ただし、引用する文中、「所定の距離Ｌ３」が「遠方」に、「ＯＢ３」が「ＯＢ２」に、「距離（Ｌ３）」が「距離（Ｌ２）」に、「印加電圧Ｖ３」が「印加電圧Ｖｆ」に、「Ｃ１１」が「Ｃ８１」に、Ｃ１２」が「Ｃ８２」に置き換えられるものとする。さらに、引用する仮枠の眼鏡の説明部分において、仮枠の眼鏡のうち、前方側（視認対象物側）に、検査用固体レンズが交換自在に保持され、後方側（使用者側）に、可変焦点レンズ２７と同等性能の検査用可変焦点レンズが保持されるものとする。
【０２０６】
また、可変焦点レンズ２７の作動、教示方法、遠近を視認する方法は、第２の実施形態で説明した当該部分を引用する。ただし、「Ｃ２１」が「Ｃ８１」に、「Ｃ２２」が「Ｃ８２」に置き換えられるものとする。
【０２０７】
上記構成によれば、視力矯正装置１１は、使用者が視認対象物ＯＢ２、視認対象物ＯＢ１を明瞭に視認できるように、使用者の視力を矯正することができる。
【０２０８】
また、上記構成によれば、第１の実施形態に記載した第１の効果、第２の効果、第４の効果乃至第７の効果と同様の効果を得ることができる。ただし、上記効果において、「所定の距離Ｌ３」が「遠方」に、「ＯＢ３」が「ＯＢ２」に、「Ｃ１１」が「Ｃ８１」に、「Ｃ１２」が「Ｃ８２」に、「Ｃ１１ａ」が「Ｃ８１ａ」に、「Ｃ１２ａ」が「Ｃ８２ａ」に置き換えられる。
【０２０９】
引用後の第５の効果について補足する。一般的に、使用者は、自動車を運転する場合、あるいは日常の生活において、遠方を視認する時間が長いので、レンズ構成がＣ８２である場合に、電力の消費を押さえることができる効果を有する。
【０２１０】
また、レンズ構成がＣ８２である場合には、遠方にある視認対象物ＯＢ２を明瞭に視認できる状態において電池切れしても、遠方にある視認対象物ＯＢ２を明瞭に視認できる状態が維持されるので、自動車運転時等において、安全性に優れている。
【０２１１】
また、印加電圧ＶＲｎ、ＶＬｎを再現する所定の操作（つまり、近方にある視認対象物ＯＢ１を明瞭に視認するための所定の操作）をすると、電極４７Ｒに対して、印加電圧ＶＲｎが印加され、電極４７Ｌに対して、印加電圧ＶＬｎが印加される。印加電圧ＶＲｎ、ＶＬｎは、使用者が個別に、近方にある視認対象物ＯＢ１を明瞭に視認できる際の印加電圧であるために、視力の異なる使用者、左右の視力が異なる使用者であっても、近方にある視認対象物ＯＢ１を明瞭に視認することができる。使用者は、この視力矯正装置を、老眼鏡、あるいは遠近両用眼鏡として使用することができる。
【０２１２】
（第９の実施形態）
第９の実施形態は、レンズ保持構成が、第２の光学系である場合の実施形態である。第９の実施形態のように、電極４７Ｒ、４７Ｌに所定の印加電圧が印加される状態、あるいは可印加電圧が印加されない状態において、固体レンズ１７、可変焦点レンズ２７を介して、使用者が近方にある視認対象物ＯＢ１を視認した際に、使用者が視認対象物ＯＢ１を明瞭に視認できるように、固体レンズ１７が構成されてもよい。図１０、図１１、図５を参照して、説明する。
【０２１３】
レンズ構成について、説明する。視力矯正装置１１は、使用者の視力を矯正するために、下記（１）項または（２）項のレンズ構成を取り得る。
（１）電極４７Ｒ、４７Ｌに所定の印加電圧が印加される状態において、固体レンズ１７、可変焦点レンズ２７を介して、使用者が近方にある視認対象物ＯＢ１を視認した際に、使用者が視認対象物ＯＢ１を明瞭に視認できるように、固体レンズ１７、可変焦点レンズ２７が構成されるレンズ構成（以下、レンズ構成Ｃ９１と称するものとする。）
（２）電極４７Ｒ、４７Ｌに印加電圧が印加されない状態において、固体レンズ１７、可変焦点レンズ２７を介して、使用者が近方にある視認対象物ＯＢ１を視認した際に、使用者が視認対象物ＯＢ１を明瞭に視認できるように、固体レンズ１７、可変焦点レンズ２７が構成されるレンズ構成（以下、レンズ構成Ｃ９２と称するものとする。）
【０２１４】
なお、レンズ構成がＣ９１である場合において、固体レンズ１７Ｒ、１７Ｌは、使用者毎に、近方にある視認対象物ＯＢ１を明瞭に視認できるように処方された度入りレンズになるように構成されてもよい（レンズ構成Ｃ９１ａ）。この場合、可変焦点レンズ２７は、電極４７Ｒ、４７Ｌに所定の印加電圧が印加される状態において、可変焦点レンズ２７に入射される光線を屈折させることなく通過させることができるように、あるいは実質的に屈折させることなく通過させることができるように構成される（後述する補足説明１参照）。この構成では、
（ａ）電極４７に所定の印加電圧が印加される状態において、使用者が固体レンズ１７、可変焦点レンズ２７を介して近方にある視認対象物ＯＢ１を視認した場合
（ｂ）使用者が固体レンズ１７のみを介して近方にある視認対象物ＯＢ１を視認した場合
のいずれにおいても、近方にある視認対象物ＯＢ１を明瞭に視認することができる。因みに、固体レンズ１７Ｒ、１７Ｌを、近方にある視認対象物ＯＢ１を明瞭に視認できるように処方された、度入りレンズになるように構成し、電極４７に所定の印加電圧が印加される状態において、固体レンズ１７、可変焦点レンズ２７を介して視認対象物ＯＢ１を視認した際に、視認対象物ＯＢ１を明瞭に視認できるように、可変焦点レンズ２７を構成してもよい。
【０２１５】
また、レンズ構成がＣ９２である場合において、固体レンズ１７Ｒ、１７Ｌは、使用者毎に、近方にある視認対象物ＯＢ１を明瞭に視認できるように処方された度入りレンズになるように構成されてもよい（レンズ構成Ｃ９２ａ）。この場合、可変焦点レンズ２７は、電極４７Ｒ、４７Ｌに所定の印加電圧が印加されない状態において、可変焦点レンズ２７に入射される光線を屈折させることなく通過させることができるように、あるいは実質的に屈折させることなく通過させることができるように構成される（後述する補足説明２参照）。この構成では、
（ｃ）電極４７に印加電圧が印加されない状態において、使用者が固体レンズ１７、可変焦点レンズ２７を介して近方にある視認対象物ＯＢ１を視認した場合
（ｄ）使用者が固体レンズ１７のみを介して近方にある視認対象物ＯＢ１を視認した場合
のいずれにおいても、近方にある視認対象物ＯＢ１を明瞭に視認することができる。因みに、固体レンズ１７Ｒ、１７Ｌを、近方にある視認対象物ＯＢ１を明瞭に視認できるように処方された、度入りレンズになるように構成し、電極４７に印加電圧が印加されない状態において、固体レンズ１７、可変焦点レンズ２７を介して視認対象物ＯＢ１を視認した際に、視認対象物ＯＢ１を明瞭に視認できるように、可変焦点レンズ２７を構成してもよい。
【０２１６】
上述したレンズ構成Ｃ９１、Ｃ９１ａは、本願発明の第３のレンズ構成の一例を構成する。上述したレンズ構成Ｃ９２、Ｃ９２ａは、本願発明の第４のレンズ構成の一例を構成する。固体レンズ１７Ｒ、１７Ｌは、非球面レンズであってもよい。
【０２１７】
レンズ構成がＣ９１である場合、上述したように、近方にある視認対象物ＯＢ１を明瞭に視認する際、所定の印加電圧が電極４７Ｒ、４７Ｌに印加される。電極４７Ｒ、４７Ｌに印加される所定の印加電圧は、システム構成により、左右同じ印加電圧、異なる印加電圧のいずれかが採用される。なお、以下の説明では、レンズ構成がＣ９１である場合、左右の可変焦点レンズ２７Ｒ、２７Ｌが同じ性能を有する可変焦点レンズであり、近方にある視認対象物ＯＢ１を明瞭に視認する際、所定の印加電圧Ｖｎが、電極４７Ｒ、４７Ｌ毎に、個別に印可されるものとする。因みに、電極４７Ｒ、４７Ｌに、異なる印加電圧が印可される場合、電極４７Ｒには、印加電圧ＶＲｎが印可され、電極４７Ｌには、印加電圧ＶＬｎが印可されるものとする。印加電圧Ｖｎ、ＶＲｎ、ＶＬｎは、製造段階で設定（決定）されるが、製品完成後に、使用者が、コンタクトレンズ９１、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。
【０２１８】
また、レンズ構成がＣ９２である場合、近方にある視認対象物ＯＢ１を視認する際に、電極４７Ｒ、４７Ｌに印加される印加電圧は、０であるが、製品完成後に、使用者が、コンタクトレンズ９１、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。（ここまで、レンズ構成の説明）
【０２１９】
なお、第９の実施形態における視力矯正装置は、電極４７に対する印加電圧を切り換えて、使用者が遠方にある視認対象物ＯＢ２を明瞭に視認できるように構成する。つまり、使用者は、この視力矯正装置を、老眼鏡、あるいは遠近両用眼鏡として使用することができる。
【０２２０】
（第１０の実施形態）
第１の実施形態乃至第９の実施形態の視力矯正装置は、複レンズ式の視力矯正装置式であったが、第１０の実施形態のように、視力矯正装置が、単レンズ式の視力矯正装置であってもよい。第１０の実施形態の視力矯正装置は、可変焦点レンズの電極（駆動体）に印加電圧（駆動量）が印加されていない状態において、可変焦点レンズを介して眼に屈折異常がある使用者が所定の距離にある視認対象物を視認した際に、使用者が所定の距離にある視認対象物を明瞭に視認できるように、使用者の視力に合わせて、可変焦点レンズが構成（あるいは加工）される（レンズ構成Ｃ１０１）。可変焦点レンズは、使用者の視力に合わせて、左右の可変焦点レンズ毎に構成（あるいは加工）する。上述したレンズ構成（レンズ構成Ｃ１０１）は、第５のレンズ構成の一例を構成する。また、上述した可変焦点レンズは、第３の光学系の一例を構成する。
【０２２１】
視力矯正装置１１の基本構成について、説明する。図１２は、視力矯正装置の平面図、図１３は、視力矯正装置の正面図、図１４は、可変焦点レンズの説明図である。視力矯正装置のブロック図は、図５を参照する。図１２、図１３に示すように、視力矯正装置１１は、左右一対の可変焦点レンズ２７、眼鏡フレーム９３の前面部分を構成し、可変焦点レンズ２７を保持するフロント２１、フロント２１に連なるテンプル２３を備えている。テンプル２３には、操作部７５が一体に設けられている。（ここまで、視力矯正装置１１の基本構成の説明）
【０２２２】
操作盤３５、レンズ駆動回路４３、制御部４５、操作部７５モードの説明は、第１の実施形態の当該部分を引用する。ただし、引用する文中、「図６」が「図１４」に置き換えられるものとする。
【０２２３】
可変焦点レンズ２７の基本構成について、説明する。可変焦点レンズ２７は、液晶４９に印加される印加電圧に応じて液晶分子の方向が変化することを利用して屈折率を変化させ、度数、焦点距離を変更することができるレンズであり、右側の可変焦点レンズ２７Ｒ、左側の可変焦点レンズ２７Ｌを備えている。右側の可変焦点レンズ２７Ｒ、左側の可変焦点レンズ２７Ｌは、それぞれ、図１４に示すように、使用者側から視認対象物側に向かって、前面レンズ２７ａ、第１の電極４７ａ、第１の絶縁パターン５１、第１の配向膜５３、液晶４９、第２の配向膜５５、第２の絶縁パターン５７、第２の電極４７ｂ、後面レンズ２７ｂが順次、配置される。可変焦点レンズ２７は、固体レンズ１７と別体に設けられる。なお、可変焦点レンズ２７の構成、電極の構成は、上述した例に限定されるものではない。周知のように、種々の可変焦点レンズが公開されており、適宜、液晶の性質、用途などに応じて、使い分けるものとする。
【０２２４】
なお、以下の説明では、可変焦点レンズ２７Ｒに設けられる電極４７を電極４７Ｒと称し、可変焦点レンズ２７Ｌに設けられる電極４７を電極４７Ｌと称するものとする。上述した電極４７Ｒは、本願発明の第１の駆動体を構成する。また、電極４７Ｌは、本願発明の第２の駆動体を構成する。通常、前面レンズ２７ａ、後面レンズ２７ｂは、所定の曲率を有するが、前面レンズ２７ａ、後面レンズ２７ｂのうち、少なくとも一方が平面状に加工されていてもよい。液晶４９は、所定の状態に配向される。（ここまで、可変焦点レンズ２７の基本構成の説明）
【０２２５】
上述した可変焦点レンズ２７のうち、可変焦点レンズ２７Ｒは、電極４７Ｒに印加電圧が印加されない状態において、使用者が右眼で可変焦点レンズ２７Ｒを介して所定の距離Ｌ３にある視認対象物ＯＢ３を視認した際に、使用者が視認対象物ＯＢ３を明瞭に視認できるように（視認対象物ＯＢ３の像が、使用者の網膜に結像するように）、後面レンズ２７ｂのレンズ面２７ｅが加工される。レンズ面２７ｅの加工は、完成された量産品の後加工でもよい。また、上述した可変焦点レンズ２７のうち、可変焦点レンズ２７Ｌは、電極４７Ｌに印加電圧が印加されない状態において、使用者が左眼で可変焦点レンズ２７Ｌを介して所定の距離Ｌ３にある視認対象物ＯＢ３を視認した際に、使用者が視認対象物ＯＢ３を明瞭に視認できるように（視認対象物ＯＢ３の像が、使用者の網膜に結像するように）、後面レンズ２７ｂのレンズ面２７ｅが加工される。レンズ面２７ｅの加工は、完成された量産品の後加工でもよい。
【０２２６】
例えば、使用者が視認対象物ＯＢ３を明瞭に視認するのに、度数２Ｄが必要な場合、可変焦点レンズ２７の度数が２Ｄとなるように、後面レンズ２７ｂのレンズ面２７ｅを加工する。度数２．５Ｄが必要な場合、可変焦点レンズ２７の度数が２．５Ｄとなるように、後面レンズ２７ｂのレンズ面２７ｅを加工する。加工は、使用者の左右の視力に合わせて、可変焦点レンズ２７Ｒ、２７Ｌ毎に行われる。なお、レンズ面２７ｅの代わりに、レンズ面２７ｃを加工してもよい。レンズ面２７ｃの加工は、完成された量産品の後加工でもよい。また、レンズ面２７ｃ、レンズ面２７ｅの両方を加工してもよい。
【０２２７】
このように、可変焦点レンズ２７は、電極４７（駆動体）に印加電圧（駆動量）が印加されない状態において、所定の距離Ｌ３にある視認対象物ＯＢ３を明瞭に視認できるように処方された、度入りレンズとなる。（ここまで、可変焦点レンズ２７の作動の説明）
【０２２８】
なお、所定の距離Ｌ３にある視認対象物ＯＢ３を視認する際に、電極４７Ｒ、４７Ｌに印加される印加電圧は、０であるが、製品完成後に、使用者が、可変焦点レンズ２７を介して、所定の距離Ｌ３にある視認対象物ＯＢ３を視認し、使用者が視認対象物ＯＢ３を明瞭に視認できる際の印可電圧を、使用者が教示（記憶部６９に記憶）したものを用いてもよい。
【０２２９】
上記構成によれば、視力の異なる使用者であっても、電極４７に印加電圧が印加されない状態において、使用者毎に、所定の距離Ｌ３にある視認対象物ＯＢ３を明瞭に視認することができる。また、特許文献２のように、固体レンズと液晶レンズの両方を加工して、貼り合わせる必要がない。また、量産化された可変焦点レンズを用いたとしても、使用者の視力に応じて、可変焦点レンズのレンズ面を加工（あるいは後加工）すればよく、生産性が極めて向上する。その結果、眼に屈折異常がある使用者であっても、個々の使用者に合ったレンズを比較的容易に構成できる視力矯正装置を提供することができる。
【０２３０】
なお、前面レンズ２７ａ、後面レンズ２７ｂに屈折度の違う材質を用いて、必要とする度数となるように、内面２７ｄ、内面２７ｆを加工してもよい。また、その他の方法として、第１の配向膜５３、第２の配向膜５５の形状を変更してもよい。
【０２３１】
（第１１の実施形態）
第１０の実施形態では、可変焦点レンズの電極に印加電圧が印加されない状態において、可変焦点レンズを介して使用者が所定の距離にある視認対象物を視認した際に、使用者が所定の距離にある視認対象物を明瞭に視認できるように、可変焦点レンズが構成（加工）されたが、可変焦点レンズの電極（駆動体）に印加電圧（駆動量）が印加されない状態において、可変焦点レンズを介して使用者が遠方にある視認対象物を視認した際に、使用者が遠方にある視認対象物を明瞭に視認できるように、可変焦点レンズが構成（あるいは加工）されてもよい（レンズ構成Ｃ１０２）。上述したレンズ構成（レンズ構成Ｃ１０２）は、第５のレンズ構成の一例を構成する。また、上述した可変焦点レンズは、第３の光学系の一例を構成する。
【０２３２】
視力矯正装置１１の基本構成、可変焦点レンズ２７の基本構成は、第１０の実施形態で説明した当該部分を引用する。操作盤３５、レンズ駆動回路４３、制御部４５、操作部７５モードの説明は、第１の実施形態の当該部分を引用する。ただし、引用する文中、「図６」が「図１４」に置き換えられるものとする。
【０２３３】
上述した可変焦点レンズ２７のうち、可変焦点レンズ２７Ｒは、電極４７Ｒに印加電圧が印加されない状態において、使用者が右眼で可変焦点レンズ２７Ｒを介して遠方にある視認対象物ＯＢ２を視認した際に、使用者が視認対象物ＯＢ２を明瞭に視認できるように（視認対象物ＯＢ２の像が、使用者の網膜に結像するように）、後面レンズ２７ｂのレンズ面２７ｅが加工される。また、上述した可変焦点レンズ２７のうち、可変焦点レンズ２７Ｌは、電極４７Ｌに印加電圧が印加されない状態において、使用者が左眼で可変焦点レンズ２７Ｌを介して遠方にある視認対象物ＯＢ２を視認した際に、使用者が視認対象物ＯＢ２を明瞭に視認できるように（視認対象物ＯＢ２の像が、使用者の網膜に結像するように）、後面レンズ２７ｂのレンズ面２７ｅが加工される。
【０２３４】
例えば、使用者が視認対象物ＯＢ２を明瞭に視認するのに、度数２Ｄが必要な場合、可変焦点レンズ２７の度数が２Ｄとなるように、後面レンズ２７ｂのレンズ面２７ｅを加工する。度数２．５Ｄが必要な場合、可変焦点レンズ２７の度数が２．５Ｄとなるように、後面レンズ２７ｂのレンズ面２７ｅを加工する。レンズ面２７ｅの加工は、完成された量産品の後加工でもよい。加工は、使用者の左右の視力に合わせて、可変焦点レンズ２７Ｒ、２７Ｌ毎に行われる。なお、レンズ面２７ｅの代わりに、レンズ面２７ｃを加工してもよい。レンズ面２７ｃの加工は、完成された量産品の後加工でもよい。また、レンズ面２７ｃ、レンズ面２７ｅの両方を加工してもよい。
【０２３５】
上記構成によれば、視力矯正装置１１は、電極４７Ｒ、４７Ｌに印加電圧が印加されない状態において、使用者が遠方にある視認対象物ＯＢ２を明瞭に視認することがきる遠方明視状態となる。この場合、可変焦点レンズ２７は、電極４７（駆動体）に印加電圧（駆動量）が印加されない状態において、遠方にある視認対象物ＯＢ２を明瞭に視認できるように処方された、度入りレンズとなる。
【０２３６】
なお、前面レンズ２７ａ、後面レンズ２７ｂに屈折度の違う材質を用いて、必要とする度数となるように、内面２７ｄ、内面２７ｆを加工してもよい。また、その他の方法として、第１の配向膜５３、第２の配向膜５５の形状を変更してもよい。
【０２３７】
また、電極４７Ｒに所定の印加電圧ＶＲｎが印加され、電極４７Ｌに所定の印加電圧ＶＬｎが印加されると、使用者が固体レンズ１７、可変焦点レンズ２７を介して近方にある視認対象物ＯＢ１を視認した際に、使用者が視認対象物ＯＢ１を明瞭に視認できるように、可変焦点レンズ２７Ｒ、２７Ｌの液晶分子の楕円長軸が配向される。つまり、視力矯正装置１１は、電極４７Ｒに所定の印加電圧ＶＲｎが印加され、電極４７Ｌに所定の印加電圧ＶＬｎが印加される状態において、使用者が近方にある視認対象物ＯＢ１を明瞭に視認することがきる近方明視状態となる。上述した印加電圧ＶＲｎ、ＶＬｎは、製造段階で設定（決定）されるが、製品完成後に、使用者が、固体レンズ１７、可変焦点レンズ２７を介して、近方にある視認対象物ＯＢ１を視認し、使用者が視認対象物ＯＢ１を明瞭に視認できる際の印可電圧を、使用者が教示（記憶部６９に記憶）したものを用いてもよい。（ここまで、可変焦点レンズ２７の作動の説明）
【０２３８】
ここで、印加電圧ＶＲｎ、ＶＬｎを教示する教示方法について、説明する。教示を行うには、モード切換ボタン８３を押して、教示モードにする。教示モード時に、使用者が指でタッチセンサ７９に触れると、制御部４５に所定の信号が入力される。そして、使用者がタッチセンサ７９から指を離すと、上述した信号の入力が停止される。制御部４５に信号が入力されるごとに、電極４７Ｒに印加する印加電圧が増加、減少を交互に繰り返すように、レンズ駆動回路４３Ｒが印加電圧を制御する。タッチセンサ７９を触れている間は、印加電圧の増加、減少が維持され、指を離すと、停止する。
【０２３９】
また、教示モード時に、使用者が指でタッチセンサ８５に触れると、制御部４５に所定の信号が入力される。そして、使用者がタッチセンサ８５から指を離すと、上述した信号の入力が停止される。制御部４５に信号が入力されるごとに、電極４７Ｌに印加する印加電圧が増加、減少を交互に繰り返すように、レンズ駆動回路４３Ｌが印加電圧を制御する。タッチセンサ８５を触れている間は、印加電圧の増加、減少が維持され、指を離すと、停止する。
【０２４０】
印加電圧ＶＲｎを教示する方法について、説明する。最初に、使用者が可変焦点レンズ２７Ｒを介して、近方にある視認対象物ＯＢ１を右眼で視認する。この際、左眼側は、手で覆うか、遮蔽体で遮蔽する。次に、使用者がタッチセンサ７９に指で触れて、あるいは指を離して、レンズ駆動回路４３Ｒを駆動させ、視認対象物ＯＢ１が最も明瞭に視認できるように、可変焦点レンズ２７Ｒの度数、あるいは焦点距離を変化させる。そして、登録ボタン８７を押す。この際、電極４７Ｒに印加された印加電圧ＶＲｎが、記憶部６９に記憶される。
【０２４１】
印加電圧ＶＬｎを教示する方法について、説明する。使用者が可変焦点レンズ２７Ｌを介して、近方にある視認対象物ＯＢ１を左眼で視認する。この際、右眼側は、手で覆うか、遮蔽体で遮蔽する。次に、使用者がタッチセンサ８５に指で触れて、あるいは指を離して、レンズ駆動回路４３Ｌを駆動させ、視認対象物ＯＢ１が最も明瞭に視認できるように、可変焦点レンズ２７Ｌの度数、焦点距離を変化させる。そして、登録ボタン８７を押す。この際、電極４７Ｌに印加された印加電圧ＶＬｎが、記憶部６９に記憶される。
【０２４２】
なお、遠方にある視認対象物ＯＢ２を視認する際に、電極４７Ｒ、４７Ｌに印加される印加電圧は、０であるが、製品完成後に、使用者が、可変焦点レンズ２７を介して、遠方にある視認対象物ＯＢ２を視認し、使用者が視認対象物ＯＢ２を明瞭に視認できる際の印可電圧を、使用者が教示（記憶部６９に記憶）したものを用いてもよい。教示方法については、省略する。
【０２４３】
次に、遠近を視認する方法（使用者が遠方にある視認対象物ＯＢ２、近方にある視認対象物ＯＢ１を視認する方法）について、説明する。
【０２４４】
（電源のオン、オフにより、遠近を切り換える場合）
（１）電源がオフになっている場合、制御ブロック３９に電力が供給されず、電極４７に印加電圧が印加されない（印加電圧が０となる）。この場合、使用者が遠方にある視認対象物ＯＢ２を明瞭に視認できる遠方明視状態となる。
（２）電極４７Ｒ、４７Ｌに印加電圧が印加されず、遠方明視状態にあるとき、使用者が電源スイッチ７７を押すと、制御ブロック３９に電力が供給され、自動的に、電極４７Ｒに印加電圧ＶＲｎが印加され、電極４７Ｌに印加電圧ＶＬｎが印加される。この際、液晶分子の楕円長軸の配向状態が変化し、視力矯正装置１１は、使用者が近方にある視認対象物ＯＢ１を明瞭に視認できる近方明視状態となる。つまり、電力を供給する所定の操作を行うことで、印加電圧ＶＲｎ、ＶＬｎが再現され、近方にある視認対象物ＯＢ１を明瞭に視認することができる。
（３）電極４７Ｒに印加電圧ＶＲｎが印加され、電極４７Ｌに印加電圧ＶＬｎが印加されており、近方明視状態にあるとき、使用者が電源スイッチ７７を押して、制御ブロック３９に供給されていた電力を停止すると、電極４７Ｒ、４７Ｌに印加電圧が印加されなくなる（印加電圧が０になる）。この際、液晶分子の楕円長軸の配向状態が変化し、視力矯正装置１１は、使用者が遠方にある視認対象物ＯＢ２を明瞭に視認できる遠方明視状態となる。つまり、電力を停止する所定の操作を行い、印加電圧０を再現することで、遠方にある視認対象物ＯＢ２を明瞭に視認することができる。
【０２４５】
このように、電源をオン、オフすることにより、近方明視状態と、遠方明視状態とを切り換える。
【０２４６】
（所定のスイッチにより、遠近を切り換える場合）
（１）電源がオフになっている場合、制御ブロック３９に電力が供給されず、電極４７Ｒ、４７Ｌに印加電圧が印加されない（印加電圧が０となる）。この場合、使用者が遠方にある視認対象物ＯＢ２を明瞭に視認できる遠方明視状態となる。
（２）この状態で電源をオンすると、制御ブロック３９に電力が供給される。ただし、この段階では、電極４７Ｒ、４７Ｌに印加電圧が印加されない（印加電圧は０のままである）。
（３）制御ブロック３９に電力が供給され、電極４７Ｒ、４７Ｌに印加電圧が印加されていない状態で、使用者がタッチセンサ７９、タッチセンサ８５のうち、いずれかのタッチセンサを操作する（押す、触る）と、電極４７Ｒに印加電圧ＶＲｎが印加され、電極４７Ｌに印加電圧ＶＬｎが印加されるように制御される。この際、液晶分子の楕円長軸の配向状態が変化し、視力矯正装置１１は、使用者が近方にある視認対象物ＯＢ１を明瞭に視認できる近方明視状態となる。つまり、所定の操作を行い、印加電圧ＶＲｎ、ＶＬｎを再現することで、近方にある視認対象物ＯＢ１を明瞭に視認することができる。
（４）電極４７Ｒに印加電圧ＶＲｎが印加され、電極４７Ｌに印加電圧Ｖｎが印加されており、近方明視状態にあるとき、使用者がタッチセンサ７９、タッチセンサ８５のうち、いずれかのタッチセンサを操作する（押す、触る）と、電極４７Ｒ、４７Ｌに印加電圧が印加されなくなる（印加電圧が０となる）。この際、液晶分子の楕円長軸の配向状態が変化し、視力矯正装置１１は、使用者が遠方にある視認対象物ＯＢ２を明瞭に視認できる遠方明視状態となる。つまり、所定の操作を行い、印加電圧を０にすることで、遠方にある視認対象物ＯＢ２を明瞭に視認することができる。
【０２４７】
このように、タッチセンサ７９、タッチセンサ８５のうち、いずれかのタッチセンサを操作する（押す、触る）ことで、電極４７Ｒ、４７Ｌに印加する印加電圧を切り換え、近方明視状態と、遠方明視状態とを切り換える。
【０２４８】
上記構成によれば、視力の異なる使用者であっても、電極４７に印加電圧が印加されない状態において、使用者毎に、遠方にある視認対象物ＯＢ２を明瞭に視認することができる。また、特許文献２のように、固体レンズと液晶レンズの両方を加工して、貼り合わせる必要がない。また、量産化された可変焦点レンズを用いたとしても、使用者の視力に応じて、可変焦点レンズのレンズ面を加工すればよく、生産性が極めて向上する。その結果、眼に屈折異常がある使用者であっても、個々の使用者に合ったレンズを比較的容易に構成できる視力矯正装置を提供することができる。
【０２４９】
しかも、遠方にある視認対象物ＯＢ２を明瞭に視認する際に、電極４７（駆動体）に印加電圧（駆動量）が印加されないので、電力の消費を押さえることができる視力矯正装置を提供することができる。
【０２５０】
また、印加電圧ＶＲｎ、ＶＬｎを再現する所定の操作（つまり、近方にある視認対象物ＯＢ１を明瞭に視認するための所定の操作）をすると、電極４７Ｒに対して、印加電圧ＶＲｎが印加され、電極４７Ｌに対して、印加電圧ＶＬｎが印加される。印加電圧ＶＲｎ、ＶＬｎは、使用者が個別に、近方にある視認対象物ＯＢ１を明瞭に視認できる際の印加電圧であるために、視力の異なる使用者、左右の視力が異なる使用者であっても、近方にある視認対象物ＯＢ１を明瞭に視認することができる。使用者は、この視力矯正装置を、老眼鏡、あるいは遠近両用眼鏡として使用することができる。
【０２５１】
（第１２の実施形態）
第１１の実施形態では、可変焦点レンズの電極（駆動体）に印加電圧（駆動量）が印加されない状態において、可変焦点レンズを介して使用者が遠方にある視認対象物を視認した際に、使用者が遠方にある視認対象物を明瞭に視認できるように、可変焦点レンズが構成（あるいは加工）されたが、可変焦点レンズの電極（駆動体）に印加電圧（駆動量）が印加されない状態において、可変焦点レンズを介して使用者が近方にある視認対象物を視認した際に、使用者が近方にある視認対象物を明瞭に視認できるように、可変焦点レンズが構成（あるいは加工）されてもよい（レンズ構成Ｃ１０３）。上述したレンズ構成（レンズ構成Ｃ１０３）は、第５のレンズ構成の一例を構成する。また、上述した可変焦点レンズは、第３の光学系の一例を構成する。
【０２５２】
なお、第１２の実施形態における視力矯正装置は、電極４７に対する印加電圧を切り換えて、使用者が遠方にある視認対象物ＯＢ２を明瞭に視認できるように構成する。つまり、使用者は、この視力矯正装置を、老眼鏡、あるいは遠近両用眼鏡として使用することができる。
【０２５３】
（第１３の実施形態）
レンズ構成がＣ２１であるレンズ構成（第２の実施形態に記載）において、固体レンズ１７が、近方にある視認対象物を明瞭に視認できるように処方された、度入りレンズになるように構成されてもよい（レンズ構成Ｃ２１ｂ）。図１乃至図６を参照して、説明する。視力矯正装置１１の基本構成は、第１の実施形態に記載された当該部分を引用する。
【０２５４】
このレンズ構成（レンズ構成Ｃ２１ｂ）では、使用者は、固体レンズ１７のみを介して、近方にある視認対象物ＯＢ１を明瞭に視認することができ、可変焦点レンズ２７に所定の印加電圧が印加される状態で、固体レンズ１７、可変焦点レンズ２７を介して、遠方にある視認対象物ＯＢ２を明瞭に視認することができる。上述したレンズ構成Ｃ２１ｂは、本願発明の第９のレンズ構成の一例を構成する。
【０２５５】
（第１４の実施形態）
レンズ構成がＣ２２であるレンズ構成（第２の実施形態に記載）において、固体レンズ１７が、近方にある視認対象物ＯＢ１を明瞭に視認できるように処方された、度入りレンズになるように構成されてもよい（レンズ構成Ｃ２２ｂ）。図１乃至図６を参照して、説明する。視力矯正装置１１の基本構成は、第１の実施形態に記載された当該部分を引用する。
【０２５６】
このレンズ構成（レンズ構成Ｃ２２ｂ）では、使用者は、固体レンズ１７のみを介して、近方にある視認対象物ＯＢ１を明瞭に視認することができ、可変焦点レンズ２７に印加電圧が印加されない状態で、固体レンズ１７、可変焦点レンズ２７を介して、遠方にある視認対象物ＯＢ２を明瞭に視認することができる。上述したレンズ構成Ｃ２２ｂは、本願発明の第９のレンズ構成の一例を構成する。
【０２５７】
（第１５の実施形態）
レンズ構成がＣ３１であるレンズ構成（第３の実施形態に記載）において、固体レンズ１７が、遠方にある視認対象物ＯＢ２を明瞭に視認できるように処方された、度入りレンズになるように構成されてもよい（レンズ構成Ｃ３１ｂ）。図１乃至図６を参照して、説明する。視力矯正装置１１の基本構成は、第１の実施形態に記載された当該部分を引用する。視力矯正装置１１の基本構成は、第１の実施形態に記載された当該部分を引用する。
【０２５８】
このレンズ構成（レンズ構成Ｃ３１ｂ）では、使用者は、固体レンズ１７のみを介して、遠方にある視認対象物ＯＢ２を明瞭に視認することができ、可変焦点レンズ２７に所定の印加電圧が印加される状態で、固体レンズ１７、可変焦点レンズ２７を介して、近方にある視認対象物ＯＢ１を明瞭に視認することができる。上述したレンズ構成Ｃ３１ｂは、本願発明の第１０のレンズ構成の一例を構成する。
【０２５９】
（第１６の実施形態）
レンズ構成がＣ３２であるレンズ構成（第３の実施形態を参照）において、固体レンズ１７が、遠方にある視認対象物ＯＢ２を明瞭に視認できるように処方された、度入りレンズになるように構成されてもよい（レンズ構成Ｃ３２ｂ）。図１乃至図６を参照して、説明する。視力矯正装置１１の基本構成は、第１の実施形態に記載された当該部分を引用する。
【０２６０】
このレンズ構成（レンズ構成Ｃ３２ｂ）では、使用者は、固体レンズ１７のみを介して、遠方にある視認対象物ＯＢ２を明瞭に視認することができ、可変焦点レンズ２７に印加電圧が印加されない状態で、固体レンズ１７、可変焦点レンズ２７を介して、近方にある視認対象物ＯＢ１を明瞭に視認することができる。上述したレンズ構成Ｃ３２ｂは、本願発明の第１０のレンズ構成の一例を構成する。
【０２６１】
（第１７の実施形態）
レンズ構成がＣ５１であるレンズ構成（第５の実施形態に記載）において、コンタクトレンズ９１が、近方にある視認対象物ＯＢ１を明瞭に視認できるように処方された、度入りレンズになるように構成されてもよい（レンズ構成Ｃ５１ｂ）。図７、図８、図９、図５を参照して、説明する。視力矯正装置１１の基本構成は、第４の実施形態に記載された当該部分を引用する。
【０２６２】
このレンズ構成（レンズ構成Ｃ５１ｂ）では、使用者は、コンタクトレンズ９１のみを介して、近方にある視認対象物ＯＢ１を明瞭に視認することができ、可変焦点レンズ２７に所定の印加電圧が印加される状態で、コンタクトレンズ９１、可変焦点レンズ２７を介して、遠方にある視認対象物ＯＢ２を明瞭に視認することができる。上述したレンズ構成Ｃ５１ｂは、本願発明の第９のレンズ構成の一例を構成する。
【０２６３】
（第１８の実施形態）
レンズ構成がＣ５２であるレンズ構成（第５の実施形態に記載）において、コンタクトレンズ９１が、近方にある視認対象物ＯＢ１を明瞭に視認できるように処方された、度入りレンズになるように構成されてもよい（レンズ構成Ｃ５２ｂ）。図７、図８、図９、図５を参照して、説明する。視力矯正装置１１の基本構成は、第４の実施形態に記載された当該部分を引用する。
【０２６４】
このレンズ構成（レンズ構成Ｃ５２ｂ）では、使用者は、固体レンズ１７のみを介して、近方にある視認対象物ＯＢ１を明瞭に視認することができ、可変焦点レンズ２７に印加電圧が印加されない状態で、固体レンズ１７、可変焦点レンズ２７を介して、遠方にある視認対象物ＯＢ２を明瞭に視認することができる。上述したレンズ構成Ｃ５２ｂは、本願発明の第９のレンズ構成の一例を構成する。
【０２６５】
（第１９の実施形態）
レンズ構成がＣ６１であるレンズ構成（第６の実施形態に記載）において、コンタクトレンズ９１が、遠方にある視認対象物ＯＢ２を明瞭に視認できるように処方された、度入りレンズになるように構成されてもよい（レンズ構成Ｃ６１ｂ）。図７、図８、図９、図５を参照して、説明する。視力矯正装置１１の基本構成は、第４の実施形態に記載された当該部分を引用する。
【０２６６】
このレンズ構成（レンズ構成Ｃ６１ｂ）では、使用者は、コンタクトレンズ９１のみを介して、遠方にある視認対象物ＯＢ２を明瞭に視認することができ、可変焦点レンズ２７に所定の印加電圧が印加される状態で、コンタクトレンズ９１、可変焦点レンズ２７を介して、近方にある視認対象物ＯＢ１を明瞭に視認することができる。上述したレンズ構成Ｃ６１ｂは、本願発明の第１０のレンズ構成の一例を構成する。
【０２６７】
（第２０の実施形態）
レンズ構成がＣ６２であるレンズ構成（第６の実施形態を参照）において、コンタクトレンズ９１が、遠方にある視認対象物ＯＢ２を明瞭に視認できるように処方された、度入りレンズになるように構成されてもよい（レンズ構成Ｃ６２ｂ）。図７、図８、図９、図５を参照して、説明する。視力矯正装置１１の基本構成は、第４の実施形態に記載された当該部分を引用する。
【０２６８】
このレンズ構成では、使用者は、コンタクトレンズ９１のみを介して、遠方にある視認対象物ＯＢ２を明瞭に視認することができ、可変焦点レンズ２７に印加電圧が印加されない状態で、コンタクトレンズ９１、可変焦点レンズ２７を介して、近方にある視認対象物ＯＢ１を明瞭に視認することができる。上述したレンズ構成Ｃ６２ｂは、本願発明の第１０のレンズ構成の一例を構成する。
【０２６９】
（第２１の実施形態）
レンズ構成がＣ８１であるレンズ構成（第８の実施形態に記載）において、固体レンズ１７が、近方にある視認対象物ＯＢ１を明瞭に視認できるように処方された、度入りレンズになるように構成されてもよい（レンズ構成Ｃ８１ｂ）。図１０、図１１、図５を参照して説明する。視力矯正装置１１の基本構成は、第７の実施形態に記載された当該部分を引用する。
【０２７０】
このレンズ構成（レンズ構成Ｃ８１ｂ）では、使用者は、固体レンズ１７のみを介して、近方にある視認対象物ＯＢ１を明瞭に視認することができ、可変焦点レンズ２７に所定の印加電圧が印加される状態で、固体レンズ１７、可変焦点レンズ２７を介して、遠方にある視認対象物ＯＢ２を明瞭に視認することができる。上述したレンズ構成Ｃ８１ｂは、本願発明の第１１のレンズ構成の一例を構成する。
【０２７１】
（第２２の実施形態）
レンズ構成がＣ８２であるレンズ構成（第８の実施形態に記載）において、固体レンズ１７が、近方にある視認対象物ＯＢ１を明瞭に視認できるように処方された、度入りレンズになるように構成されてもよい（レンズ構成Ｃ８２ｂ）。図１０、図１１、図５を参照して説明する。視力矯正装置１１の基本構成は、第７の実施形態に記載された当該部分を引用する。視力矯正装置１１の基本構成は、第７の実施形態に記載された当該部分を引用する。
【０２７２】
このレンズ構成（レンズ構成Ｃ８２ｂ）では、使用者は、固体レンズ１７のみを介して、近方にある視認対象物ＯＢ１を明瞭に視認することができ、可変焦点レンズ２７に印加電圧が印加されない状態で、固体レンズ１７、可変焦点レンズ２７を介して、遠方にある視認対象物ＯＢ２を明瞭に視認することができる。上述したレンズ構成Ｃ８２ｂは、本願発明の第１１のレンズ構成の一例を構成する。
【０２７３】
（第２３の実施形態）
レンズ構成がＣ９１であるレンズ構成（第９の実施形態に記載）において、固体レンズ１７が、遠方にある視認対象物ＯＢ２を明瞭に視認できるように処方された、度入りレンズになるように構成されてもよい（レンズ構成Ｃ９１ｂ）。図１０、図１１、図５を参照して説明する。視力矯正装置１１の基本構成は、第７の実施形態に記載された当該部分を引用する。
【０２７４】
このレンズ構成では、使用者は、固体レンズ１７のみを介して、遠方にある視認対象物ＯＢ２を明瞭に視認することができ、可変焦点レンズ２７に所定の印加電圧が印加される状態で、固体レンズ１７、可変焦点レンズ２７を介して、近方にある視認対象物ＯＢ１を明瞭に視認することができる。上述したレンズ構成Ｃ９１ｂは、本願発明の第１２のレンズ構成の一例を構成する。
【０２７５】
（第２４の実施形態）
レンズ構成がＣ９２であるレンズ構成（第９の実施形態参照）において、固体レンズ１７が、遠方にある視認対象物ＯＢ２を明瞭に視認できるように処方された、度入りレンズになるように構成されてもよい（レンズ構成Ｃ９２ｂ）。図１０、図１１、図５を参照して説明する。視力矯正装置１１の基本構成は、第７の実施形態に記載された当該部分を引用する。
【０２７６】
このレンズ構成（レンズ構成Ｃ９２ｂ）では、使用者は、固体レンズ１７のみを介して、遠方にある視認対象物ＯＢ２を明瞭に視認することができ、可変焦点レンズ２７に印加電圧が印加されない状態で、固体レンズ１７、可変焦点レンズ２７を介して、近方にある視認対象物ＯＢ１を明瞭に視認することができる。上述したレンズ構成Ｃ９２ｂは、本願発明の第１２のレンズ構成の一例を構成する。
【０２７７】
（第２５の実施形態）
異なる距離にある３点以上の視認対象物を、個別に、明瞭に視認できるようにしてもよい。通常は、使用者の左右の視力に合わせて、電極４７Ｒ、左側の電極４７Ｌに対し、個別に印加電圧を印加する。第２５の実施形態は、複レンズ式の視力矯正装置、単レンズ式の視力矯正装置（可変焦点レンズのみを用いた視力矯正装置）のいずれにも適用される。なお、使用者の視力、システム構成等により、電極４７Ｒ、左側の電極４７Ｌに対し、同じ印加電圧を印加することもある。図１乃至図６を参照して、説明する。なお、第１の光学系の他、第２の光学系、第３の光学系であってもよい。
【０２７８】
第２５の実施形態では、異なる距離にある視認対象物が３点であり、電極４７Ｒ、左側の電極４７Ｌに対し、個別に印加電圧を印加する場合について、説明する。なお、視認対象物は、図１に示す近方（距離Ｌ１）にある視認視認対象物ＯＢ１、遠方（距離Ｌ２）にある視認対象物ＯＢ２、距離Ｌ３に有る視認対象物ＯＢ３であるものとし、距離Ｌ３は、距離Ｌ１、距離Ｌ２ではない、視認対象物ＯＢ３を明瞭に視認できる距離であるものとする。
【０２７９】
教示をして、近方にある視認対象物ＯＢ１を明瞭に視認できる際の電極４７Ｒに対する印加電圧ＶＲｎ、電極４７Ｌに対する印加電圧ＶＬｎ、遠方にある視認対象物ＯＢ２を明瞭に視認できる際の電極４７Ｒに対する印加電圧ＶＲｆ、電極４７Ｌに対する印加電圧ＶＬｆ、第３の距離にある視認対象物ＯＢ３を明瞭に視認できる際の電極４７Ｒに対する印加電圧ＶＲ３、電極４７Ｌに対する印加電圧ＶＬ３が決定される。
【０２８０】
教示を行った後、視認対象物ＯＢ１、視認対象物ＯＢ２、視認対象物ＯＢ３を、順次、明瞭に視認する制御方法について説明する。なお、電源スイッチ７７は、オン状態であるものとする。また、タッチセンサ７９、タッチセンサ８５のうち、タッチセンサ７９を用いるものとする。
【０２８１】
モード切換ボタン８３を押して、視点切り替えモードにし、使用者がタッチセンサ７９に触るごとに、順次、電極４７Ｒ、４７Ｌに対する印加電圧が後述する（１）項、（２）項、（３）項の印加電圧となるように、レンズ駆動回路４３Ｒが、電極４７Ｒに対して印加し、レンズ駆動回路４３Ｌが、電極４７Ｌに対して印加する。これにより、使用者は、視認対象物ＯＢ１、視認対象物ＯＢ２、視認対象物ＯＢ３を、順次、明瞭に視認することができる。つまり、第２５の実施形態の視力矯正装置１１は、教示された印加電圧を再現して、視認対象物ＯＢ１、視認対象物ＯＢ２、視認対象物ＯＢ３に対し、焦点を合わせることができる。
【０２８２】
（１）右側：印加電圧ＶＲｎ、左側：印加電圧ＶＬｎ
（２）右側：印加電圧ＶＲｆ、左側：印加電圧ＶＬｆ
（３）右側：印加電圧ＶＲ３、左側：印加電圧ＶＬ３
【０２８３】
（第２６の実施形態）
上述した各実施形態の視力矯正装置において、レンズ駆動回路を駆動させて連続的に可変焦点レンズの焦点距離を変化させる所定の操作、あるいは段階的に可変焦点レンズの焦点距離を変化させる所定の操作を行った場合に、駆動体に対する印加電圧が、スイッチの押圧時間または押圧時間に相関する一定の変化量に応じて、都度、個々の使用者が視認対象物を明瞭に視認できる視認駆動量となるように、レンズ駆動回路が、駆動体に対して印加電圧を印加する（以下、焦点距離連続変更制御と称するものとする。）ようにする。第２６の実施形態は、複レンズ式の視力矯正装置、単レンズ式の視力矯正装置（可変焦点レンズのみを用いた視力矯正装置）のいずれにも適用される。なお、以下では、代表例として、電極４７Ｒ、４７Ｌに所定の印加電圧が印加される状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７が構成される視力矯正システムについて、説明する。
【０２８４】
なお、第２６の実施形態では、使用者の左右の視力に合わせて、電極４７Ｒ、左側の電極４７Ｌに対し、個別に印加電圧を印加する。図１乃至図６、図１５を参照して、説明する。
【０２８５】
視認距離Ｌｘについて、説明する。可変焦点レンズの電極４７Ｒ、４７Ｌに対して、所定の視認駆動量を印加した場合に、使用者が視認対象物を明瞭に視認できる所定の距離がある。以下では、使用者が視認対象物を明瞭に視認できる距離を、視認距離、あるいは視認距離Ｌｘと称するものとする。
【０２８６】
ところで、焦点距離連続変更制御をするには、一定の関数が用いられる。この関数は、使用者毎に、左右同時に、視認対象物を明瞭に視認できる（あるいは、視認対象物の像を使用者の左右の網膜に、同時に結像させる、あるいは、使用者の左右の網膜に、同時にピントを合わせる）ように、電極４７Ｒ、４７Ｌに対する視認駆動量を決定する機能を有している。
【０２８７】
関数は、教示により導出されるか、あるいは予め準備されている。以下では、一例として、各視認対象物を視認する際の印加電圧を教示して、関数を導出する方法について、説明する。なお、関数は、
（１）使用者が近方にある視認対象物ＯＢ１を明瞭に視認できる際の右側の電極４７Ｒに対する印加電圧ＶＲｎ、パルス数ｐＲｎ
（２）使用者が近方にある視認対象物ＯＢ１を明瞭に視認できる際の左側の電極４７Ｌに対する印加電圧ＶＬｎ、パルス数ｐＬｎ
（３）使用者が遠方にある視認対象物ＯＢ２を明瞭に視認できる際の右側の電極４７Ｒに対する印加電圧ＶＲｆ、パルス数ｐＲｆ
（４）使用者が遠方にある視認対象物ＯＢ２を明瞭に視認できる際の左側の電極４７Ｌに対する印加電圧ＶＬｆ、パルス数ｐＬｆ
から導出されるものとする。
【０２８８】
教示の手順について、説明する。図１において、使用者が、右側の可変焦点レンズ２７Ｒを遮蔽し、近方にある視認対象物ＯＢ１を視認する。次に、使用者が、上述したタッチセンサ８５に指で触れて、あるいは指を離して、レンズ駆動回路４３Ｌを駆動させ、近方にある視認対象物ＯＢ１が最も明瞭に視認できるように、左側の可変焦点レンズ２７Ｌの焦点距離を変化させる。そして、登録ボタン８７を押す。この際、左側の電極４７Ｌに印加した印加電圧ＶＬｎ、パルス数ｐＬｎが、記憶部６９に記憶される。
【０２８９】
次に、使用者が、左側の可変焦点レンズ２７Ｌを遮蔽し、近方にある視認対象物ＯＢ１を視認する。次に、使用者が、上述したタッチセンサ７９に指で触れて、あるいは指を離して、レンズ駆動回路４３Ｒを駆動させ、近方にある視認対象物ＯＢ１が最も明瞭に視認できるように、右側の可変焦点レンズ２７Ｒの焦点距離を変化させる。そして、登録ボタン８７を押す。この際、右側の電極４７Ｒに印加した印加電圧ＶＲｎ、パルス数ｐＲｎが、記憶部６９に記憶される。
【０２９０】
次に、使用者が、右側の可変焦点レンズ２７Ｒを遮蔽し、遠方にある視認対象物ＯＢ２を視認する。次に、使用者が、上述したタッチセンサ８５に指で触れて、あるいは指を離して、レンズ駆動回路４３Ｌを駆動させ、近方にある視認対象物ＯＢ２が最も明瞭に視認できるように、左側の可変焦点レンズ２７Ｌの焦点距離を変化させる。そして、登録ボタン８７を押す。この際、左側の電極４７Ｌに印加した印加電圧ＶＬｆ、パルス数ｐＬｆが、記憶部６９に記憶される。
【０２９１】
次に、使用者が、左側の可変焦点レンズ２７Ｌを遮蔽し、遠方にある視認対象物ＯＢ２を視認する。次に、使用者が、上述したタッチセンサ７９に指で触れて、あるいは指を離して、レンズ駆動回路４３Ｒを駆動させ、近方にある視認対象物ＯＢ２が最も明瞭に視認できるように、右側の可変焦点レンズ２７Ｒの焦点距離を変化させる。そして、登録ボタン８７を押す。この際、右側の電極４７Ｒに印加した印加電圧ＶＲｆ、パルス数ｐＲｆが、記憶部６９に記憶される。印加電圧ＶＲｎ、パルス数ｐＲｎ、印加電圧ＶＬｆ、パルス数ｐＬｆが教示されると、関数が導出される。
【０２９２】
関数を例示する。図１５を参照して説明する。（式１）は、（ｘ１，ｙ１）＝（パルス数ｐＲｆ，印加電圧ＶＲｆ）、（ｘ２，ｙ２）＝（パルス数ｐＲｎ，印加電圧ＶＲｎ）を通過する関数、（式２）は、（ｘ３，ｙ３）＝（パルス数ｐＬｆ，印加電圧ＶＬｆ）、（ｘ４，ｙ４）＝（パルス数ｐＬｎ，印加電圧ＶＬｎ）を通過する関数であり、本願発明の関数の一例を示す。
【０２９３】
（式１）  ＶＲｘ＝ｆＲ（ｘ）＝（（ＶＲｎ−ＶＲｆ）／（ｐＲｎ−ｐＲｆ））・ｐＲｘ
（式２）  ＶＬｘ＝ｆＬ（ｘ）＝（（ＶＬｎ−ＶＬｆ）／（ｐＬｎ−ｐＬｆ））・ｐＬｘ
【０２９４】
ただし、
ＶＲｘ：パルス数がｎＲｘである場合の右側の電極４７Ｒに対する印加電圧（視認駆動量）（ボルト）
ＶＬｘ：パルス数がｎＲｙである場合の左側の電極４７Ｌに対する印加電圧（視認駆動量）（ボルト）
ＶＲｎ：視認対象物ＯＢ１を、明瞭に視認できる際の、右側の電極４７Ｒに対する印加電圧（ボルト）。
ＶＲｆ：視認対象物ＯＢ２を、明瞭に視認できる際の、右側の電極４７Ｒに対する印加電圧（ボルト）。
ＶＬｎ：視認対象物ＯＢ１を、明瞭に視認できる際の、左側の電極４７Ｌに対する印加電圧（ボルト）。
ＶＬｆ：視認対象物ＯＢ２を、明瞭に視認できる際の、左側の電極４７Ｌに対する印加電圧（ボルト）。
ｐＲｎ：視認対象物ＯＢ１を、右眼において、明瞭に視認できる際のパルス数（パルス）
ｐＲｆ：視認対象物ＯＢ２を、右眼において、明瞭に視認できる際のパルス数（パルス）
ｐＬｎ：視認対象物ＯＢ１を、左眼において、明瞭に視認できる際のパルス数（パルス）
ｐＬｆ：視認対象物ＯＢ２を、左眼において、明瞭に視認できる際のパルス数（パルス）
ｐＲｘ：現状のパルス数に、新しくカウントしたパルス数が加えられ、あるいは減じられた右側のパルス数（パルス）
ｐＬｘ：現状のパルス数に、新しくカウントしたパルス数が加えられ、あるいは減じられた左側のパルス数（パルス）
【０２９５】
制御方法について、説明する。最初に、右側の可変焦点レンズ２７Ｒ側の制御について、説明する。使用者がタッチセンサ７９を押圧すると、制御部４５に所定の押圧信号が入力される。制御部４５は、押圧信号が入力されている時間をパルス数でカウントする。そして、現状のパルス数に、新しくカウントしたパルス数が加えられたパルス数ｐＲｘを、一定のサンプリング時間毎に、都度、（式１）に代入する。（式１）の演算結果を受けて、レンズ駆動回路４３Ｒは、可変焦点レンズ２７Ｒの焦点距離が、連続的に短くなるように、右側の電極４７Ｒに対して印加電圧（視認駆動量）ＶＲｘを印加する。
【０２９６】
左側の可変焦点レンズ２７Ｌ側の制御について、説明する。使用者がタッチセンサ７９を押圧すると、制御部４５に所定の押圧信号が入力される。制御部４５は、押圧信号が入力されている時間をパルス数でカウントする。そして、現状のパルス数に、新しくカウントしたパルス数が加えられたパルス数ｐＬｘを、一定のサンプリング時間毎に、都度、（式２）に代入する。（式２）の演算結果を受けて、レンズ駆動回路４３Ｌは、可変焦点レンズ２７Ｌの焦点距離が、連続的に短くなるように、可変焦点レンズ２７Ｌの電極４７Ｌに対して印加電圧（視認駆動量）ＶＬｘを印加する。
【０２９７】
この際、印加電圧を左右同時にＶＲｘ、ＶＬｘとなるように制御する（視認対象物ＯＢｘを左右同時に、使用者の網膜に結像させる）ことで、違和感なく、ピント合わせすることができる。
【０２９８】
また、使用者がタッチセンサ８５を押圧すると、制御部４５に所定の押圧信号が入力される。制御部４５は、押圧信号が入力されている時間をパルス数でカウントする。そして、現状のパルス数から、新しくカウントしたパルス数を減じたパルス数ｐＲｘを、一定のサンプリング時間毎に、都度、（式１）に代入する。（式１）の演算結果を受けて、レンズ駆動回路４３Ｒは、可変焦点レンズ２７Ｒの焦点距離が、連続的に長くなるように、右側の電極４７Ｒに対して印加電圧（視認駆動量）ＶＲｘを印加する。
【０２９９】
左側の可変焦点レンズ２７Ｌ側の制御について、説明する。使用者がタッチセンサ８５を押圧すると、制御部４５に所定の押圧信号が入力される。制御部４５は、押圧信号が入力されている時間をパルス数でカウントする。そして、現状のパルス数から、新しくカウントしたパルス数を減じたパルス数ｐＬｘを、一定のサンプリング時間毎に、都度、（式２）に代入する。（式２）の演算結果を受けて、レンズ駆動回路４３Ｌは、可変焦点レンズ２７Ｌの焦点距離が、連続的に長くなるように、左の電極４７Ｌに対して印加電圧（視認駆動量）ＶＬｘを印加する。
【０３００】
この際、印加電圧を左右同時にＶＲｘ、ＶＬｘとなるように制御する（視認対象物ＯＢｘを左右同時に、使用者の網膜に結像させる）ことで、違和感なく、ピント合わせすることができる。
【０３０１】
上記構成によれば、タッチセンサ７９またはタッチセンサ８５を押すと、押圧時間に応じて、都度、印加電圧ＶＲｘ、ＶＬｘが変更される。その結果、可変焦点レンズ２７の焦点距離が変更されて、使用者が視認対象物を明瞭に視認できる視認距離Ｌｘが変更される。仮に、変更される視認距離Ｌｘに沿って、所定の視認対象物ＯＢｘ（図示せず）が移動したものとすると、視認対象物ＯＢｘの像が使用者の左右の網膜に同時に結像される状態が維持されたまま、使用者は、変化する視認距離Ｌｘに沿って移動する視認対象物ＯＢｘを、連続して、明瞭に視認することができる。
【０３０２】
また、視認対象物ＯＢｘが移動せず、視認対象物ＯＢｘが、所定の距離にある場合、タッチセンサ７９またはタッチセンサ８５を押して、視認対象物ＯＢｘを明瞭に視認できるところで、押圧を停止すると、視認対象物ＯＢｘの像が、使用者の網膜に、左右同時に結像され、使用者は、視認距離Ｌｘにある視認対象物ＯＢｘを明瞭に視認することができる。因みに、この視力矯正装置１１は、印加電圧ＶＲｘ、ＶＬｘを維持することで、視認対象物ＯＢｘを明瞭に視認できる状態を維持することができる。
【０３０３】
なお、上述した例では、印加電圧ＶＲｆ、パルス数ｐＲｆ、印加電圧ＶＬｆ、パルス数ｐＬｆは、製造工程の段階で決定されたものを用いたが、製品完成後に、印加電圧ＶＲｆ、パルス数ｐＲｆ、印加電圧ＶＬｆ、パルス数ｐＬｆを教示してもよい。また、教示対象となる視認対象物は、視認対象物ＯＢ１、ＯＢ２に限定されるものではない。他の距離にある視認対象物を教示対象としてもよい。
【０３０４】
また、上述した関数は、一例を示したものであり、電極４７Ｒに対する印加電圧ＶＲｘ、電極４７Ｌに対する印加電圧ＶＬｘが決定できる関数であればよく、（式１）、（式２）に限定されるものではない。また、予めプログラムに組み込まれた関数を用いてもよい。この場合、開発段階において、視力矯正装置の機種毎に、多数の被験者からデータを収集し、そのデータを基にして、関数を導出するようにしてもよい。また、複数の関数から、最も使用者に合う関数を、使用者が選択できるようにしてもよい。
【０３０５】
なお、電極４７Ｒ、４７Ｌに印加電圧が印加されない状態において、固体レンズ１７、可変焦点レンズ２７を介して、使用者が所定の距離Ｌ３にある視認対象物ＯＢ３を視認した際に、使用者が視認対象物ＯＢ３を明瞭に視認できるように、固体レンズ１７が構成される場合、印加電圧ＶＲｆ、パルス数ｐＲｆ、印加電圧ＶＬｆ、パルス数ｐＬｆは０となる。また、使用者の左右の視力が同じである場合、左右の可変焦点レンズの性能が同じであれば、印加電圧ＶＲｆ、ＶＬｆは、同じ印加電圧となる。
【０３０６】
因みに、使用者の視力、システム構成等により、電極４７Ｒ、左側の電極４７Ｌに対し、同じ印加電圧を印加することもある。この場合の関数の一例を、次に示す（図１６参照）。
【０３０７】
（式３）  Ｖｘ＝ｆ（ｘ）＝（（Ｖｎ−Ｖｆ）／（ｐｎ−ｐｆ））・ｐｘ
【０３０８】
ただし、
Ｖｘ：パルス数がｎｘである場合の電極４７Ｒ、４７Ｌに対する印加電圧（視認駆動量）（ボルト）
Ｖｎ：視認対象物ＯＢ１を、明瞭に視認できる際の、電極４７Ｒ、４７Ｌに対する印加電圧（視認駆動量）（ボルト）
Ｖｆ：視認対象物ＯＢ２を、明瞭に視認できる際の、電極４７Ｒ、４７Ｌに対する印加電圧（視認駆動量）（ボルト）
ｐｎ：視認対象物ＯＢ１を、明瞭に視認できる際のパルス数（パルス）
ｐｆ：視認対象物ＯＢ２を、明瞭に視認できる際のパルス数（パルス）
ｐｘ：現状のパルス数に、新しくカウントしたパルス数が加えられ、あるいは減じられた右側のパルス数（パルス）
【０３０９】
（第２７の実施形態）
上述した視力矯正装置が、視認対象物までの距離を測定する距離測定手段（例えば、測距センサ、光電センサなど）を備え、この距離測定手段により測定された距離に応じて、焦点距離を変更する視力矯正装置であってもよい。第２７の実施形態は、複レンズ式の視力矯正装置、単レンズ式の視力矯正装置（可変焦点レンズのみを用いた視力矯正装置）のいずれにも適用される。
【０３１０】
なお、第２７の実施形態では、使用者の左右の視力に合わせて、電極４７Ｒ、左側の電極４７Ｌに対し、個別に印加電圧を印加する。なお、使用者の視力、システム構成等により、電極４７Ｒ、左側の電極４７Ｌに対し、同じ印加電圧を印加することもある。以下では、図１７、図５を参照して、複レンズ式の視力矯正装置について、説明する。
【０３１１】
第１の距離にある視認対象物ＯＢ１を明瞭に視認できる際の、右側の電極４７Ｒに対する印加電圧をＶＲｎ、右側の電極４７Ｌに対する印加電圧をＶＬｎ、第２の距離にある視認対象物ＯＢ２を明瞭に視認できる際の、右側の電極４７Ｒに対する印加電圧をＶＲｆ、右側の電極４７Ｌに対する印加電圧をＶＬｆとする。
【０３１２】
距離測定手段９５により測定された距離が第１の距離を含む所定の範囲Ａ内にある場合には、レンズ駆動回路４３Ｒが、印加電圧ＶＲｎを可変焦点レンズ２７Ｒに印加し、レンズ駆動回路４３Ｌが、印加電圧ＶＬｎを可変焦点レンズ２７Ｌに印加する。また、測定された距離が第２の距離を含む所定の範囲Ｂ内にある場合には、レンズ駆動回路４３Ｒが、印加電圧ＶＲｆを可変焦点レンズ２７Ｒに印加し、レンズ駆動回路４３Ｌが、印加電圧ＶＬｆを可変焦点レンズ２７Ｌに印加する。
【０３１３】
（その他の実施形態）
上述した視力矯正装置では、レンズ駆動回路４３が、右側の可変焦点レンズ２７Ｒを駆動するレンズ駆動回路４３Ｒと、左側の可変焦点レンズ２７Ｌを駆動するレンズ駆動回路４３Ｌとを備え、レンズ駆動回路４３Ｒと電極４７Ｒ、レンズ駆動回路４３Ｌと電極４７Ｌが個別に接続されるようにして、電極４７Ｒ、４７Ｌに、個別に異なる印加電圧あるいは同じ印加電圧を印加できるようにした（図５参照）。これに代わり、図１８に示すように、レンズ駆動回路４３から共通の印加電圧が、電極４７Ｒ、４７Ｌに印加されるようにしてもよい。この構成は、上述した、全ての実施形態に適応可能である。
【０３１４】
本願発明の視力矯正装置は、液晶式の視力矯正装置に限定されない。例えば、第１の実施形態乃至第２７の実施形態で説明した液晶式の可変焦点レンズの代わりに、レンズホルダー（容器）内に所定の可撓膜を隔てて、導電性液体と、絶縁性流体とを封入し、導電性液体に印加電圧を印加させて、界面を変化させ、焦点距離を変更する可変焦点レンズ（特表２００７−５１９９６９：コーニンクレッカ  フィリップス  エレクトロニクス  エヌウィ）、電子ウェッティング現象の原理を利用した可変焦点レンズ（フランス：バリオプティック社）を用いてもよい。
【０３１５】
また、第１の実施形態乃至第２７の実施形態で説明した液晶式の可変焦点レンズの代わりに、透明な液体を出し入れしてレンズの焦点を可変させる液体式の可変焦点レンズ（例えば、特許第５２５５１５２）を用いてもよい。
【０３１６】
また、上述した例は、モータにより可動するピストンで可変焦点レンズに充填された透明液体を出し入れするようにしたが、ポンプにより、可変焦点レンズに充填された透明液体を出し入れするようにしてもよい。なお、上述した液体式の可変焦点レンズにおいて、固体レンズと、可変焦点レンズの位置関係が入れ替わっていてもよい。
【０３１７】
また、可変焦点レンズが柔軟な透明部材で構成されており、この透明部材（レンズ）に外力を加え、レンズ厚を変化させて焦点距離を変化させる視力矯正装置（あるいは電子眼鏡、可変焦点眼鏡）であってもよい。
【０３１８】
また、固体レンズを備えた眼鏡、あるいは固体レンズに、直接、可変焦点レンズを着脱するようにしてもよい。また、可変焦点レンズを備えた眼鏡、あるいは可変焦点レンズに、直接、固体レンズを着脱するようにしてもよい。
【０３１９】
また、１つの眼鏡フレームに、固体レンズ、可変焦点レンズの両方が保持されてもよい。この場合、光学系が第１の光学系であってもよく、第２の光学系であってもよい（第２のレンズ保持構成、第４のレンズ保持構成）。なお、固体レンズ、可変焦点レンズは、眼鏡フレームから、個別に着脱ができるようにしてもよい。
【０３２０】
また、第１の実施形態乃至第３の実施形態、第７の実施形態乃至第９の実施形態における仮枠の眼鏡は、検査用固体レンズのみを備えた、一般的な仮枠の眼鏡を用いてもよい。検査用固体レンズは、仮枠の眼鏡の眼鏡フレームに、交換自在に保持される。これにより、検査用固体レンズの度数が決定されると、これに対応する、固体レンズ、可変焦点レンズからなる光学系の度数が決定される。そして、可変焦点レンズの度数（焦点距離）は一定であるので、可変焦点レンズの度数（焦点距離）から固体レンズの度数（焦点距離）を決定することができる。
【０３２１】
また、第１の実施形態、第２の実施形態では、第２の眼鏡の眼鏡フレームに操作盤が設けられたが、第１の眼鏡の眼鏡フレームに操作盤が設けられてもよい。この場合、第２の眼鏡の眼鏡フレームに設けられた可変焦点レンズの電極に連なる接続部と、第１の眼鏡の眼鏡フレームに設けられた操作盤に設けられた接続部もしくは操作盤に連なる接続部とを設け、両接続部を接続するとよい。両接続部は、例えば、コネクタ、プローブ（接触子）などで接続し、ワンタッチで着脱できることが望ましい。
【０３２２】
また、所定の屈折率を得るために、固体レンズにフレネルレンズを用い、フレネルレンズの形状を変えてもよいし、固体レンズに屈折率分布レンズを用い、使用者が視認対象物を明瞭に視認できるように、レンズ内部に屈折率をつけてもよい。なお、固体レンズが素材から最終完成品として製品化されるまでの加工工程には、成型、切削、研磨、コーティングなど、種々の工程があり、必要な工程が選択される。
【０３２３】
また、可変焦点レンズの度数、焦点距離を変更する手動操作部を設け、使用者が手動操作部を操作することにより、可変焦点レンズの度数、焦点距離を変更するようにしてもよい。この場合、可変焦点レンズの度数、焦点距離を自動制御する自動制御部、所定の操作によって可変焦点レンズの度数、焦点距離を制御する半自動制御部は、有ってもよく、無くてもよい。
【０３２４】
また、各実施形態で説明した電極は、液晶パネルに設けられる電極のように、マトリクス状に形成されてもよい。この場合、電極が交差する部分毎に、印加電圧を制御することにより、度数、焦点距離を変更する。
【０３２５】
なお、本願発明は、上記実施例のみに限定されるものではなく、請求項の範囲に記載された技術的思想の中で、自由に変形が可能である。
【０３２６】
（補足説明１）
このレンズ構成では、一例として、可変焦点レンズ２７の両レンズ面が、平行かつ平面状に加工される。上述した可変焦点レンズ２７は、電極４７に所定の印加電圧が印加される状態において、可変焦点レンズ２７に入射される光線を屈折させることなく通過させる、あるいは実質的に屈折させることなく通過させることができるように、液晶分子の楕円長軸が配向される。なお、可変焦点レンズ２７は、電極４７に所定の印加電圧が印加される状態において、可変焦点レンズに入射される光線を屈折させることなく通過させる可変焦点レンズ、あるいは実質的に屈折させることなく通過させることができる可変焦点レンズであれば、上述した構成に限定されるものではない。例えば、両レンズ面、あるいは両レンズ面のどちらか一方のレンズ面が曲面であってもよい。因みに、可変焦点レンズ２７に入射される光線がごく僅かに屈折する場合でも、使用者の眼自体にピント調整能力によっては、視認対象物を明瞭に視認することができる。
【０３２７】
（補足説明２）
このレンズ構成では、一例として、可変焦点レンズ２７の両レンズ面が、平行かつ平面状に加工される。上述した可変焦点レンズ２７は、電極４７に所定の印加電圧が印加されない状態において、可変焦点レンズ２７に入射される光線を屈折させることなく通過させる、あるいは実質的に屈折させることなく通過させることができるように、液晶分子の楕円長軸が配向される。なお、可変焦点レンズ２７は、電極４７に所定の印加電圧が印加されない状態において、可変焦点レンズに入射される光線を屈折させることなく通過させる可変焦点レンズ、あるいは実質的に屈折させることなく通過させることができる可変焦点レンズであれば、上述した構成に限定されるものではない。例えば、両レンズ面、あるいは両レンズ面のどちらか一方のレンズ面が曲面であってもよい。因みに、可変焦点レンズ２７に入射される光線がごく僅かに屈折する場合でも、使用者の眼自体にピント調整能力によっては、視認対象物を明瞭に視認することができる。
【符号の説明】
【０３２８】
１１…視力矯正装置
１３…第１の眼鏡
１５…第２の眼鏡
１７…固体レンズ
１９…眼鏡フレーム（第１の眼鏡フレーム）
２５…磁石
２７…可変焦点レンズ
２９…眼鏡フレーム（第２の眼鏡フレーム）
３５…操作盤
３７…磁石
３９…制御ブロック
４１…電力供給部（電源）
４３…レンズ駆動回路
４５…制御部
４７…電極
４９…液晶
【図１】
2015052772.tif 000003
【図２】
2015052772.tif 000004
【図３】
2015052772.tif 000005
【図４】
2015052772.tif 000006
【図５】
2015052772.tif 000007
【図６】
2015052772.tif 000008
【図７】
2015052772.tif 000009
【図８】
2015052772.tif 000010
【図９】
2015052772.tif 000011
【図１０】
2015052772.tif 000012
【図１１】
2015052772.tif 000013
【図１２】
2015052772.tif 000014
【図１３】
2015052772.tif 000015
【図１４】
2015052772.tif 000016
【図１５】
2015052772.tif 000017
【図１６】
2015052772.tif 000018
【図１７】
2015052772.tif 000019
【図１８】
2015052772.tif 000020